(57)【要約】      （修正有）【課題】田植機搭載型液剤散布装置、及びそれを用いる田植え同時液剤散布方法を提供する。【解決手段】液剤を貯留するタンク１０と、タンクから液剤を吸引するポンプ１２と、ポンプによって吸引された液剤を搬送するためにポンプに接続された管路１４と、管路によって搬送された液剤を分配して排出するために管路に接続された分配部２０と、及び管路によって搬送された液剤を受け入れ、受け入れた液剤中に含まれる空気を捕捉する機構とを含む。【選択図】図２
2018102301.tif 000002
【特許請求の範囲】
【請求項１】
液剤を分配して排出するために田植機に搭載される装置であって、
前記液剤を貯留するタンクと、
前記タンクから前記液剤を吸引するポンプと、
前記ポンプによって吸引された前記液剤を搬送するために前記ポンプに接続された管路と、
前記管路によって搬送された前記液剤を分配して排出するために前記管路に接続された分配部と、
前記管路によって搬送された前記液剤を受け入れ、受け入れた前記液剤内に含有された空気を捕捉する機構と、を含み、
前記機構は、前記分配部に供給された液剤を受け入れ、受け入れた液剤を前記タンクに搬送するために、前記分配部と前記タンクとの間に接続された追加の管路を含み、
前記分配部は、
ほぼ水平方向に延びる中空部材と、
前記中空部材に接続され下向きに延び、前記中空部材によって搬送された前記液剤を排出する２本以上の管路であって、各々が隣接する管路から距離をおいて配置された２本以上の管路と、
各管路に開閉自在に設けられたコックであって、前記ポンプが作動しているときに閉じることによって、前記管路から前記液剤を排出させず、前記中空部材に含まれた空気が前記追加の管路を介して前記タンクに戻ることを促進する、ように構成されたコックと、
を含み、
前記機構の追加の管路は、前記分配部の前記中空部材に接続されており、
前記追加の管路は、そのすべての部分が前記分配部より上方に配置され、ポンプを含まないものであって、前記タンクと前記中空部材とに常に連通していることによって、前記中空部材から前記タンクへの前記液剤の搬送を阻害しない、ことを特徴とする装置。
【請求項２】
前記機構の前記追加の管路は、前記中空部材の両端に接続されている、請求項１に記載の装置。
【請求項３】
前記機構の前記追加の管路は、前記中空部材の上面に接続されている、請求項２に記載の装置。
【請求項４】
液剤を分配して排出するために田植機に搭載される装置であって、
前記液剤を貯留するタンクと、
前記タンクから前記液剤を吸引するポンプと、
前記ポンプによって吸引された前記液剤を搬送するために前記ポンプに接続された管路と、
前記管路によって搬送された前記液剤を分配して排出するために前記管路に接続された分配部と、
前記管路によって搬送された前記液剤を受け入れ、受け入れた前記液剤内に含有された空気を捕捉する機構と、を含み、
前記機構は、ほぼ鉛直方向に延び前記管路内に組み込まれたチャンバを含み、
前記管路は、
前記ポンプによって吸引された前記液剤を搬送する第一管路であって、一端が前記ポンプに接続され、他端が前記チャンバに接続されている第一管路と、
前記チャンバによって貯留された前記液剤を搬送する第二管路であって、一端が前記チャンバに接続され、他端が前記分配部に接続されている第二管路と、を含み、
前記第一管路の前記他端は前記第二管路の前記一端より高い位置に配置され、
前記チャンバから前記液剤を排出するために前記第二管路の前記一端より低い位置で前記チャンバに接続された排液管路をさらに含み、
前記分配部と前記タンクとを接続して前記液剤を前記タンクに返送するための管路を具備しない、ことを特徴とする装置。
【請求項５】
前記チャンバから空気を排出するために前記第一管路の前記他端より高い位置で前記チャンバに接続された排気管路をさらに含む、請求項４に記載の装置。
【請求項６】
前記分配部は、
ほぼ水平方向に延びる中空部材と、
前記中空部材と連通して下向きに延び前記中空部材によって搬送された前記液剤を排出する２本以上の管路であって、各々が隣接する管路から距離をおいて配置された２本以上の管路と、を含み、
前記第二管路の前記他端は前記中空部材に接続されている、請求項４に記載の装置。
【請求項７】
前記２本以上の管路の各管路は、該管路の内部を通る前記液剤に抵抗を付加する弁を含む、請求項１〜３、６のいずれかに記載の装置。
【請求項８】
請求項１〜７のいずれかに記載の装置を具備する田植機搭載型液剤散布装置であって、前記装置の前記分配部は、前記田植機の田植え作業と同調して液剤を排出する装置。
【請求項９】
前記弁が、
管状を有するように構成され、一端においてスロットを含む上面を有し、他端において開口を有する第一弁部材と、
前記第一弁部材を受け入れ、前記弁部材の前記開口部に対向する入口及び前記第一弁部材の前記上面に対向する出口を有するケースと、を含む、請求項７に記載の装置。
【請求項１０】
前記弁が、
管状を有するように構成され、一端においてスロットを含む上面を有し、他端において開口を有する第二弁部材であって、前記ケース内で前記第一弁部材と係合する第二弁部材をさらに含み、
前記第二弁部材の前記上面は前記第一弁部材の前記上面から距離をおいて配置されている、請求項９に記載の装置。
【請求項１１】
前記第一弁部材及び前記第二弁部材の各々が、
第一内径及び該第一内径より大きい第一外径を有する前記上面を備える第一中空部材と、
前記第一中空部材に接続され、前記第一内径及び前記第１外径の両方よりも大きい第二内径を有し、前記第一外径より大きい第二外径を有する第二中空部材と、を含み、
前記第一弁部材及び前記第二弁部材は、前記第二弁部材の前記第一中空部材が前記第一弁部材の前記第二中空部材内において受け入れられ支持されるように、相互に係合するように構成されている、請求項１０に記載の装置。
【請求項１２】
前記第一弁部材及び前記第二弁部材の各々は、前記第二中空部材に接続された第三中空部材であって、前記第二内径及び前記第２外径の両方よりも大きい第三内径を有し、前記第一外径より大きい第二外径を有する第三中空部材をさらに含み、
前記第一弁部材及び前記第二弁部材は、前記第二弁部材の前記第二中空部材が前記第一弁部材の前記第三中空部材内において受け入れられ支持されるように、相互に係合するように構成される、請求項１１に記載の装置。
【請求項１３】
請求項１〜７のいずれかに記載の液剤を分配して排出するための装置又は請求項８に記載の田植機搭載型液剤散布装置を用いる害虫、真菌及び／又は雑草を防除するための田植え同時液剤散布方法であって、
前記液剤を、前記分配部を介して、苗が植え付けられる複数の畝間のいくつかに散布する液剤散布方法。
【請求項１４】
前記複数の畝間のうち、半数以上の畝間に散布する請求項１３に記載の液剤散布方法。
【請求項１５】
前記液剤を、前記複数の畝間のすべてに散布する、請求項１４に記載の液剤散布方法。
【請求項１６】
前記液剤の水溶性が、１００ｍｇ／Ｌより低い、請求項１３〜１５のいずれかに記載の液剤散布方法。
【請求項１７】
前記液剤は、除草剤、植物生長調節剤、殺真菌剤、殺虫剤、殺ダニ剤、殺線虫剤、微生物、軟体動物駆除剤、肥料、毒性緩和剤及び植物強壮性化合物ならびにそれらの組み合わせから選択された少なくとも１種を含む、請求項１３〜１６のいずれかに記載の液剤散布方法。
【請求項１８】
前記液剤が、除草剤からなる群から選択された少なくとも１種を含む請求項１３から１７のいずれかに記載の液剤散布方法。
【請求項１９】
前記除草剤が水田用除草剤である請求項１８に記載の液剤散布方法。
【請求項２０】
前記液剤が、ピリミスルファン、テフリルトリオン、ケトスピラドックス、メソトリオン、ベンゾビシクロン、スルコトリオン、テンボトリオンブロモチド、トリアファモン、プロピリスルフロン、ベンゾスルフロン−メチル、ピラゾスルフロン、イマゾスルフロン、ペノキスラム、ピラクロニル、ペントキサゾン、オキサジアゾン、オキサジアルギル、ブタクロール、プレチラクロール、フェントラザミド、メフェナセット、オキサジクロメフォン、イプフェンカルバゾン及びフェノキサスルホンからなる群から選択された少なくとも１種の化合物を含む請求項１３から１９のいずれかに記載の液剤散布方法。
【請求項２１】
前記液剤は、除草剤、殺真菌剤、殺虫剤、軟体動物駆除剤及び肥料からなる群から選択される少なくとも２種の化合物の組み合わせを含む、請求項１３〜２０のいずれかに記載の液剤散布方法。
【請求項２２】
前記除草剤が、オキサジアルギル、トリアファモン、テフリルトリオン、フェントラザミド、メフェナセト、ベンスルフロン−メチル及びプレチラクロールからなる群から選択され、前記殺真菌剤は、イソチアニルであり、前記殺虫剤は、イミダクロプリドであり、前記軟体動物駆除剤は、ニクロサミドであり、及び、前記肥料は、亜鉛である、請求項２１に記載の液剤散布方法。
【請求項２３】
前記液剤が、オキサジアルギル及びトリアファモン、ならびに、トリアファモン及びテフリルトリオンからなる群、トリアファモン、テフリルトリオン及びオキサジアルギル、ならびに、トリアファモン、オキサジアルギル及びベンスルフロン−メチルからなる３種の組み合わせの群より選択される少なくとも２種の異なる除草剤の組み合わせを含む、請求項２１に記載の液剤散布方法。
【請求項２４】
前記液剤が、トリアファモン及びテフリルトリオン及びイソチアニルの組み合わせを含む、請求項２１に記載の液剤散布方法。
【請求項２５】
前記液剤が、トリアファモン、テフリルトリオン、イソチアニル、イミダクロプリド及びニクロサミドの組み合わせを含む、請求項２１に記載の液剤散布方法。
【請求項２６】
稲の生長が、未処理稲と比較して１０％を超えて増加する、請求項１３〜２５のいずれかに記載の液剤散布方法。
【請求項２７】
稲の生長が、未処理稲と比較して３０％を超えて増加する、請求項２６に記載の液剤散布方法。
【発明の詳細な説明】
【技術分野】
【０００１】
（関連出願の相互参照）
本出願は、２０１２年３月１２日に出願された「ＲＩＣＥ  ＴＲＡＮＳＰＬＡＮＴＥＲ−ＭＯＵＮＴＥＤ  ＬＩＱＵＩＤ  ＲＥＡＧＥＮＴ  ＡＰＰＬＩＣＡＴＩＯＮ  ＤＥＶＩＣＥ」と題する先行中国特許出願第ＣＮ２０１２１００６４１１７．７号に基づいて前記特許出願からの優先権の恩典を主張するものであり、前記出願のすべての内容を本願明細書の内容に組み込むものとする。
本発明は、一般に液剤を分配して排出するための装置に関する。より具体的には、本発明は、田植機搭載型液剤散布装置、及びそれを用いる田植え同時液剤散布方法に関する。
【背景技術】
【０００２】
除草などを目的として田植え作業と同時に薬剤を散布する作業、いわゆる防除は、田植えと同時に農薬の施用を行うことで省力化をめざしている。田植機搭載型の薬剤散布装置は、田植機による苗の植え付けと同時に粒剤や液剤、例えば、懸濁剤（フロアブル剤、乳剤）、水溶剤等を散布する機械である。  
【０００３】
田植機搭載型の薬剤散布装置には、散布すべき薬剤の性状にあわせて粒剤用、液剤用などがあり、従前には田植えとは別作業であった除草剤散布を田植えと同時に行い、定量散布と微少計量とが可能となっている。特開平１１―３０８９５９号公報及び特開２００８−０４８６５９号公報に開示されているように、田植機搭載型の粒剤散布装置は、田植え速度に同調して作動する調量装置によって粒剤を調量し、調量した粒剤を高速回転する円盤上に落下させ、円盤に形成された打板で粒剤をはじき飛ばすことで粒剤の均一散布を行うことが可能であり、それらの出願のすべての内容が参照により本願明細書の内容に組み込まれる。また、「農薬散布の共通技術  土壌施用」、「農薬散布技術」、（１９９８年）、「農薬散布技術」編集委員会編、（社）日本植物防疫協会発行、１２２頁に開示されているように、田植え同時液剤散布装置は、タンクからノズルへのつなぎのチューブを、ローラを利用して絞り出す方式であり、それらのすべての内容が参照により本願明細書の内容に組み込まれる。  
【０００４】
田植機の後部に装着して使用する田植え同時液剤散布装置は商品名「滴下マン（商標登録２４１９２１７号）」として実用化されており、そのすべての内容が参照により本願明細書に組み込まれる。「滴下マン」散布装置は、ノズルを１つしか有していない、すなわち１滴滴下（ｏｎｅ−ｄｒｉｐ）装置である。この装置は、特に除草剤オキサジアルギルなどの低水溶性活性物質については、液剤を不均一に拡散させることが多い。このような不均一な拡散は、雑草、害虫及び／又は真菌の防除を不均一にし、及び／又は作物被害を引き起こす。
【先行技術文献】
【特許文献】
【０００５】
【特許文献１】特開平１１−３０８９５９号公報
【特許文献２】特開２００８−４８６５９号公報
【非特許文献】
【０００６】
【非特許文献１】「農薬散布の共通技術  土壌施用」、「農薬散布技術」、（１９９８年）、「農薬散布技術」編集委員会編、（社）日本植物防疫協会発行、１２２頁
【発明の概要】
【発明が解決しようとする課題】
【０００７】
田植作業（人、機械移植）は、植え付け精度を保つため、浅水状態（湛水深が０〜３ｃｍ）でなされてきた。従来の粒剤用の散布装置では、粒剤を弾く強さ又は角度によっては粒剤が水田土壌中に埋没してしまい、薬剤の効能が発揮されないことにより除草されない場所が発生した。他方、植え付けた稲の苗の近くに配置された粒剤は、苗に植物毒性作用を引き起こすことがある。粒剤散布装置はまた、降雨や風などの天候条件による影響も受け易い。降雨は、粒剤を散布装置へ固着させてしまうために極めて重要である。また、田植え中に粒剤を供給せずに数種の粒剤の混合物を大規模圃場に散布することは、粒剤が重くてかさ高いために困難である。比重が様々に異なる粒剤を混合することは、粒剤を一様に散布できなくなるので、やはり望ましくない。また、従来の液剤用の散布装置は、６条から８条植えの田植機に搭載され、中央の畝（すなわち、１株間滴下）の間にのみ液剤を滴下するので、液剤が６条から８条の畝のすべてに拡散せず、均一な防除効果が得られないことがある。特に、田植え時に圃場が浅水状態、或いは湛水深がない場合、更には田植え同時処理後、湛水が直ちにできなかった場合、薬剤の活性物質が十分に拡散せず、期待した効果、例えば除草、害虫防除又は真菌疾患防除などの効果を獲得できないことがある。また、薬剤が偏在することにより稲への薬害が助長されることがある。  
【０００８】
本発明の実施形態は、これらの点のいくつかを少なくとも部分的に改善することを目指しており、中規模圃場（一面当たりの面積が１０００〜３０００平方メートル（０．１〜０．３ｈａ）の水田）、大規模圃場（一面当たりの面積が３０００平方メートル（０．３ｈａ）より大きい水田）の農薬散布を可能にする、田植機搭載型液剤散布装置、及びそれを用いる田植え同時液剤散布方法を提供する。  
【０００９】
本発明の実施形態は、田植機が走行した後に植え付けられる複数の畝間のそれぞれに液剤を均一に滴下できる（各ノズルからの滴下量の誤差率は、平均滴下量に比較して５０％、３０％、２０％又は１０％未満である）。散布された液剤は複数の畝のすべてに拡散できるので、均一な防除効果とともに優れた水稲に対する安全性（選択性）が得られる。また、本発明の方法は、従来の液剤散布方法と比較して、液剤散布時に薬剤が水稲に直接接触すること防ぐことができ、稲の葉身に対する薬剤の接触薬害を防ぐことができ、また、稲の生長を効果的に（未処理の稲と比較して１０％又は３０％を超えて）強化できる。先行技術に比較した本発明のまた別の利点は、液剤の水溶性が極めて低いか中等度である場合でさえ液剤を均一に拡散させられることである。水溶性が極めて低い活性剤の例はオキサジアルギル（ｐＨ５．６及び２０℃で０．３７ｍｇ／Ｌ）であり、水溶性が中等度の活性剤の例はトリアファモン（各数値を２０℃で測定すると、ｐＨ７で３３ｍｇ／Ｌ、ｐＨ４で３６ｍｇ／Ｌ、ｐＨ９で３４ｍｇ／Ｌ）である。液剤の水溶性が極めて低い場合でさえ、液剤の均一な分散は不均一な分散結果を防ぎ、雑草、害虫及び／又は真菌の均一な防除を生じさせる、及び／又は作物被害を防止する。  
【課題を解決するための手段】
【００１０】
本発明の１つの態様では、液剤を分配して排出するための装置が提供される。本装置は、液剤を貯留するタンクと、前記タンクから前記液剤を吸引するポンプと、前記ポンプによって吸引された液剤を搬送するために前記ポンプに接続された管路と、前記管路によって搬送された液剤を分配して排出するために前記管路に接続された分配部と、前記管路によって搬送された液剤を受け入れ、受け入れた液剤中に含まれる空気を捕捉する機構とを含んでよい。  
【００１１】
前記機構は、前記分配部に供給された液剤を受け入れ、受け入れた液剤を前記タンクに搬送するために、前記分配部と前記タンクの間に接続された追加の管路を含んでよい。前記分配部は、ほぼ水平方向に延びる中空部材と、前記中空部材に接続されていて下向きに延びる２本以上の管路とを含むことができ、前記２本以上の管路は前記中空部材によって搬送された液剤を排液し、前記２本以上の管路のそれぞれはその隣接管路から距離をおいて配置される。前記機構の追加の管路は、前記分配部の前記中空部材に接続される。機構の追加の管路は、前記中空部材の両端に接続される。前記機構の追加の管路は、前記中空部材の上面に接続される。２本以上の管路の各管路は、前記管路の内部を通じる液剤に抵抗を付加する弁を含む。  
【００１２】
又は、前記機構は、ほぼ鉛直方向に延びて、前記管路内に組み込まれたチャンバを含み、前記管路は、前記ポンプによって吸引された液剤を排出する第一管路であって、前記第一管路の一端は前記ポンプに接続され、前記第一管路の他端は前記チャンバに接続される第一管路と、前記チャンバによって貯留された液剤を排出する第二管路であって、前記第二管路の一端は前記チャンバに接続され、前記第二管路の他端は前記分配部に接続される第二管路とを含み、このとき前記第一管路の他端は、前記第二管路の前記一端より高い位置に配置される。前記チャンバから空気を排出するために前記第一管路の他端より高い位置で前記チャンバに接続された排気部。前記チャンバから前記液剤を排液するために前記第二管路の一端より低い位置で前記チャンバに接続された排液部。  
【００１３】
前記分配部は、ほぼ水平方向に延びる中空部材と、前記中空部材と連通して、下向きに延びる２本以上の管路とを含み、前記２本以上の管路は前記中空部材によって搬送された液剤を排液し、前記２本以上の管路のそれぞれは隣接する管路から距離をおいて配置され、前記第二管路の他端は前記中空部材に接続される。  
【００１４】
２本以上の管路の各管路は、前記管路の内部を通る液剤に抵抗を付加する弁を含む。  
【００１５】
本発明の１つの態様では、弁が設けられてよい。前記弁は、管状形を有するように構成されて、一端で上面及び他端で開口を有する第一弁部材であって、前記上面は切り欠き（スロット）を含む第一弁部材と、前記第一弁部材を受け入れて前記弁部材の前記開口部に対向する入口及び前記第一弁部材の前記上面にする出口を有するケースとを含んでよい。  
【００１６】
前記弁は、管状形を有するように構成されて、一端で上面及び他端で開口部を有する第二弁部材であって、前記上面は切り欠き（スロット）を含み、前記第二弁部材は前記ケース内で前記第一弁部材と係合される第二弁部材を含んでよく、前記第二弁部材の上面は前記第一弁部材の前記上面から距離をおいて配置される。  
【００１７】
第一及び第二弁部材のそれぞれは、第一内径及び前記第一内径より長い第一外径を有する上面を備える第一中空部材と、前記第一中空部材に接続された第二中空部材であって、前記第二中空部材は前記第一内径及び外径のどちらよりも長い第二内径及び前記第一外径より長い第二外径を有する第二中空部材とを含んでよく、前記第一及び第二弁部材は、前記第二弁部材の前記第一中空部材が前記第一弁部材の前記第二中空部材内に受け入れられて支持されるように相互に螺合されるように構成される。  
【００１８】
前記第一及び第二弁部材のそれぞれは、前記第二中空部材に接続された第三部材であって、前記第三中空部材は前記第二内径及び外径のどちらよりも長い第三内径及び前記第一外径より長い第二外径を有する第三部材をさらに含み、前記第一及び第二弁部材は、前記第二弁部材の前記第一中空部材が前記第一弁部材の前記第三中空部材内に受け入れられて支持されるように相互に係合されるように構成される。  
【００１９】
本発明の１つの態様は、田植機の田植え動作に同調して液剤を排出する上記装置を含む田植機に関する。  
【００２０】
本発明の１つの態様は、上記の装置又は田植え機を用いる害虫、真菌及び／又は雑草を防除するための田植え同時液剤散布方法であって、前記液剤を、前記分配部を介して、苗が植え付けられる複数の畝間の１箇所以上に散布する液剤散布方法に関する。  
【００２１】
本発明の１つの態様は、液剤散布方法であって、前記複数の畝間のうち、半数以上の畝間に散布する液剤散布方法に関する。  
【００２２】
本発明の１つの態様は、未処理稲に比較して１０％又は３０％を超えて稲の生長を強化するために上記の装置又は田植え機を使用して液剤を散布する方法に関する。  
【００２３】
本発明の第一態様は、田植機に搭載可能で、前記田植機による田植え動作に同調して液剤を散布する田植機搭載型液剤散布装置に関する。  
【００２４】
この田植機搭載型液剤散布装置の第一態様は、液剤を貯留するタンクと、前記タンクに貯留された液剤を搬送するポンプと、前記ポンプに一端を接続され、前記ポンプを駆動することにより前記タンクから搬出される液剤を通じる第一管路と、前記第一管路の他端を接続された捕気チャンバと、前記捕気チャンバに一端を接続され、前記第一管路及び前記捕気チャンバを介して前記タンクから搬出される液剤を通じる第二管路と、前記第二管路の他端を接続され、前記第一管路、前記捕気チャンバ及び前記第二管路を介して前記タンクから供給された液剤を分配して排出する分配部とを備えている。  
【００２５】
前記第一管路の他端は、前記第二管路の一端よりも前記捕気チャンバの上部に接続されている。  
【００２６】
本発明の第二態様は、前記捕気チャンバ内の空気を排出するための排気部をさらに備え、前記排気部は、前記第一管路の他端よりも前記捕気チャンバの上部に接続されている液剤散布装置に関する。  
【００２７】
本発明の第三態様は、前記捕気チャンバ内の残留液剤を排出するための排液部をさらに備え、前記排液部は、前記第二管路の一端よりも前記捕気チャンバの下部に接続されている液剤散布装置に関する。  
【００２８】
本発明の第四態様は、前記分配部が、前記第二管路の他端を接続された筒状の分配チャンバと、前記分配チャンバに一端を接続され、前記第一管路、前記捕気チャンバ及び前記第二管路を介して前記タンクから前記分配チャンバに供給された液剤を排出する複数の第三管路とを備え、前記複数の第三管路は、前記分配チャンバに、距離をおいて接続されている液剤散布装置に関する。  
【００２９】
本発明の第五態様は、前記複数の第三管路のそれぞれに、内部を通じる液剤に抵抗を付加する弁が設けられている液剤散布装置に関する。  
【００３０】
本発明の第六態様は、田植え機に装着した田植え同時液剤散布装置を用いて、前記液剤を、前記分配部を介して、苗が植え付けられる複数の畝間のいくつかに散布する液剤散布方法に関する。  
【００３１】
本発明の第七態様は、前記複数の畝間のうち、半数以上の畝間に散布する液剤散布方法に関する。  
【００３２】
本発明の第八態様は、液剤が除草剤からなる群から選択された少なくとも１種を含む液剤散布方法に関する。  
【００３３】
本発明の第九態様は、上記除草剤が水田用除草剤である液剤散布方法に関する。  
【００３４】
本発明の第十態様は、上記液剤が、ピリミスルファン、テフリルトリオン、ケトスピラドックス、メソトリオン、ベンゾビシクロン、スルコトリオン、テンボトリオンブロモチド、トリアファモン、プロピリスルフロン、ベンゾスルフロン−メチル、ピラゾスルフロン、イマゾスルフロン、ペノキスラム、ピラクロニル、ペントキサゾン、オキサジアゾン、オキサジアルギル、ブタクロール、プレチラクロール、フェントラザミド、メフェナセット、オキサジクロメフォン、イプフェンカルバゾン及びフェノキサスルホンからなる群から選択された少なくとも１種の化合物を含む液剤散布方法に関する。  
【００３５】
本発明の第十一態様は、上記液剤が、除草剤、植物生長調節剤、殺真菌剤、殺虫剤、殺ダニ剤、殺線虫剤、微生物、軟体動物駆除剤、肥料、毒性緩和剤及び植物強壮性化合物ならびにそれらの組み合わせからなる群から選択された少なくとも１種の化合物を含む液剤散布方法に関する。  
【００３６】
本発明の第十二態様は、上記液剤の水溶性が、１００ｍｇ／Ｌより低く、好ましくは５０ｍｇ／Ｌより低く、最も好ましくは１０ｍｇ／Ｌより低い方法に関する。  
【００３７】
本発明の意味において、水溶性はｐＨ７及び２０℃で計測される数値である。  
【００３８】
本発明の実施形態によれば、田植機が走行した後に植え付けられる複数の畝間のそれぞれに液剤を均一に滴下することができる。滴下された複数の畝のすべてに拡散できるので、均一な防除効果と共に優れた水稲に対する安全性（選択性）が得られる。また、本発明の実施形態に記載の方法は、従来の液剤散布方法と比較して、液剤散布時に直接薬剤が水稲に接触すること防ぐことができ、稲の葉身に対する薬剤の接触薬害を防ぐことができ、また、稲の生長を効果的に強化する。先行技術と比較した本発明のまた別の利点は、液剤の水溶性が極めて低いか中等度である場合でさえ、液剤が均一に拡散させられることである。水溶性が極めて低い活性剤の例はオキサジアルギル（０．３７ｍｇ／Ｌ）であり、水溶性が中等度の活性剤の例はトリアファモン（３９ｍｇ／Ｌ）である。液剤の水溶性が極めて低い場合でさえ、液剤の均一な分散は、雑草、害虫及び／又は真菌の均一な防除を生じさせ、及び／又は作物被害を防止する。
【図面の簡単な説明】
【００３９】
【図１】図１は、本発明の田植機搭載型液剤散布装置１の構造を示す機能ブロック図である。
【図２】図２は、一実施形態に記載の散布部２の構造を示す模式図である。
【図３】図３は、弁の分解斜視図である。
【図４】図４は、本発明の散布装置を田植機に搭載した状態を示す模式図である。
【図５】図５は、さらに別の実施形態による散布部２’の構造を示す模式図である。
【発明を実施するための形態】
【００４０】
以下、本発明を、実施形態に即して、添付の図面を参照しながら詳細に説明する。なお、本明細書において言及する文献については、それらのすべての内容が、本願明細書の内容に組み込まれる。  
【００４１】
図面に共通する要素は、図面内の同一参照符号によって特定されることに留意されたい。
【００４２】
図１及び図２に示すように、一実施形態に記載の田植機搭載型液剤散布装置１は、液剤を散布する散布部２と、田植機による苗の植え付け動作に同調して散布部２に液剤散布を行わせる散布動作制御装置３と、各部の電源としてのバッテリ４とを備えている。なお、バッテリ４は、田植機に既設のバッテリを共用してもよい。  
【００４３】
散布部２は、タンク１０と、ポンプ１２と、第一管路１４と、第二管路１６と、捕気チャンバ（ａｉｒ−ｃａｔｃｈ  ｃｈａｍｂｅｒ）１８と、分配部２０とを備えている。  
【００４４】
タンク１０は、懸濁剤（フロアブル剤）などの液剤を貯留する。ポンプ１２は、液剤をタンク１０から吸引し、液剤を第一及び第二管路１４，１６を通じて分配部２０へ搬送する。ポンプ１２には、いわゆるチューブ・ポンプが採用されている。チューブ・ポンプは、チューブにローラを押し付け、同ローラを回転させることで、チューブに満たされた液剤を同チューブから押し出す構造を有する。  
【００４５】
第一管路１４は、例えばシリコン樹脂などの軟質なチューブであって、ポンプ１２を介して一端１４ａをタンク１０内部に挿入され、他端１４ｂを、略鉛直方向に延びる捕気チャンバ１８に接続されている。第二管路１６は軟質な樹脂チューブであって、捕気チャンバ１８に一端１６ａを接続され、他端１６ｂを分配部２０に接続されている。つまり、チャンバ１８は、第一及び第二管路１４，１６を含む管路内に組み込まれたチャンバであると表現できる。捕気チャンバ１８は、タンク１０から第一管路１４を通じて供給される液剤に含まれる空気を捕捉する。つまり、チャンバ１８は、第一管路１４によって搬送された液剤を受け入れ、受け入れた液剤内に含まれる空気を捕捉する機構であると表現できる。分配部２０は、第一管路１４、捕気チャンバ１８及び第二管路１６を介してタンク１０から供給された液剤を分配して排出する。  
【００４６】
第一管路１４の他端１４ｂは、第二管路１６の一端１６ａよりも捕気チャンバ１８の上部に接続されている。捕気チャンバ１８の内部には、第一管路１４の他端よりも上方に、十分な空間的余地が残されている。捕気チャンバ１８には、チャンバ内の空気を排出するための排気部２２と、チャンバ内の残留液剤を排出するための排液部２５とが設けられている。  
【００４７】
排気部２２は、捕気チャンバ１８の一端２３ａを接続され、他端２３ｂが開放された排気管路２３と、排気管路２３の途中に設けられ、同管路を封止することが可能な排気弁２４とを含む。ここで、排気管路２３は軟質な樹脂チューブであり、その一端２３ａは、第一管路１４の他端１４ｂよりも鉛直方向において捕気チャンバ１８の上部に接続されている。  
【００４８】
排液部２５は、捕気チャンバ１８に一端２６ａを接続され、他端２６ｂが開放された排液管路２６と、排液管路２６の途中に設けられ、同管路を封止することが可能な排液弁２７とを含む。ここで、排液管路２６は軟質な樹脂チューブであり、その一端２６ａは、捕気チャンバ１８に接続されたいずれの管路よりも鉛直方向において捕気チャンバ１８の下部に接続されている。排液弁２７は、散布装置１による作業終了後に捕気チャンバ１８内部の液剤を抜く際に使用される。  
【００４９】
分配部２０は、硬質な材料からなる筒状の分配チャンバ３０と、分配チャンバ３０に一端３２ａを接続され、他端３２ｂが大気に開放された複数の（２以上の）第三管路３２と、第三管路３２のそれぞれに設けられた弁４０とを含む。分配チャンバ３０に接続された第二管路１６の他端１６ｂは、分配チャンバ３０に接続された第三管路３２の一端３２ａよりも高い位置に配置される。チャンバ３０は、チャンバ３０が延びる方向に沿って液剤を搬送できるようにできる限り長い中空形を有していてよい。例えば、チャンバ３０は、円形、楕円形、長方形、三角形及び多角形などを含むがそれらに限定されないいずれかの横断面形を有してよい。  
【００５０】
ほぼ水平方向に延びる分配チャンバ３０は、捕気チャンバ１８よりも低い位置に、田植機に対してほぼ水平を保つように取り付けられる。つまり、第二管路１６の一端１６ａは、同管路の他端１６ｂよりも高い位置に配置される。  
【００５１】
第三管路３２は軟質な樹脂チューブであり、その一端３２ａは、第二管路１６の他端１６ｂよりも鉛直方向において分配チャンバ３０の下部に接続されている。また、第三管路３２の一端３２ａは、同管路の他端３２ｂよりも高い位置に配置される。第三管路３２は、分配チャンバ３０に対し、長手方向に等しい間隔毎に配置されている。なお、第三管路３２の数は、田植機が６条植えの仕様なら５本、８条植えの仕様なら７本とされる。つまり、分配部２０の構造は、第三管路３２のそれぞれの他端が、畝の間隙のそれぞれに対応するように、田植機の仕様に応じて適宜選択される。  
【００５２】
第三管路３２の各管路には、選択的に開いたり閉じたりできるコック３２ｃが包含される。コックは、開くと管路を通じて液剤を流れさせることができる。さらに、コックは、閉じると液剤が管路を通じて流れるのを防止できる。コック３２ｃによって、散布部２は、液剤が各管路３２を通じて意図的でなく流れるのを防止できる。例えば、散布部２が作動していないとき、各コック３２ｃは閉じて液剤が対応する管路３２を通じて流れるのを防ぐことができる。  
【００５３】
弁４０は、第三管路３２から内部に通じる液剤に抵抗を付加する。図３に示すように、弁４０は、二分割式のケース４１と、少なくとも１つの弁部材、例えば、一実施形態においてケース４１の内部に配置されるゴム製の２つの弁部材４２，４３及びゴム製のＯリング４８とを備えている。  
【００５４】
ケース４１には、それぞれが弁部材４２，４３を受け入れるために概して筒状形を備える、雌ケース４４と雄ケース４５が含まれる。  
【００５５】
雌ケース４４の内周面には雌ネジ部４４ａが形成され、雄ケース４５の外周面には雌ネジ部４４ａに螺合される雄ネジ部４５ａが形成されている。そこで、雌ネジ部４４ａと雌ネジ部４５ａは、雌ケース４４を雄ケース４５と螺合できる。また、雌ケース４４には液剤の流入ポート４４ｂが形成され、雄ケース４５には液剤の流出ポート４５ｂが形成されている。流入ポート４４ｂは第三管路３２の上流部分に接続され、流出ポート４５ｂは第三管路３２の下流部分に接続されている。  
【００５６】
弁部材４２，４３は、例えば、まったく同形状で、段階的に径が縮小する円錐状に形成され得る。弁部材４２（又は４３）の先端面には、径方向に走る切り欠き（スロット）４６が形成されている。切り欠き４６は弁部材４２（又は４３）の内外に通じているが、流入ポート４４ｂから流入する液剤に所定の大きさ以上の圧力が作用していない状態では閉じている。液剤に作用する圧力が所定の大きさを超えると、口を開くほうに開放し、流入ポート４４ｂから流出ポート４５ｂに向けて液剤の流通を許す。  
【００５７】
弁部材４２，４３の構造を詳細に説明する。  
【００５８】
図３に示すように、弁部材４２，４３のそれぞれは、管状形を有するように構成できる。具体的には、各弁部材には、第一筒状部材４２ａ（４３ａ）、第一筒状部材４２ａ（４３ａ）に接続された第二筒状部材４２ｂ（４３ｂ）、第二筒状部材４２ｂ（４３ｂ）に接続された第三筒状部材４２ｃ（４３ｃ）及び第三筒状部材４２ｃ（４３ｃ）に接続された第四筒状部材４２ｄ（４３ｄ）が包含される。第一、第二、第三及び第四部材の全部が相互に連通している。  
【００５９】
第一筒状部材４２ａ（４３ａ）は、その上に切り欠き４６が形成される上面（例えば、平らな上面）を有する。上面は、雄ケース４５の流出ポート４５ｂに面している。第四筒状部材４２ｄ（４３ｄ）には、第一、第二及び第三部材を連通する開口部（図３には示していない）がある。この開口部は、雌ケース４４の流入ポート４４ｂに面している。  
【００６０】
第一、第二、第三及び第四筒状部材のそれぞれには、内径と外径がある。各部材の外径は、該部材の内径より長い。第二部材４２ｂ（４３ｂ）の内径は、第一部材４２ａ（４３ａ）の内径と外径のどちらよりも長い。第三部材４２ｃ（４３ｃ）の内径は、第二部材４２ｂ（４３ｂ）の内径と外径のどちらよりも長い。第四部材４２ｄ（４３ｄ）の内径は、第二部材４２ｃ（４３ｃ）の内径と外径のどちらよりも長い。  
【００６１】
弁部材４２が弁部材４３と係合すると、弁部材４３の第一筒状部材４３ａは、弁部材４２の第四、第三及び第二筒状部材４２ｄ，４２ｃ，４２ｂの中に進入できる。しかし、第一部材４３ａは、弁部材４３の第一部材４３ａの外径が第一部材４２ａの内径より長いので、弁部材４２の第一筒状部材４２ａ内には挿入できない。そこで、第一部材４３ａの上面は、弁部材４３が弁部材４２と係合すると第一部材４２ａの上面から距離をおいて配置される。  
【００６２】
弁部材４２，４３の構造に従って下記の利点を得ることができる。具体的には、一方では、液剤中に含まれる例えば夾雑物などの小物質が捕捉されて弁部材４３の切り欠き４６内に残される場合であろう。この場合には、物質は、切り欠き４６を開かせて、液剤の量を意図的ではなく増加させる可能性がある。しかし、また別の切り欠き４６、つまり弁部材４３の切り欠き４６の下方の弁部材４２の切り欠き４６がある。また、弁部材４３の上面と弁部材４２の上面の間の領域内には液剤が満たされた層がある。そこで、弁４０を通って流れる液剤の量は、弁部材４２の切り欠き４６と液剤が満たされた層があるために意図された通りに維持できる。  
【００６３】
他方、液剤中に含まれる小物質が捕捉されて弁部材４２の切り欠き４６内に残されるまた別の場合があろう。この場合には、また別の切り欠き、つまり弁部材４２の切り欠き４６の上方の弁部材４３の切り欠き４６がある。そこで、弁４０を通って流れる液剤の量は、弁部材４３の切り欠き４６があるために意図された通りに維持できる。  
【００６４】
図３は、弁４０が２つの弁部材を受け入れるように構成できる例を示している。しかし、一実施形態では、弁４０は、３つ以上の弁部材を受け入れるように構成できる。当業者であれば、弁４０内により多くの弁部材（切り欠き４６）があるほど、弁４０を通って流れる液剤の量の差が小さくなることを理解できるであろう。
【００６５】
図３は、各弁部材が１つ以上の筒状部材を含む例を示している。しかし、各弁部材は、該１つ以上の部材が液剤を搬送できる限り、いずれかの中空形状を有する１つ以上の部材を含むことができる。例えば、該１つ以上の部材は、円形、楕円形、長方形、三角形及び多角形などを含むがそれらに限定されないいずれかの横断面形を有していてよい。
【００６６】
Ｏリング４８は、ケース４１を構成する雌ケース４４と雄ケース４５との間に介在し、螺合された両者の間を封止する。  
【００６７】
散布動作制御装置３は、田植機の苗床台Ｓの往復動作を回転運動に変換する変換機構、近接スイッチ、制御部などを含んでいる。散布動作制御装置３の構造については、特開２００８−４８６５９号公報に詳細に説明されているので、ここではその説明は省略する。  
【００６８】
散布部２のうち、タンク１０、ポンプ１２及び捕気チャンバ１８は、散布動作制御装置３に含まれる制御部３ａとともに第一ケーシング１３ａに収容され、制御部を除く散布動作制御装置３の各部は、第二ケーシング１３ｂに収容されている。  
【００６９】
図４に示すように、第一ケーシング１３ａ及び分配チャンバ３０は、苗床台Ｓの後方に立てられた門形のフレームＦに固定されている。特に分配チャンバ３０は、第三管路３２の他端３２ｂが、苗を植え付けられる畝間のそれぞれに対応するように、つまり第三管路の他端３２ｂが田植機の掻き取り爪Ｃ間にそれぞれ配置されるように、門形フレームＦに固定されている（図１参照）。第一ケーシング１３ａの取付位置については大きな制限はないが、少なくとも分配チャンバ３０よりも上方に設置されるべきである。  
【００７０】
第二ケーシング１３ｂは、苗床台Ｓの裏面側に固定されている。第二ケーシング１３ｂの固定の仕方についても、上記特開２００８−４８６５９号公報に詳しく説明されているので、ここではその説明は省略する。  
【００７１】
上記のように構成された散布装置１及び１’（散布部２に代えて散布部２’を使用する）を用いて行う防除について説明する。防除のために散布すべき薬剤としては、除草剤、植物生長調節剤、殺真菌剤、殺虫剤、殺ダニ剤、殺線虫剤、微生物、軟体動物駆除剤、肥料、毒性緩和剤及び植物強壮性化合物ならびにそれらの組み合わせが挙げられるが、それらの具体例については後述する。  
【００７２】
まず、苗の束を苗床台Ｓに載せた田植機を圃場に乗り入れ、散布装置１及び１’の主スイッチをＯＮにする。そして、田植機を操縦して苗の植え付け動作を開始すると、苗床台Ｓは掻き取り爪Ｃによる苗の掻き取り動作に同調して往復動作を開始する。この苗床台Ｓの往復動作に同調して、散布動作制御装置３に含まれる近接スイッチが信号を発信する。制御部３ａは、近接スイッチから発信された信号を受信する度に、ポンプ１２を間欠的に駆動する。ポンプ１２は、一回の間欠動作の度に、予め設定された回転量だけローラを回転させ、その回転量に見合う量の液剤を吐出する。なお、ローラの回転量は任意に調節することが可能であり、液剤の種類に応じて一回の間欠動作当たりの液剤の吐出量（すなわち散布量）を変更することができる。また、後述するように、ポンプ１２は、田植機の植え付け動作との同調とは別に上記散布装置１の予備運転などを考慮して単独で連続運転することも可能である。  
【００７３】
ポンプ１２が駆動される度に、すべての第三管路３２の他端３２ｂから液剤が排出される。ここで、第三管路の他端３２ｂは田植機の掻き取り爪Ｃ間にそれぞれ配置されているので、第三管路３２の他端３２ｂから排出された液剤は、結果的に圃場に植え付けられた苗の畝間のすべてに滴下される。つまり、田植機が６条植えの仕様なら、田植機が走行した後に植え付けられる６条の畝の間、つまり５つの畝間すべてに、田植機の走行速度に見合う間隔を空けて間欠的に液剤が滴下される。また、田植機が８条植えの仕様なら、田植機が走行した後に植え付けられる８条の畝の間、つまり７つの畝間すべてに、田植機の走行速度に見合う間隔を空けて間欠的に液剤が滴下される。滴下された液剤は６条から８条の畝のすべてに拡散するので、均一な防除効果が得られる。さらに、田植え時に圃場の水深が浅いときにも薬剤の活性物質が十分に拡散する。  
【００７４】
ところで、上記の説明では、田植機によって植え付けられる複数の畝間のすべてに液剤を滴下するが、液剤の性状によっては、複数の畝間のいくつかに液剤を滴下してもよい。その場合は、第三管路３２のいくつかを、別途用意する封止器具（クリップなど）を使って封止してもよいし、分配部を第三管路３２の数が少ないものに換装してもよい。  
【００７５】
ところで、細く長い管路に液剤を通じる際に最も問題になるのは、管路の途中に空気だまりが残ってしまうことである。このような空気だまりは、液剤の円滑な流通を妨げる要因となる。特に、複数の液剤排出端（３２ｂ）を有する上記散布装置１においては、空気だまりの存在は各排出端からほぼ等量の液剤を散布するにあたって大きな支障となる。  
【００７６】
空気だまりは、散布装置１への初期の通液時に管路の内部に残る場合がほとんどであり、逆にいえば初期の通液時に管路内部から空気を除去できれば、その後の散布運転において空気だまりが生じることはない。  
【００７７】
そこで、上記散布装置１において、空のタンク１０に液剤を満たして装置全体に通液するまでの予備運転について説明する。  
【００７８】
最初に、調製を済ませた液剤をタンク１０に投入する。次に、排気弁２４及び排液弁２７を閉じたうえでポンプ１２を連続的に回転させる。これにより、タンク１０に貯留された液剤が吸出され、吸出された液剤がポンプ１２から吐出される。  
【００７９】
ポンプ１２から吐出された液剤は、第一管路１４の内部に残る空気を第一管路１４の他端１４ｂから押し出すようにして捕気チャンバ１８に流れ込む。これにより、第一管路１４に空気だまりが残ることはほとんどない。  
【００８０】
捕気チャンバ１８に流れ込んだ液剤は捕気チャンバ１８の下部に溜まっていき、第二管路１６の一端１６ａに流れ込む。第二管路１６に流れ込んだ液剤は分配チャンバ３０に流れ込み、続いて複数の第三管路３２の一端３２ａに流れ込む。第三管路３２に流れ込んだ液剤には、弁４０によって流路抵抗が付加されるので、しばらくの間は第三管路３２の他端３２ｂから液剤の排出は起こらず、第一管路１４、捕気チャンバ１８、第二管路１６、分配チャンバ３０及び第三管路３２の一連の経路の内圧は、ポンプ１２による液剤の供給により徐々に高まっていく。この間、特に捕気チャンバ１８から第三管路３２にかけての経路は、液剤の流通が起こらない。  
【００８１】
一方、第三管路３２の一端３２ａは同管路の他端３２ｂよりも高い位置に配置され、第二管路１６の一端１６ａも同管路の他端１６ｂよりも高い位置に配置されている。さらに、分配チャンバ３０に接続された第二管路１６の他端１６ｂは、分配チャンバ３０に接続された第三管路３２の一端３２ａよりも高い位置に配置されている。そのため、液剤の下流に向かう流れがほとんどない状態で、第三管路３２の内部に残る空気は分配チャンバ３０に向かって第三管路３２中を浮かび上がり、分配チャンバ３０の内部に残る空気は第二管路１６に流れ込み、第二管路１６の内部に残る空気は捕気チャンバ１８に向かって第二管路１６中を浮かび上がる。  
【００８２】
つまり、第一管路１４の内部に残る空気は、ポンプ１２の加圧作用によって捕気チャンバ１８に流れ込み、第二管路１６、分配チャンバ３０及び第三管路３２の内部に残る空気は、それぞれの高低差に依存して捕気チャンバ１８に向かって浮かび上がる。このようにして、タンク１０から第三管路３２に至る経路に残る空気は、そのほとんどすべてが捕気チャンバ１８に集まる。  
【００８３】
第一管路１４、捕気チャンバ１８、第二管路１６、分配チャンバ３０及び第三管路３２の一連の経路の内圧が、ポンプ１２による液剤の供給により徐々に高まり、その内圧がついに弁４０によって付加される流路抵抗を上回ると、すべての第三管路３２の他端３２ｂから液剤が排出される。  
【００８４】
第三管路３２の他端３２ｂからの液剤の排出が確認されたら、排気弁２４を開いて捕気チャンバ１８の内部に溜まった空気を抜く。捕気チャンバ１８内部の空気も、上記一連の経路の内圧上昇に依存して加圧されており、大気開放された排気管路２３の他端２３ｂから勢いよく排出される。  
【００８５】
捕気チャンバ１８から空気が排出されたら、排気弁２４を閉じ、ポンプ１２を停止して予備運転を終了する。  
【００８６】
田植機搭載型液剤散布装置１によれば、初期の通液時に上記の予備運転を行うことにより、管路内部の空気をほとんど除去することができる。これにより、その後の散布運転において、管路の途中に空気だまりが生じることはない。その結果、すべての第三管路３２の他端３２ｂから、液剤をほぼ均一に排出、滴下することができる。ここで液剤を均一に滴下するとは、各他端３２ｂからの液剤の滴下量が、すべての他端３２ｂからの液剤の滴下量の平均値から最大５０％乖離してもよく、望ましくは該乖離が３０％以下であり、最も望ましいのは２０％以下であることを意味する。  
【００８７】
また、一実施形態では、散布部２は、図１及び２に示したように液剤を貯留する任意のタンク１０’を含むように構成されてよい。タンク１０’は、管路１１を介してタンク１０に接続されている。管路１１の一端はタンク１０’と連通しており、管路１１の他端はタンク１０と連通している。管路１１はタンク１０’から液剤を吸引し、液剤をタンク１０に搬送するために使用するポンプ１２’を含んでいる。タンク１０の内部には、タンク１０内に含有された液剤の上面が規定レベルに達したかどうか、及び検出の結果に依存してポンプ１２’へ制御信号を送信するセンサ１３が設けられている。タンク１０’は、タンク１０などと一緒にケーシング１３ａの内部に収容できる。  
【００８８】
この立体配置によると、液剤の上面が規定レベルに達したことをセンサ１３が検出すると、センサ１３はポンプ１２’の作動を停止するように制御信号を送信する。これとは反対に、液剤の上面が規定レベルに達していないことをセンサ１３が検出すると、センサ１３はポンプ１２’を作動させるように制御信号を送信する。このため、液剤の上面は規定レベルの近くで維持できる。  
【００８９】
図５は、また別の実施形態による散布部２’の構造を示す模式図である。以下では、また別の実施形態による散布部の構造を詳細に説明する。また別の実施形態に特定の構造だけを説明すること、そして図１〜４を参照して上述したものに共通の構造に関する説明は省略することに留意されたい。  
【００９０】
図５は、また別の実施形態による散布部２’を示している。ポンプ１２は、管路５２を介して分配チャンバ３０に接続されている。管路５２の一端はポンプ１２に接続されており、管路５２の他端はチャンバ３０に接続されている。管路５２は、ポンプ１２によって吸引された液剤をチャンバ３０へ搬送する。  
【００９１】
チャンバ３０とタンク１０との間には追加の管路５４が設けられる。管路５４の一端５４ａはタンク１０に接続されているが、管路５４の他端５４ｂ，５４ｃはチャンバ３０に接続されている。具体的には、例えば、２つの他端５４ｂ，５４ｃは、水平方向に延びるチャンバ３０の両端に接続されてよい。管路５４は、ポンプ１２からチャンバ３０に供給された液剤を受け入れ、受け入れた液剤をタンク１０に搬送する。  
【００９２】
上記の構造によると、チャンバ３０内に空気が存在する場合でさえ、空気は、ポンプ１２によって散布される液剤の流動のためにチャンバ３０のいずれかの端に向かって強制的に移動させることができる。そこで、液剤中で浮遊する傾向のある空気は、最後には他端５４ｂ又は他端５４ｃに達し、次に管路５４に沿って上向きに移動できる。このため、空気は管路５４に沿ってタンク１０へ搬送できる。上記のように、管路５４は管路５２とチャンバ３０によって搬送された液剤を受け入れ、受け入れた液剤中に含有された空気を捕捉するように機能できる。その結果、管路３２に到達できる空気の量を最小限に抑えることができるので、管路３２を通って流れる液剤量差もまた最小限に抑えることができ、一端５４ａからタンク１０内への空気を含有する液剤の排液がタンク１０内の液剤を撹拌するので液剤の分離が防止される。
【００９３】
図５は、管路５４の他端５４ｂ，５４ｃがチャンバ３０の両端に接続されている最良の実施形態を示している。一実施形態では、管路５４の他端５４ｂ，５４ｃは、これらの他端５４ｂ，５４ｃがチャンバ３０内に存在する空気を多かれ少なかれ捕捉できるのでチャンバ３０の両端から離れたいずれかの位置に接続できる。しかしこの場合には、管路５２によって搬送される空気はチャンバ３０の両端近くの位置に到達し、その後管路３２へ下向きに移動できるので、管路３２によって排出される液剤量の差を意図的ではなく増加させる可能性がある。このため、他端５４ｂ，５４ｃは、有益には図５に示したチャンバ３０の両端に接続されてよい。  
【００９４】
さらに、液剤中に含まれる空気は浮遊する傾向があるので、管路５４の他端５４ｂ，５４ｃは有益にも、チャンバ３０の側面もしくは底面に比べてチャンバ３０の上面に接続することができる。しかし一実施形態では、管路５４の他端は、これらの他端がチャンバ３０内に存在する空気を依然として多かれ少なかれ捕捉できるのでチャンバ３０の側面又は底面に接続されてもよい。  
【００９５】
図５を参照して上述したアプローチは、図２を参照して上述したアプローチに代えて、又はそのアプローチと一緒に実行されてよい。つまり、図５に示した構造は、図２に示した構造と協調して動作できる。  
【００９６】
例えば図２及び図５を参照して上述した散布部は、有益にも田植機上に搭載することができる。しかし散布部は、管路（弁）を通じて流れる液剤量の差を最小限に抑えられるように２つ以上の管路（弁）から液剤を排出しなければならない構造を必要とする装置上に搭載することもできる。  
【００９７】
各管路３２は、図２を参照して上述したように、選択的に開いたり閉じたりできるコック３２ｃを含むことができる。一実施形態では、散布部２’の作動が停止されると、各コック３２ｃもまた閉じられる。次に散布部２’の作動が停止してから数時間が経過すると、散布部２’内のどこか（例えば、チャンバ３０、管路５２，５４など）で空気が発生する場合がある。そこで散布部２’の作動が開始されると、各管路３２に通して液剤を排出する前に、ポンプ１２は各コック３２ｃを閉じて作動させることができる。ポンプ１２を１〜３分間作動させることによって、散布部２’内で生成された空気を管路５４によって捕捉してタンク１０に返送することができる。このため、チャンバ３０内に含まれる空気の量を最小限に抑えることができる。次に、各管路３２が液剤を排出できるように各コック３２を開くことができる。  
【００９８】
さらに、一実施形態では、管路５４は、図５に示したように、管路５４の一端５４ａの近くにある上述した弁４０と同一の弁を含むことができる。弁４０を用いると、管路５４の一端５４ａを通じて流れる液剤の圧力は、各管路３２の端３２ｂを通じて流れる液剤と平衡するように調整できる。図５は弁４０をタンク１０の内部に設けられることを示しているが、弁４０はタンク１０の外側に設けることもできる。  
【００９９】
図２を参照して説明した実施形態におけるのと同様に、任意のタンク１０’及びタンク１０’に関連する要素（管路１１、ポンプ１２’及びセンサ１３を含む）を使用すると、図５を参照して説明した実施形態に規定したレベルの近くでタンク１０内に含まれる液剤の上面を維持できる。  
【０１００】
防除に使用される除草剤及び植物生長調節剤としては、例えば、アセト乳酸シンターゼ、アセチル−ＣｏＡカルボキシラーゼ、セルロースシンターゼ、エノールピルビルシキミ酸−３−リン酸シンターゼ、グルタミンシンターゼ、ｐ−ヒドロキシフェニルピルビン酸ジオキシゲナーゼ、フィトエンデサチュラーゼ、光化学系Ｉ（ｐｈｏｔｏ  ｓｙｓｔｅｍ  Ｉ）、光化学系ＩＩ（ｐｈｏｔｏ  ｓｙｓｔｅｍ  ＩＩ）、プロトポルフィリノーゲンオキシダーゼ、の阻害剤として作用する既知の活性物質であり、例えば、Ｗｅｅｄ  Ｒｅｓｅａｒｃｈ  ２６（１９８６）４４１−４４５又は「Ｔｈｅ  Ｐｅｓｔｉｃｉｄｅ  Ｍａｎｕａｌ」、第１５版，Ｔｈｅ  Ｂｒｉｔｉｓｈ  Ｃｒｏｐ  Ｐｒｏｔｅｃｔｉｏｎ  Ｃｏｕｎｃｉｌ  ａｎｄ  ｔｈｅ  Ｒｏｙａｌ  Ｓｏｃ．ｏｆ  Ｃｈｅｍｉｓｔｒｙ，２００６及びその中に引用された文献に記載されている。  
【０１０１】
より具体的には、除草剤は、例えば、以下の活性物質（化合物は、国際標準化機構（ＩＳＯ）に準じた「一般名称」によるか、又は化学名もしくはコード番号によって記載される）が挙げられる。そして、常に、酸、塩、エステルのようなすべての応用形態、ならびに異性体、例えば立体異性体及び光学異性体のような変形型を含む。例として、少なくとも１つの応用形態及び／又は変形型を以下に記載する：  アセトクロル、アシベンゾラル、アシベンゾラル−Ｓ−メチル、アシフルオルフェン、アシフルオルフェン−ナトリウム、アクロニフェン、アラクロール、アリドクロール、アロキシジム、アロキシジム−ナトリウム、アメトリン、アミカルバゾン、アミドクロル、アミドスルフロン、アミノシクロピラクロル、アミノシクロピラクロル−メチル、アミノシクロピラクロル−カリウム、アミノピラリド、アミトロール、スルファミン酸アンモニウム、アンシミドール、アニロホス、アスラム、アトラジン、アザフェニジン、アジムスルフロン、アジプロトリン、ベフルブタミド、ベナゾリン、ベナゾリン−エチル、ベンカルバゾン、ベンフルラリン、ベンフレセート、ベンスリド、ベンスルフロン、ベンスルフロン−メチル、ベンタゾン、ベンズフェンジゾン、ベンゾビシクロン、ベンゾフェナップ、ベンゾフルオル、ベンゾイルプロップ、ビシクロピロン、ビフェノックス、ビラナホス、ビラナホス−ナトリウム、ビスピリバック、ビスピリバック−ナトリウム、ブロマシル、ブロモブチド、ブロモフェノキシム、ブロモキシニル、ブロモキシニル−ブチレート、−カリウム、−ヘプタノエート及びオクタノエート、ブロムロン、ブミナホス、ブソキシノン、ブタクロール、ブタフェナシル、ブタミホス、ブテナクロール、ブトラリン、ブトロキシジム、ブチレート、カフェンストロール、カルベタミド、カルフェントラゾン、カルフェントラゾン−エチル、クロメトキシフェン、クロランベン、クロラジホップ、クロラジホップ−ブチル、クロルブロムロン、クロルブファム、クロルフェナク、クロルフェナク−ナトリウム、クロルフェンプロップ、クロルフルレノール、クロルフルレノール−メチル、クロリダゾン、クロリムロン、クロリムロン−エチル、クロルメコート−クロリド、クロルニトルフェン、クロロフタリム、クロルタール−ジメチル、クロロトルロン、クロルスルフロン、シニドン、シニドン−エチル、シンメトリン、シノスルフロン、クレトジム、クロジナホップ、クロジナホップ−プロパルギル、クロフェンセット、クロマゾン、クロメプロップ、クロプロップ、クロピラリド、クロランスラム、クロランスラム−メチル、クミルロン、シアナミド、シアナジン、シクラニリド、シクロエート、シクロピリモレート、シクロスルファムロン、シクロキシジム、シクルロン、シハロホップ、シハロホップ−ブチル、シペルコート、シプラジン、シプラゾール、２，４−Ｄ、２，４−Ｄ−、−ブチル、−ジメチルアンモニウム、−ジオラミン、−エチル、−２−エチルヘキシル、イソブチル、−イソオクチル、−イソプロピルアンモニウム、−カリウム及びトリイソプロパノールアンモニウム、、２，４−ＤＢ、２，４−ＤＢ−ブチル、−ジメチルアンモニウム、−イソオクチル、−カリウム及びナ���リウム、ジアムロン（ダイムロン）、ダラポン、ダミノジド、ダゾメット、ｎ−デカノール、デスメジファム、デスメトリン、デトシル−ピラゾレート（ＤＴＰ）、ダイアレート、ジカンバ、ジクロベニル、ジクロルプロップ、ジクロルプロップ−Ｐ、ジクロホップ、ジクロホップ−メチル、ジクロホップ−Ｐ−メチル、ジクロスラム、ジエタチル、ジエタチル−エチル、ジフェノクスロン、ジフェンゾコート、ジフルフェニカン、ジフルフェンゾピル、ジフルフェンゾピル−ナトリウム、ジケグラック−ナトリウム、ジメフロン、ジメピペレート、ジメタクロール、ジメタメトリン、ジメテナミド、ジメテナミド−Ｐ、ジメチピン、ジメトラスルフロン、ジニトラミン、ジノセブ、ジノテルブ、ジフェナミド、ジプロペトリン、ジクワット、ジクワット−ジブロミド、ジチオピル、ジウロン、ＤＮＯＣ、エグリナジン−エチル、エンドタール、ＥＰＴＣ、エスプロカルブ、エタルフルラリン、エタメトスルフロン、エタメトスルフロン−メチル、エテホン、エチジムロン、エチオジン、エトフメセート、エトキシフェン、エトキシフェン−エチル、エトキシスルフロン、エトベンザニド、Ｆ−５２３１、すなわちＮ−［２−クロロ−４−フルオロ−５−［４−（３−フルオロプロピル）−４，５−ジヒドロ−５−オキソ−１Ｈ−テトラゾール−１−イル］フェニル］−エタンスルホンアミド、Ｆ−７９６７，すなわち３−［７−クロロ−５−フルオロ−２−（トリフルオロメチル）−１Ｈ−ベンズイミダゾール−４−イル］−１−メチル−６−（トリフルオロメチル）ピリミジン−２，４−（１Ｈ，３Ｈ）−ジオン、フェノプロップ、フェノキサプロップ、フェノキサプロップ−Ｐ、フェノキサプロップ−エチル、フェノキサプロップ−Ｐ−エチル、フェノキサスルフォン、フェントラザミド、フェヌロン、フラムプロップ、フラムプロップ−Ｍ−イソプロピル、フラムプロップ−Ｍ−メチル、フラザスルフロン、フロラスラム、フルアジホップ、フルアジホップ−Ｐ、フルアジホップ−ブチル、フルアジホップ−Ｐ−ブチル、フルアゾレート、フルカルバゾン、フルカルバゾン−ナトリウム、フルセトスルフロン、フルクロラリン、フルフェナセット（チアフルアミド）、フルフェンピル、フルフェンピル−エチル、フルメトラリン、フルメツラム、フルミクロラック、フルミクロラック−ペンチル、フルミオキサジン、フルミプロピン、フルオメツロン、フルオロジフェン、フルオログリコフェン、フルオログリコフェン−エチル、フルポキサム、フルプロパシル、フルプロパネート、フルピルスルフロン、フルピルスルフロン−メチル−ナトリウム、フルレノール、フルレノール−ブチル、−ジメチルアンモニウム及びメチル、フルリドン、フルロクロリドン、フルロキシピル、フルロキシピル−メプチル、フルルプリミドール、フルルタモン、フルチアセット、フルチアセット−メチル、フルチアミド、ホメサフェン、ホメサフェン−ナトリウム、ホラムスルフロン、ホルクロルフェニュロン、ホサミン、フリルオキシフェン、ジベレリン酸、グルホシネート、グルホシネート−アンモニウム、グルホシネート−Ｐ、グルホシネート−Ｐ−アンモニウム、グルホシネート−Ｐ−ナトリウム、グリホセート、グリホセート−���ソプロピルアンモニウム、−アンモニウム、ジアンモニウム、ジメチルアンモニウム、−カリウム、−ナトリウム及びトリメシウム、Ｈ−９２０１、すなわちＯ−（２，４−ジメチル−６−ニトロフェニル）−Ｏ−エチル−イソプロピルホスホルアミドチオエート、、ハラウキシフェン、ハロサフェン、ハロスルフロン、ハロスルフロン−メチル、ハロキシホップ、ハロキシホップ−Ｐ、ハロキシホップ−エトキシエチル、ハロキシホップ−Ｐ−エトキシエチル、ハロキシホップ−メチル、ハロキシホップ−Ｐ−メチル、ヘキサジノン、ＨＷ−０２、すなわち１−（ジメトキシホスホリル）−エチル−（２，４−ジクロロフェノキシ）アセテート、イマザメタベンズ、イマザメタベンズ−メチル、イマザモックス、イマザモックス−アンモニウム、イマザピック、イマザピル、イマザピル−イソプロピルアンモニウム、イマザキン、イマザキン−アンモニウム、イマゼタピル、イマゼタピル−アンモニウム、イマゾスルフロン、イナベンフィド、インダノファン、インダジフラム、インドール−３−イル酢酸（ＩＡＡ）、４−インドール−３−イル酪酸（ＩＢＡ）、ヨードスルフロン、ヨードスルフロン−メチル−ナトリウム、イオフェンスルフロン、イオフェンスルフロン−ナトリウム、イオキシニル、イオキシニル−オクタノエート、−カリウム及びナトリウム、イプフェンカルバゾン、イソカルバミド、イソプロパリン、イソプロツロン、イソウロンイソキサベン、イソキサクロトール、イソキサフルトール、イソキサピリホップ、カルブチレート、ＫＵＨ−０４３、すなわち３−（｛［５−（ジフルオロメチル）−１−メチル−３−（トリフルオロメチル）−１Ｈ−ピラゾール−４−イル］メチル｝スルホニル）−５，５−ジメチル−４，５−ジヒドロ−１，２−オキサゾール、カルブチレート、ケトスピラドックス、ラクトフェン、レナシル、リニュロン、マレイン酸ヒドラジド、ＭＣＰＡ、ＭＣＰＡ−ブトチル、−ジメチルアンモニウム、−２−エチルヘキシル、イソプロピルアンモニウム、−カリウム及びナトリウム、ＭＣＰＢ、ＭＣＰＢ−メチル、−エチル及びナトリウム、メコプロップ、メコプロップ−ナトリウム、メコプロップ−ブトチル、メコプロップ−Ｐ−ブトチル、メコプロップ−Ｐ、メコプロップ−Ｐ−ジメチルアンモニウム、メコプロップ−Ｐ−２−エチルヘキシル、メコプロップ−Ｐ−カリウム、メフェナセット、メフルイジド、メピコート−クロリド、メソスルフロン、メソスルフロン−メチル、メソトリオン、メタベンズチアズロン、メタム、メタミホップ、メタミトロン、メタザクロール、メタザスルフロン、メタベンズチアズロン、メタゾール、メチオピルスルフロン、メチオゾリン、メトキシフェノン、メチルダイムロン、１−メチルシクロプロペン、イソチオシアン酸メチル、メトベンズロン、メトブロムロン、メトラクロール、Ｓ−メトラクロール、メトスラム、メトクスロン、メトリブジン、メトスルフロン、メトスルフロン−メチル、モリネート、モナリド、モノカルバミド、モノカルバミド二水素硫酸塩、モノリニュロン、モノスルフロン、モノスルフロンエステル、モニュロン、ＭＴ  １２８、すなわち６−クロロ−Ｎ−［（２Ｅ）−３−クロロプロップ−２−エン−１−��ル］−５−メチル−Ｎ−フェニルピリダジン−３−アミン、ＭＴ−５９５０、すなわちＮ−［３−クロロ−４−（１−メチルエチル）−フェニル］−２−メチルペンタンアミド、ＮＧＧＣ−０１１、ナプロアニリド、ナプロパミド、ナプタラム、ＮＣ−３１０、すなわち４−（２，４−ジクロロベンゾイル）−１−メチル−５−ベンジルオキシピラゾール、ネブロン、ニコスルフロン、ニピラクロフェン、ニトラリン、ニトロフェン、ニトロフェノラト−ナトリウム（異性体混合物）、ニトロフルオルフェン、ノナン酸、ノルフルラゾン、オレイン酸（脂肪酸）、オルベンカルブ、オルソスルファムロン、オリザリン、オキサジアルギル、オキサジアゾン、オキサスルフロン、オキサジクロメフォン、オキシフルオルフェン、パクロブトラゾール、パラコート、パラコート−ジクロリド、ペブレート、ペラルゴン酸（ノナン酸）、ペンジメタリン、ペンドラリン、ペノキススラム、ペンタノクロル、ペンタクロルフェノール、ペントキサゾン、ペルフルイドン、ペトキサミド、石油、フェニソファム、フェンメジファム、フェンメジファム−エチル、ピクロラム、ピコリナフェン、ピノキサデン、ピペロホス、ピリフェノップ、ピリフェノップ−ブチル、プレチラクロール、プリミスルフロン、プリミスルフロン−メチル、プロベナゾール、プロフルアゾール、プロシアジン、プロジアミン、プリフルラリン、プロホキシジム、プロヘキサジオン、プロヘキサジオン−カルシウム、プロヒドロジャスモン、プロメトン、プロメトリン、プロパクロル、プロパニル、プロパキザホップ、プロパジン、プロファム、プロピソクロール、プロポキシカルバゾン、プロポキシカルバゾン−ナトリウム、プロピリスルフロン、プロピザミド、プロスルファリン、プロスルホカルブ、プロスルフロン、プリナクロール、ピラクロニル、ピラフルフェン、ピラフルフェン−エチル、ピラスルホトール、ピラゾリネート（ピラゾレート）、ピラゾスルフロン、ピラゾスルフロン−エチル、ピラゾキシフェン、ピリバムベンズ、ピリバムベンズ−イソプロピル、ピリバムベンズ−プロピル、ピリベンゾキシム、ピリブチカルブ、ピリダフォル、ピリデート、ピリフタリド、ピリミノバック、ピリミノバック−メチル、ピリミスルファン、ピリチオバック、ピリチオバック−ナトリウム、ピロキサスルホン、ピロキシスラム、キンクロラック、キンメラック、キノクラミン、キザロホ
ップ、キザロホップ−エチル、キザロホップ−Ｐ、キザロホップ−Ｐ−エチル、キザロホップ−Ｐ−テフリル、リムスルフロン、サフルフェナシル、セクブメトン、セトキシジム、シデュロン、シマジン、シメトリン、ＳＮ−１０６２７９、すなわちメチル−（２Ｒ）−２−（｛７−［２−クロロ−４−（トリフルオロメチル）フェノキシ］−２−ナフチル｝オキシ）プロパノアート、スルコトリオン、スルファレート（ＣＤＥＣ）、スルフェントラゾン、スルホメツロン、スルホメツロン−メチル、スルホセート（グリホセート−トリメシウム）、スルホスルフロン、ＳＷ−０６５、ＳＹＮ−５２３、ＳＹＰ−２４９、すなわち１−エトキシ−３−メチル−１−オキソブト−３−エン−２−イル−５−［２−クロロ−４−（トリフルオロメチル）フェノキシ］−２−ニトロベンゾエート、ＳＹＰ−３００、すなわち１−［７−フルオロ−３−オキソ−４−（プロプ−２−イン−１−イル）−３，４−ジヒドロ−２Ｈ−１，４−ベンゾオキサジン−６−イル］−３−プロピル−２−チオキソイミダゾリジン−４，５−ジオン、２，３，６−ＴＢＡ、テブタム、テブチウロン、テクナゼン、テブチウロン、テフリルトリオン、テンボトリオン、テプラロキシジム、テルバシル、テルブカルブ、テルブクロル、テルブメトン、テルブチラジン、テルブトリン、テニルクロール、チアフルアミド、チアザフルロン、チアゾピル、チジアジミン、チジアズロン、チエンカルバゾン、チエンカルバゾン−メチル、チフェンスルフロン、チフェンスルフロン−メチル、チオベンカルブ、チオカルバジル、トプラメゾン、トラルコキシジム、トリアファモン、トリアラート、トリアスルフロン、トリアジフラム、トリアゾフェナミド、トリベヌロン、トリベヌロン−メチル、トリクロロ酢酸（ＴＣＡ）、テブチウロン、トリクロピル、トリジファン、トリエタジン、トリフロキシスルフロン、トリフロキシスルフロン−ナトリウム、トリフルラリン、トリフルスルフロン、トリフルスルフロン−メチル、トリメツロン、トリネキサパック、トリネキサパック−エチル、トリトスルフロン、チトデフ、ユニコナゾール、ユニコナゾール−Ｐ、ウレア硫酸塩、ベルノレート、ＺＪ−０８６２、すなわち３，４−ジクロロ−Ｎ−｛２−［４，６−ジメトキシピリミジン−２−イル）オキシ］ベンジル｝アニリン、及び以下の化合物：  
【化１】
2018102301.tif 000003
【０１０２】
以下、本発明に使用できる除草剤の例を、作用機序毎に分類して例示する。  
【０１０３】
（１）アセチルＣｏＡカルボキシラーゼ（ＡＣＣａｓｅ）阻害剤  アリールオキシフェノキシプロピオン酸系ＡＣＣａｓｅ阻害剤：クロジナホップ・プロパルギル、シハロホップ・ブチル、ジクロホップ・メチル、フェノキサプロップ・Ｐ・エチル、フルアジホップ・Ｐ・ブチル、ハロキホップ・Ｒ・メチル、プロパキザホップ、キザロホップ・Ｐ・エチル、メタミホップ、  シクロヘキサンジオン系ＡＣＣａｓｅ阻害剤：アロキシジム、ブトロキシジム、クレソジム、シクロキシジム、プロホキシジム、セトキシジム、テプラロキシジム、トラルコキシジム  フェニルピラゾリン系ＡＣＣａｓｅ阻害剤：ピノキサデン（２）アセト乳酸合成酵素（ＡＬＳ）阻害剤  スルホニルウレア系ＡＬＳ阻害剤：アミドスルフロン、アジムスルフロン、ベンスルフロン・メチル、クロリムロン・エチル、クロルスルフロン、シノスルフロン、シクロスルファムロン、エタメトスルフロン・メチル、エトキシスルフロン、フラザスルフロン、フルピルスルフロン・メチル・Ｎａ、ホラムスルフロン、ハロスルフロン・メチル、イマゾスルフロン、ヨードスルフロン、メソスルフロン・メチル、メトスルフロン・メチル、ニコスルフロン、オキサスルフロン、プリミスルフロン・メチル、ピラゾスルフロン・エチル、リムスルフロン、スルホメツロン・メチル、スルホスルフロン、チフェンスルフロン・メチル、トリアスルフロン、トリベニュロン・メチル、トリフロキシスルフロン、トリフルスルフロン・メチル、トリトスルフロン、オルトスルファムロン、ＴＨ５４７、ＮＣ６２０  イミダゾリノン系（ＡＬＳ）阻害剤：イマザピク、イマザメタベンズ・メチル、イマザモックス、イマザピル、イマザキン、イマゼタピル  トリアゾロピリミジン系ＡＬＳ阻害剤：クロランスランスラム・メチル、ジクロスラム、フロラスラム、フルメツラム、メトスラム、ペノキススラム  ピリミジニルサリチル酸系ＡＬＳ阻害剤：ビスピリバック・ナトリウム塩、ピリベンゾキシム、ピリフタリド、ピリチオバック・ナトリウム塩、ピリミノバック・メチル、ピリミスルファン  トリアゾリノン系ＡＬＳ阻害剤：フルカルバゾン・ナトリウム塩、プロポキシカルバゾン・ナトリウム塩、チエンカルバゾン（３）光合成阻害剤（光化学系ＩＩ）  トリアジン系：アメトリン、アトラジン、シアナジン、デスメトリン、ジメタメトリン、プロメトン、プロメトリン、プロパジン、シマジン、シメトリン、テルブメトン、テルブチラジン、テルブトリン、トリエタジン  トリアジノン系：ヘキサジノン、メタミトロン、メトリブジン  トリアゾリノン系：アミカルバゾン  ウラシル系：ブロマシル、レナシル、ターバシル  ピリダジノン系：クロリダゾン  フェニルカーバメート系：デスメディファム、フェンメディファム  ウレア系：クロルブロムロン、クロロトルロン、クロロクスロン、ジメフロン、ジウロン、エチジムロン、フェニュロン、フルオメツロン、イソプロツロン、イソウロン、リニュロン、メタベンズチアズロン、メトブロムロン、メトキスロン、モノリニュロン、ネブロン、シデュロン、テブチウロン  アミド系：プロパニル、ペンタノクロール  ニトリル系：ブロモフェノキシム、ブロモキシニル、アイオキシニル  ベンゾチアジアジノン系：ベンタゾン  フェニルピリダジン系：ピリデート、ピリダフォル（４）光活性化による毒性発現剤（光化学系ＩＩ）  ビピリジニウム系：ジクワット、パラコート（５）プロトポルフィリノーゲンオキシターゼ（ＰＰＯ）阻害剤  ジフェニルエーテル系：アシフルオルフェン、ビフェノックス、クロメトキシフェン、フルオログリコフェン、ホメサフェン、ハロサフェン、ラクトフェン、オキシフルオルフェン、クロメトキシニル  フェニルピラゾール系：フルアゾレート、ピラフルフェン・エチル  Ｎ−フェニルフタルイミド系：シニドン・エチル、フルミオキサジン、フルミクロラック・ペンチル  チアジアゾール系：フルチアセット・メチル、チジアジミン  オキサジアゾール系：オキサジアゾン、オキサジアルギル  トリアゾリノン系：アザフェニジン、カルフェントラゾン・エチル、スルフェントラゾン  オキサゾリジンジオン系：ペントキサゾン  ピリミジンジオン系：ベンズフェンジゾン、ブタフェナシル  その他：ピラクロニル、プロフルアゾール、フルフェンピル・エチル（６）カロチノイド生合成阻害剤  （ａ）ＰＤＳ阻害剤    ピリダジノン系：ノルフルラゾン    ピリジンカルボキシアミド系：ジフルフェニカン、ピコリナフェン    その他：ベフルブタミド、フルリドン、フルロクロリドン、フルルタモン  （ｂ）４−ＨＰＰＤ阻害剤    トリケトン系：メソトリオン、スルコトリオン、ベンゾビシクロン、テフリルトリオン    イソキサゾール系：イソキサクロルトール、イソキサフルトール    ピラゾール系：ベンゾフェナップ、ピラゾリネート、ピラゾキシフェン    その他：ベンゾビシクロン  （ｃ）標的未解明のもの    トリアゾール系：アミトロール    イソキサゾリジノン系：クロマゾン    ジフェニルエーテル系：アクロニフェン（７）ＥＰＳＰ合成酵素阻害剤  グリシン系：グリホサート、グリホサート・トリメシウム塩（８）グルタミン合成酵素阻害剤  ホスフィン酸系：グルホシネート、ビアラホス（９）ＤＨＰ生合成阻害剤  カーバメート系：アシュラム（１０）微小管重合阻害剤  ジニトロアニリン系：ベスロジン、ブトルアリン、ジニトラミン、エタルフルラリン、オリザリン、ペンディメタリン、トリフルラリン  リン酸アミド系：アミプロホスメチル、ブタミホス  ピリジン系：ジチオピル、チアゾピル  ベンズアミド系：プロピザミド、テブタム、クロルタル・ジメチル（１１）有糸分裂・微小管形成阻害剤  カーバメート系：クロルプロファム、プロファム、カルベタミド（１２）超長鎖脂肪酸生合成阻害剤  クロロアセタミド系：アセトクロール、アラクロール、ブタクロール、ジメタクロール、ジメテナミド、メタザクロール、メトラクロール、ペトキサミド、プレチラクロール、プロパクロール、プロピソクロール、テニルクロール  アセタミド系：ジフェナミド、ナプロパミド、ナプロアニリド  オキシアセタミド系：フルフェナセット、メフェナセット  テトラゾリノン系：フェントラザミド  その他：アニロホス、カフェンストロール、ピペロホス（１３）セルロース生合成阻害剤  ニトリル系：ニクロベニル、クロルチアミド  ベンズアミド系：イソキサベン  トリアゾロカルボキサミド系：フルポキサム  キノリンカルボン酸系：キンクロラック（１４）アンカプラー  ジニトロフェノール系：Ｄ���ＯＣ、ジノセブ、ジノテルブ（１５）脂肪酸伸長阻害剤（非ＡＣＣａｓｅ阻害）  チオカーバメート系：ブチレート、シクロエート、ジメピぺレート、ＥＰＴＣ、エスプロカルブ、モリネート、オルベンカルブ、ペブレート、プロスルホカルブ、ベンチオカーブ、ピリブチカルブ、チオカルバジル、トリアレート、バーナレート  リン酸ジチオエート系：ベンスルリド  ベンゾフラン系：ベンフレセート、エトフメセート  クロロカルボニックアシッド系：ＴＣＡ、ダラポン、テトラピオン（１６）オーキシン様除草剤  フェノキシカルボン酸系：クロメプロップ、２，４−Ｄ、２，４−ＤＢ、ジクロプロップ、ＭＣＰＡ、ＭＣＰＢ、ＭＣＰＰ  安息香酸系：クロランベン、ジカンバ、２，３，６−ＴＢＡ  ピリジンカルボン酸系：クロピラリド、フルロキシピル、ピクロラム、トリクロピル、キンクロラック、キンメラック  その他：ベナゾリン・エチル（１７）オーキシン転流阻害剤  ナフタラメート系：ナプタラム、  セミカルバゾン系：ジフルフェンゾピル・ナトリウム塩、（１８）その他（作用機構不明）  アリールアミノプロピオン酸系：フラムプロップ・Ｍ・メチル、フラムプロップ・イソプロピル、  ピラゾリウム系：ジフェンゾコート、  有機ヒ素系：ＤＳＭＡ、ＭＳＭＡ、  その他：ブロモブチド、クロルフルレノール、シンメチリン、クミルロン、ダゾメット、ダイムロン、メチルダイムロン、エトベンザニド、ホサミン、インダノファン、メタム、オキサジクロメホン、オレイン酸、ペラルゴン酸、ピリブチカルブ。  
【０１０４】
また、除草剤として、スルホニルウレア系化合物や、スルホンアニリド系化合物、ベンゾイルシクロヘキサンジオン系化合物、又はその塩からなるものが好ましい。特に好ましい例として、スルホンアニリド系化合物の例としてのピリミスルファン、トリアファモン等が挙げられる。また、ベンゾイルシクロヘキサンジオン系化合物の例としてのテフリルトリオン、ケトスピラドックス、メソトリオン、スルコトリオン、テンボトリオンなどが挙げられる。  
【０１０５】
植物生長調節剤の例は、  アシベンゾラル、アシベンゾラル−Ｓ−メチル、５−アミノレブリン酸、アンシミドール、６−ベンジルアミノプリン、ブラシノリド、カテキン、クロルメコートクロリド、クロプロップ、シクラニリド、３−（シクロプロップ−１−エニル）プロピオン酸、ダミノジド、ダゾメット、ｎ−デカノール、ジケグラック、ジケグラック−ナトリウム、エンドタール、エンドタール−二カリウム、−二ナトリウム及びモノ（Ｎ，Ｎ−ジメチルアルキルアンモニウム）、エテホン、フルメトラリン、フルレノール、フルレノール−ブチル、フルプリミドール、ホルクロルフェニュロン、ジベレリン酸、イナベンフィド、インドール−３−酢酸（ＩＡＡ）、４−インドール−３−イル酪酸、イソプロチオラン、プロベナゾール、ジャスモン酸、マレイン酸ヒドラジド、メピコートクロリド、１−メチルシクロプロペン、メチルジャスモネート、２−（１−ナフチル）アセトアミド、１−ナフチル酢酸、２−ナフチルオキシ酢酸、ニトロフェノレート混合物、パクロブトラゾール、Ｎ−（２−フェニルエチル）−β−アラニン、Ｎ−フェニルフタラミン酸、プロヘキサジオン、プロヘキサジオン−カルシウム、プロヒドロジャスモン、サリチル酸、ストリゴラクトン、テクナゼン、チジアズロン、チアコンタノール、トリネキサパック、トリネキサパック−エチル、チトデフ、ユニコナゾール、ユニコナゾール−Ｐである。  
【０１０６】
防除工程で使用できる、本明細書にそれらの「一般名称」によって規定した混合製剤又はタンクミックス中の殺真菌剤の例は公知であり、例えば、ｔｈｅ  Ｐｅｓｔｉｃｉｄｅ  Ｍａｎｕａｌの中に記載されている、又はインターネット（例、ｈｔｔｐ：／／ｗｗｗ．ａｌａｎｗｏｏｄ．ｎｅｔ／ｐｅｓｔｉｃｉｄｅｓ）で検索できる。  
【０１０７】
１）エルゴステロール生合成の阻害剤、例えば（１．１）アルジモルフ、（１．２）アザコナゾール、（１．３）ビテルタノール、（１．４）ブロムコナゾール、（１．５）シプロコナゾール、（１．６）ジクロブトラゾール、（１．７）ジフェノコナゾール、（１．８）ジニコナゾール、（１．９）ジニコナゾール−Ｍ、（１．１０）ドデモルフ、（１．１１）ドデモルフアセテート、（１．１２）エポキシコナゾール、（１．１３）エタコナゾール、（１．１４）フェナリモール、（１．１５）フェンブコナゾール、（１．１６）フェンヘキサミド、（１．１７）フェンプロピジン、（１．１８）フェンプロミモルフ、（１．１９）フルキンコナゾール、（１．２０）フルルプリミドール、（１．２１）フルシラゾール、（１．２２）フルトリアホル、（１．２３）フルコナゾール、（１．２４）フルコナゾール−シス、（１．２５）ヘキサコナゾール、（１．２６）イマザリル、（１．２７）イマザリル硫酸塩、（１．２８）イミベンコナゾール、（１．２９）イプコナゾール、（１．３０）メトコナゾール、（１．３１）ミクロブタニル、（１．３２）ナフチフィン、（１．３３）ヌアリモール、（１．３４）オキシポコナゾール、（１．３５）パクロブトラゾール、（１．３６）ペフラゾエート、（１．３７）ペンコナゾール、（１．３８）ピペラリン、（１．３９）プロクロラズ、（１．４０）プロピコナゾール、（１．４１）プロチオコナゾール、（１．４２）ピリブチカルブ、（１．４３）ピリフェノックス、（１．４４）キンコナゾール、（１．４５）シメコナゾール、（１．４６）スピロキサミン、（１．４７）テブコナゾール、（１．４８）テルビナフィン、（１．４９）テトラコナゾール、（１．５０）トリアジメホン、（１．５１）トリアジメノール、（１．５２）トリデモルフ、（１．５３）トリフルミゾール、（１．５４）トリホリン、（１．５５）トリチコナゾール、（１．５６）ユニコナゾール、（１．５７）ユニコナゾール−ｐ、（１．５８）ビニコナゾール、（１．５９）ボリコナゾール、（１．６０）１−（４−クロロフェニル）−２−（１Ｈ−１，２，４−トリアゾール−１−イル）シクロヘプタノール、（１．６１）メチル１−（２，２−ジメチル−２，３−ジヒドロ−１Ｈ−インデン−１−イル）−１Ｈ−イミダゾール−５−カルボキシレート、（１．６２）Ｎ’−｛５−（ジフルオロメチル）−２−メチル−４−［３−（トリメチルシリル）プロポキシ］フェニル｝−Ｎ−エチル−Ｎ−メチルイミドホルムアミド、（１．６３）Ｎ−エチル−Ｎ−メチル−Ｎ’−｛２−メチル−５−（トリフルオロメチル）−４−［３−（トリメチルシリル）プロポキシ］フェニル｝イミドホルムアミド、（１．６４）Ｏ−［１−（４−メトキシフェノキシ）−３，３−ジメチルブタン−２−イル］１Ｈ−イミダゾール−１−カルボチオエート、（１．６５）ピリソキサゾール。
【０１０８】
２）複合体Ｉ又はＩＩでの呼吸鎖の阻害剤、例えば、（２．１）ビキサフェン、（２．２）ボスカリド、（２．３）カルボキシン、（２．４）ジフルメトリム、（２．５）フェンフラム、（２．６）フルオピラム、（２．７）フルトラニル、（２．８）フルキサピロキサド、（２．９）フラメトピル、（２．１０）フルメシクロックス、（２．１１）イソピラザム（ｓｙｎ−エピマーラセミ化合物１ＲＳ，４ＳＲ，９ＲＳ及び抗エピマーラセミ化合物１ＲＳ，４ＳＲ，９ＳＲの混合物）、（２．１２）イソピラザム（抗エピマーラセミ化合物１ＲＳ，４ＳＲ，９ＳＲ）、（２．１３）イソピラザム（抗エピマーエナンチオマー１Ｒ，４Ｓ，９Ｓ）、（２．１４）イソピラザム（抗エピマーエナンチオマー１Ｓ，４Ｒ，９Ｒ）、（２．１５）イソピラザム（ｓｙｎ−エピマーラセミ化合物１ＲＳ，４ＳＲ，９ＲＳ）、（２．１６）イソピラザム（ｓｙｎ−エピマーエナンチオマー１Ｒ，４Ｓ，９Ｒ）、（２．１７）イソピラザム（ｓｙｎ−エピマーエナンチオマー１Ｓ，４Ｒ，９Ｓ）、（２．１８）メプロニル、（２．１９）オキシカルボキシン、（２．２０）ペンフルエン、（２．２１）ペンチオピラド、（２．２２）セダキサン、（２．２３）チフルザミド、（２．２４）１−メチル−Ｎ−［２−（１，１，２，２−テトラフルオロエトキシ）フェニル］−３−（トリフルオロメチル）−１Ｈ−ピラゾール−４−カルボキサミド、（２．２５）３−（ジフルオロメチル）−１−メチル−Ｎ−［２−（１，１，２，２−テトラフルオロエトキシ）フェニル］−１Ｈ−ピラゾール−４−カルボキサミド、（２．２６）３−（ジフルオロメチル）−Ｎ−［４−フルオロ−２−（１，１，２，３，３，３−ヘキサフルオロプロポキシ）フェニル］−１−メチル−１Ｈ−ピラゾール−４−カルボキサミド、（２．２７）Ｎ−［１−（２，４−ジクロロフェニル）−１−メトキシプロパン−２−イル］−３−（ジフルオロメチル）−１−メチル−１Ｈ−ピラゾール−４−カルボキサミド、（２．２８）５，８−ジフルオロ−Ｎ−［２−（２−フルオロ−４−｛［４−（トリフルオロメチル）ピリジン−２−イル］オキシ｝フェニル）エチル］キナゾリン−４−アミン、（２．２９）ベンゾビンジフルピル、（２．３０）Ｎ−［（１Ｓ，４Ｒ）−９−（ジクロロメチレン）−１，２，３，４−テトラヒドロ−１，４−メタノナフタレン−５−イル］−３−（ジフルオロメチル）−１−メチル−１Ｈ−ピラゾール−４−カルボキサミド、（２．３１）Ｎ−［（１Ｒ，４Ｓ）−９−（ジクロロメチレン）−１，２，３，４−テトラヒドロ−１，４−メタノナフタレン−５−イル］−３−（ジフルオロメチル）−１−メチル−１Ｈ−ピラゾール−４−カルボキサミド、（２．３２）３−（ジフルオロメチル）−１−メチル−Ｎ−（１，１，３−トリメチル−２，３−ジヒドロ−１Ｈ−インデン−４−イル）−１Ｈ−ピラゾール−４−カルボキサミド、（２．３３）１，３，５−トリメチル−Ｎ−（１，１，３−トリメチル−２，３−ジヒドロ−１Ｈ−インデン−４−イル）−１Ｈ−ピラゾール−４−カルボキサミド、（２．３４）１−メチル−３−（トリフルオロメチル）−Ｎ−（１，１，３−トリメチル−２，３−ジヒドロ−１Ｈ−インデン−４−イル）−１Ｈ−ピラゾール−４−カルボキサミド、（２．３５）１−メチル−３−（トリフルオロメチル）−Ｎ−［（３Ｒ）−１，１，３−トリメチル−２，３−ジヒドロ−１Ｈ−インデン−４−イル］−１Ｈ−ピラゾール−４−カルボキサミド、（２．３６）１−メチル−３−（トリフルオロメチル）−Ｎ−［（３Ｓ）−１，１，３−トリメチル−２，３−ジヒドロ−１Ｈ−インデン−４−イル］−１Ｈ−ピラゾール−４−カルボキサミド、（２．３７）３−（ジフルオロメチル）−１−メチル−Ｎ−［（３Ｓ）−１，１，３−トリメチル−２，３−ジヒドロ−１Ｈ−インデン−４−イル］−１Ｈ−ピラゾール−４−カルボキサミド、（２．３８）３−（ジフルオロメチル）−１−メチル−Ｎ−［（３Ｒ）−１，１，３−トリメチル−２，３−ジヒドロ−１Ｈ−インデン−４−イル］−１Ｈ−ピラゾール−４−カルボキサミド、（２．３９）１，３，５−トリメチル−Ｎ−［（３Ｒ）−１，１，３−トリメチル−２，３−ジヒドロ−１Ｈ−インデン−４−イル］−１Ｈ−ピラゾール−４−カルボキサミド、（２．４０）１，３，５−トリメチル−Ｎ−［（３Ｓ）−１，１，３−トリメチル−２，３−ジヒドロ−１Ｈ−インデン−４−イル］−１Ｈ−ピラゾール−４−カルボキサミド、（２．４１）ベノダニル、（２．４２）２−クロロ−Ｎ−（１，１，３−トリメチル−２，３−ジヒドロ−１Ｈ−インデン−４−イル）ピリジン−３−カルボキサミド、（２．４３）Ｎ−［１−（４−イソプロポキシ−２−メチルフェニル）−２−メチル−１−オキソプロパン−２−イル］−３−メチルチオフェン−２−カルボキサミド。
【０１０９】
３）複合体ＩＩＩでの呼吸鎖の阻害剤、例えば、（３．１）アメトクトラジン、（３．２）アミスルブロム、（３．３）アゾキシストロビン、（３．４）シアゾファミド、（３．５）コウメトキシストロビン、（３．６）コウモキシストロビン、（３．７）ジモキシストロビン、（３．８）エノキサストロビン、（３．９）ファモキサドン、（３．１０）フェンアミドン、（３．１１）フルフェノキシストロビン、（３．１２）フルオキサストロビン、（３．１３）クレソキシム−メチル、（３．１４）メトミノストロビン、（３．１５）オリサストロビン。（３．１６）ピコキシストロビン、（３．１７）ピラクロストロビン、（３．１８）ピラメトストロビン、（３．１９）ピラオキシストロビン、（３．２０）ピリベンカルブ、（３．２１）トリクロピリカルブ、（３．２２）トリフロキシストロビン、（３．２３）（２Ｅ）−２−（２−｛［６−（３−クロロ−２−メチルフェノキシ）−５−フルオロピリミジン−４−イル］オキシ｝フェニル）−２−（メトキシイミノ）−Ｎ−メチルアセトアミド、（３．２４）（２Ｅ）−２−（メトキシイミノ）−Ｎ−メチル−２−（２−｛［（｛（１Ｅ）−１−［３−（トリフルオロメチル）フェニル］エチリデン｝アミノ）オキシ］メチル｝フェニル）アセトアミド、（３．２５）（２Ｅ）−２−（メトキシイミノ）−Ｎ−メチル−２−｛２−［（Ｅ）−（｛１−［３−（トリフルオロメチル）フェニル］エトキシ｝イミノ）メチル］フェニル｝アセトアミド、（３．２６）（２Ｅ）−２−｛２−［（｛［（１Ｅ）−１−（３−｛［（Ｅ）−１−フルオロ−２−フェニルビニル］オキシ｝フェニル）エチリデン］アミノ｝オキシ）メチル］フェニル｝−２−（メトキシイミノ）−Ｎ−メチルアセトアミド、（３．２７）フェンアミノストロビン、（３．２８）５−メトキシ−２−メチル−４−（２−｛［（｛（１Ｅ）−１−［３−（トリフルオロメチル）フェニル］エチリデン｝アミノ）オキシ］メチル｝フェニル）−２，４−ジヒドロ−３Ｈ−１，２，４−トリアゾール−３−オン、（３．２９）メチル（２Ｅ）−２−｛２−［（｛シクロプロピル［（４−メトキシフェニル）イミノ］メチル｝スルファニル）メチル］フェニル｝−３−メトキシアクリレート、（３．３０）Ｎ−（３−エチル−３，５，５−トリメチルシクロヘキシル）−３−ホルムアミド−２−ヒドロキシベンズアミド、（３．３１）２−｛２−［（２，５−ジメチルフェノキシ）メチル］フェニル｝−２−メトキシ−Ｎ−メチルアセトアミド、（３．３２）２−｛２−［（２，５−ジメチルフェノキシ）メチル］フェニル｝−２−メトキシ−Ｎ−メチルアセトアミド。  
【０１１０】
４）有糸分裂及び細胞分割の阻害剤、例えば、（４．１）ベノミル、（４．２）カルベンダジム、（４．３）クロルフェナゾール、（４．４）ジエトフェンカルブ、（４．５）エタボキサム、（４．６）フルオピコリド、（４．７）フベリダゾール、（４．８）ペンシクロン、（４．９）チアベンダゾール、（４．１０）チオファネート−メチル、（４．１１）チオファネート、（４．１２）ゾキサミド、（４．１３）５−クロロ−７−（４−メチルピペリジン−１−イル）−６−（２，４，６−トリフルオロフェニル）［１，２，４］トリアゾロ［１，５−ａ］ピリミジン、（４．１４）３−クロロ−５−（６−クロロピリジン−３−イル）−６−メチル−４−（２，４，６−トリフルオロフェニル）ピリダジン。  
【０１１１】
５）多点作用を示すことのできる化合物、例えば、（５．１）ボルドー合剤、（５．２）カプタフォール、（５．３）カプタン、（５．４）クロロタロニル、（５．５）水酸化銅、（５．６）ナフテン酸銅、（５．７）酸化銅、（５．８）オキシ塩化銅、（５．９）硫酸銅（２＋）、（５．１０）ジクロフルアニド、（５．１１）ジチアノン、（５．１２）ドジン、（５．１３）トジン遊離塩基、（５．１４）フェルバム、（５．１５）フルオロフォルペット、（５．１６）フォルペット、（５．１７）グアザチン、（５．１８）酢酸グアザチン、（５．１９）イミノクタジン、（５．２０）イミノクタジンアルベシレート、（５．２１）三酢酸イミノクタジン、（５．２２）マンコッパー、（５．２３）マンコゼブ、（５．２４）マネブ、（５．２５）メチラム、（５．２６）メチラム亜鉛、（５．２７）オキシン−コッパー、（５．２８）プロパミジン、（５．２９）プロピネブ、（５．３０）硫黄及び多硫化カルシウムを含む硫黄製剤、（５．３１）チラム、（５．３２）トリルフルアニド、（５．３３）ジネブ、（５．３４）ジラム、（５．３５）アニラジン。  
【０１１２】
６）宿主防衛を誘導できる化合物、例えば（６．１）アシベンゾラル−Ｓ−メチル、（６．２）イソチアニル、（６．３）プロベナゾール、（６．４）チアジニル、（６．５）ラミナリン。  
【０１１３】
７）アミノ酸及び／又はタンパク質生合成の阻害剤、例えば、（７．１）アンドプリム、（７．２）ブラスチシジン−Ｓ、（７．３）シプロジニル、（７．４）カスガマイシン、（７．５）カスガマイシン塩三水和物、（７．６）メパニピリム、（７．７）ピリメタニル、（７．８）３−（５−フルオロ−３，３，４，４−テトラメチル−３，４−ジヒドロイソキノリン−１−イル）キノリン、（７．９）オキシテトラサイクリン、（７．１０）ストレプトマイシン。
【０１１４】
８）ＡＴＰ産生の阻害剤、例えば、（８．１）酢酸フェンチン、（８．２）塩化フェンチン、（８．３）水酸化フェンチン、（８．４）シルチオファム。  
【０１１５】
９）細胞壁合成の阻害剤、例えば、（９．１）ベンチアバリカルブ、（９．２）ジメトモルフ、（９．３）フルモルフ、（９．４）イプロバリカルブ、（９．５）マンジプロパミド、（９．６）ポリオキシン、（９．７）ポリオキソリム、（９．８）バリダマイシンＡ、（９．９）バリフェナレート、（９．１０）ポリオキシンＢ。  
【０１１６】
１０）脂質及び膜合成の阻害剤、例えば、（１０．１）ビフェニル、（１０．２）クロロネブ、（１０．３）ジクロラン、（１０．４）エジフェンホス、（１０．５）エトリジアゾール、（１０．６）ヨードカルブ、（１０．７）イプロベンホス、（１０．８）イソプロチオラン、（１０．９）プロパモカルブ、（１０．１０）塩酸プロパモカルブ、（１０．１１）プロチオカルブ、（１０．１２）ピラゾホス、（１０．１３）キントゼン、（１０．１４）テクナゼン、（１０．１５）トルクロホス−メチル。    
【０１１７】
１１）メラニン生合成の阻害剤、例えば、（１１．１）カルプロパミド、（１１．２）ジクロシメット、（１１．３）フェノキサニル、（１１．４）フタリド、（１１．５）ピロキロン、（１１．６）トリシクラゾール、（１１．７）２，２，２−トリフルオロエチル｛３−メチル−１−［（４−メチルベンゾイル）アミノ］ブタン−２−イル｝カルバメート。  
【０１１８】
１２）核酸合成の阻害剤、例えば、（１２．１）ベナラキシル、（１２．２）ベナラキシル−Ｍ（キララキシル）、（１２．３）ブピリミエート、（１２．４）クロジラコン、（１２．５）ジメチリモール、（１２．６）エチリモール、（１２．７）フララキシル、（１２．８）ヒメキサゾール、（１２．９）メタラキシル、（１２．１０）メタラキシル−Ｍ（メフェノキサム）、（１２．１１）オフレース、（１２．１２）オキサジキシル、（１２．１３）オキソリン酸、（１２．１４）オクチリノン。
【０１１９】
１３）シグナル伝達の阻害剤、例えば、（１３．１）クロゾリネート、（１３．２）フェニクロニル、（１３．３）フルジオキソニル、（１３．４）イプロジオン、（１３．５）プロシミドン、（１３．６）キノキシフェン、（１３．７）ビンクロゾリン、（１３．８）プロキナジド。
【０１２０】
１４）アンカプラーとして作用できる化合物、例えば、（１４．１）ビナパクリル、（１４．２）ジノカップ、（１４．３）フェリムゾン、（１４．４）フルアジナム、（１４．５）メチルジノカップ。
【０１２１】
１５）また別の化合物、例えば、（１５．１）ベンチアゾール、（１５．２）ベトキサジン、（１５．３）カプシマイシン、（１５．４）カルボン、（１５．５）キノメチオネート、（１５．６）ピリオフェノン（クラザフェノン）、（１５．７）クフラネブ、（１５．８）シフルフェナミド、（１５．９）シモキサニル、（１５．１０）シプロスルファミド、（１５．１１）ダゾメット、（１５．１２）デバカルブ、（１５．１３）ジクロロフェン、（１５．１４）ジクロメジン、（１５．１５）ジフェンゾコート、（１５．１６）ジフェンゾコートメチル硫酸塩、（１５．１７）ジフェニルアミン、（１５．１８）エコメート、（１５．１９）フェンピラザミン、（１５．２０）フルメトベル、（１５．２１）フルオロイミド、（１５．２２）フルスルファミド、（１５．２３）フルチアニル、（１５．２４）フォセチル−アルミニウム、（１５．２５）フォセチル−カルシウム、（１５．２６）フォセチル−ナトリウム、（１５．２７）ヘキサクロロベンゼン、（１５．２８）イルママイシン、（１５．２９）メタスルホカルブ、（１５．３０）メチルイソチオシアネート、（１５．３１）メトラフェノン、（１５．３２）ミルジオマイシン、（１５．３３）ナタマイシン、（１５．３４）ニッケルジメチルジチオカルバメート、（１５．３５）ニトロタール−イソプロピル、（１５．３７）オキサモカルブ、（１５．３８）オキシフェンチイン、（１５．３９）ペンタクロロフェノール及び塩、（１５．４０）フェノトリン、（１５．４１）リン酸及びその塩、（１５．４２）プロパモカルブ−フォセチレート、（１５．４３）プロパノシン−ナトリウム、（１５．４４）ピリモルフ、（１５．４５）（２Ｅ）−３−（４−ｔｅｒｔ−ブチルフェニル）−３−（２−クロロピリジン−４−イル）−１−（モルホリン−４−イル）プロプ−２−エン−１−オン、（１５．４６）（２Ｚ）−３−（４−ｔｅｒｔ−ブチルフェニル）−３−（２−クロロピリジン−４−イル）−１−（モルホリン−４−イル）プロプ−２−エン−１−オン、（１５．４７）ピロールニトリン、（１５．４８）テブフロキン、（１５．４９）テクロフタラム、（１５．５０）トルニファニド、（１５．５１）トリアゾキシド、（１５．５２）トリクラミド、（１５．５３）ザリラミド、（１５．５４）（３Ｓ，６Ｓ，７Ｒ，８Ｒ）−８−ベンジル−３−［（｛３−［（イソブチリルオキシ）メトキシ］−４−メトキシピリジン−２−イル｝カルボニル）アミノ］−６−メチル−４，９−ジオキソ−１，５−ジオキソナン−７−イル２−メチルプロパノエート、（１５．５５）１−（４−｛４−［（５Ｒ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５６）１−（４−｛４−［（５Ｓ）−５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５７）１−（４−｛４−［５−（２，６−ジフルオロフェニル）−４，５−ジヒドロ−１，２−オキサゾール−３−イル］−１，３−チアゾール−２−イル｝ピペリジン−１−イル）−２−［５−メチル−３−（トリフルオロメチル）−１Ｈ−ピラゾール−１−イル］エタノン、（１５．５８）１−（４−メトキシフェノキシ）−３，３−ジメチルメタン−２−イル１Ｈ−イミダゾール−１−カルボキシレート、（１５．５９）２，３，５，６−テトラクロロ−４−（メチルスルホニル）ピリジン、（１５．６０）２，３−ジブチル−６−クロロチエノ［２，３−ｄ］ピリミジン−オン、（１５．６１）２，６−ジメチル−１Ｈ，５Ｈ−［１，４］ジチイノ［２，３−ｃ：５，６−ｃ’］ジピロール−１，３，５，７（２Ｈ，６Ｈ）−テトロン、（１５．６２）２−［５−メチル−３−（トリフルオロメチル）−１Ｈ−ピラゾール−１−イル］−１−（４−｛４−［（５Ｒ）−５−フェニル−４，５−ジヒドロ−１，２−オキサゾール−３−イル］−１，３−チアゾール−２−イル｝ピペリジン−１−イル）エタノン、（１５．６３）２−［５−メチル−３−（トリフルオロメチル）−１Ｈ−ピラゾール−１−イル］−１−（４−｛４−［（５Ｓ）−５−フェニル−４，５−ジヒドロ−１，２−オキサゾール−３−イル］−１，３−チアゾール−２−イル｝ピペリジン−１−イル）エタノン、（１５．６４）２−［５−メチル−３−（トリフルオロメチル）−１Ｈ−ピラゾール−１−イル］−１−｛４−［４−（５−フェニル−４，５−ジヒドロ−１，２−オキサゾール−３−イル）−１，３−チアゾール−２−イル］ピペリジン−１−イル｝エタノン、（１５．６５）２−ブトキシ−６−ヨード−３−プロピル−４Ｈ−クロメン−４−オン、（１５．６６）２−クロロ−５−［２−クロロ−１−（２，６−ジフルオロ−４−メトキシフェニル）−４−メチル−１Ｈ−イミダゾール−５−イル］ピリジン、（１５．６７）２−フェニルフェノール及び塩、（１５．６８）３−（４，４，５−トリフルオロ−３，３−ジメチル−３，４−ジヒドロイソキノリン−１−イル）キノリン、（１５．６９）３，４，５−トリクロロピリジン−２，６−ジカルボニトリル、（１５．７０）３−クロロ−５−（４−クロロフェニル）−４−（２，６−ジフルオロフェニル）−６−メチルピリダジン、（１５．７１）４−（４−クロロフェニル）−５−（２，６−ジフルオロフェニル）−３，６−ジメチルピリダジン、（１５．７２）５−アミノ−１，３，４−チアジアゾール−２−チオール、（１５．７３）５−クロロ−Ｎ’−フェニル−Ｎ’−（プロプ−２−イン−１−イル）チオフェン−２−スルホノヒドラジド、（１５．７４）５−フルオロ−２−［（４−フルオロベンジル）オキシ］ピリミジン−４−アミン、（１５．７５）５−フルオロ−２−［（４−メチルベンジル）オキシ］ピリミジン−４−アミン、（１５．７６）５−メチル−６−オクチル［１，２，４］トリアゾロ［１，５−ａ］ピリミジン−７−アミン、（１５．７７）エチル（２Ｚ）−３−アミノ−２−シアノ−３−フェニルアクリレート、（１５．７８）Ｎ’−（４−｛［３−（４−クロロベンジル）−１，２，４−チアジアゾール−５−イル］オキシ｝−２，５−ジメチルフェニル）−Ｎ−エチル−Ｎ−メチルイミドホルムアミド、（１５．７９）Ｎ−（４−クロロベンジル）−３−［３−メトキシ−４−（プロプ−２−イン−１−イルオキシ）フェニル］プロパンアミド、（１５．８０）Ｎ−［（４−クロロフェニル）（シアノ）メチル］−３−［３−メトキシ−４−（プロプ−２−イン−１−イルオキシ）フェニル］プロパンアミド、（１５．８１）Ｎ−［（５−ブロモ−３−クロロピリジン−２−イル）メチル］−２，４−ジクロロニコチンアミド、（１５．８２）Ｎ−［１−（５−ブロモ−３−クロロピリジン−２−イル）エチル］−２，４−ジクロロニコチンアミド、（１５．８３）Ｎ−［１−（５−ブロモ−３−クロロピリジン−２−イル）エチル］−２−フルオロ−４−ヨードニコチンアミド、（１５．８４）Ｎ−｛（Ｅ）−［（シクロプロピルメトキシ）イミノ］［６−（ジフルオロメトキシ）−２，３−ジフルオロフェニル］メチル｝−２−フェニルアセトアミド、（１５．８５）Ｎ−｛（Ｚ）−［（シクロプロピルメトキシ）イミノ］［６−（ジフルオロメトキシ）−２，３−ジフルオロフェニル］メチル｝−２−フェニルアセトアミド、（１５．８６）Ｎ’−｛４−［（３−ｔｅｒｔ−ブチル−４−シアノ−１，２−チアゾール−５−イル）オキシ］−２−クロロ−５−メチルフェニル｝−Ｎ−エチル−Ｎ−メチルイミドホルムアミド、（１５．８７）Ｎ−メチル−２−（１−｛［５−メチル−３−（トリフルオロメチル）−１Ｈ−ピラゾール−１−イル］アセチル｝ピペリジン−４−イル）−Ｎ−（１，２，３，４−テトラヒドロナフタレン−１−イル）−１，３−チアゾール−４−カルボキサミド、（１５．８８）Ｎ−メチル−２−（１−｛［５−メチル−３−（トリフルオロメチル）−１Ｈ−ピラゾール−１−イル］アセチル｝ピペリジン−４−イル）−Ｎ−［（１Ｒ）−１，２，３，４−テトラヒドロナフタレン−１−イル］−１，３−チアゾール−４−カルボキサミド、（１５．８９）Ｎ−メチル−２−（１−｛［５−メチル−３−（トリフルオロメチル）−１Ｈ−ピラゾール−１−イル］アセチル｝ピペリジン−４−イル）−Ｎ−［（１Ｓ）−１，２，３，４−テトラヒドロナフタレン−１−イル］−１，３−チアゾール−４−カルボキサミド、（１５．９０）ペンチル｛６−［（｛［（１−メチル−１Ｈ−テトラゾール−５−イル）（フェニル）メチレン］アミノ｝オキシ）メチル］ピリジン−２−イル｝カルバメート、（１５．９１）フェナジン−１−カルボン酸、（１５．９２）キノリン−８−オール、（１５．９３）キノリン−８−オール硫酸塩（２：１）、（１５．９４）ｔｅｒｔ−ブチル｛６−［（｛［（１−メチル−１Ｈ−テトラゾール−５−イル）（フェニル）メチレン］アミノ｝オキシ）メチル］ピリジン−２−イル｝カルバメート、（１５．９５）１−メチル−３−（トリフルオロメチル）−Ｎ−［２’−（トリフルオロメチル）ビフェニル−２−イル］−１Ｈ−ピラゾール−４−カルボキサミド、（１５．９６）Ｎ−（４’−クロロビフェニル−２−イル）−３−（ジフルオロメチル）−１−メチル−１Ｈ−ピラゾール−４−カルボキサミド、（１５．９７）Ｎ−（２’，４’−ジクロロビフェニル−２−イル）−３−（ジフルオロメチル）−１−メチル−１Ｈ−ピラゾール−４−カルボキサミド、（１５．９８）３−（ジフルオロメチル）−１−メチル−Ｎ−［４’−（トリフルオロメチル）ビフェニル−２−イル］−１Ｈ−ピラゾール−４−カルボキサミド、（１５．９９）Ｎ−（２’，５’−ジフルオロビフェニル−２−イル）−１−メチル−３−（トリフルオロメチル）−１Ｈ−ピラゾール−４−カルボキサミド、（１５．１００）３−（ジフルオロメチル）−１−メチル−Ｎ−［４’−（プロプ−１−イン−１−イル）ビフェニル−２−イル］−１Ｈ−ピラゾール−４−カルボキサミド、（１５．１０１）５−フルオロ−１，３−ジメチル−Ｎ−［４’−（プロプ−１−イン−１−イル）ビフェニル−２−イル］−１Ｈ−ピラゾール−４−カルボキサミド、（１５．１０２）２−クロロ−Ｎ−［４’−（プロプ−１−イン−１−イル）ビフェニル−２−イル］ニコチンアミド、（１５．１０３）３−（ジフルオロメチル）−Ｎ−［４’−（３，３−ジメチルブト−１−イン−１−イル）ビフェニル−２−イル］−１−メチル−１Ｈ−ピラゾール−４−カルボキサミド、（１５．１０４）Ｎ−［４’−（３，３−ジメチルブト−１−イン−１−イル）ビフェニル−２−イル］−５−フルオロ−１，３−ジメチル−１Ｈ−ピラゾール−４−カルボキサミド、（１５．１０５）３−（ジフルオロメチル）−Ｎ−（４’−エチニルビフェニル−２−イル）−１−メチル−１Ｈ−ピラゾール−４−カルボキサミド、（１５．１０６）Ｎ−（４’−エチニルビフェニル−２−イル）−５−フルオロ−１，３−ジメチル−１Ｈ−ピラゾール−４−カルボキサミド、（１５．１０７）２−クロロ−Ｎ−（４’−エチニルビフェニル−２−イル）ニコチンアミド、（１５．１０８）２−クロロ−Ｎ−［４’−（３，３−ジメチルブト−１−イン−１−イル）ビフェニル−２−イル］ニコチンアミド、（１５．１０９）４−（ジフルオロメチル）−２−メチル−Ｎ−［４’−（トリフルオロメチル）ビフェニル−２−イル］−１，３−チアゾール−５−カルボキサミド、（１５．１１０）５−フルオロ−Ｎ−［４’−（３−ヒドロキシ−３−メチルブト−１−イン−１−イル）ビフェニル−２−イル］−１，３−ジメチル−１Ｈ−ピラゾール−４−カルボキサミド、（１５．１１１）２−クロロ−Ｎ−［４’−（３−ヒドロキシ−３−メチルブト−イン−１−イル）ビフェニル−２−イル］ニコチンアミド、（１５．
１１２）３−（ジフルオロメチル）−Ｎ−［４’−（３−メトキシ−３−メチルブト−１−イン−１−イル）ビフェニル−２−イル］−１−メチル−１Ｈ−ピラゾール−４−カルボキサミド、（１５．１１３）５−フルオロ−Ｎ−［４’−（３−メトキシ−３−メチルブト−１−イン−１−イル）ビフェニル−２−イル］−１，３−ジメチル−１Ｈ−ピラゾール−４−カルボキサミド、（１５．１１４）２−クロロ−Ｎ−［４’−（３−メトキシ−３−メチルブト−１−イン−１−イル）ビフェニル−２−イル］ニコチンアミド、（１５．１１５）（５−ブロモ−２−メトキシ−４−メチルピリジン−３−イル）（２，３，４−トリメトキシ−６−メチルフェニル）メタノン、（１５．１１６）Ｎ−［２−（４−｛［３−（４−クロロフェニル）プロプ−２−イン−１−イル］オキシ｝−３−メトキシフェニル）エチル］−Ｎ２−（メチルスルホニル）バリンアミド、（１５．１１７）４−オキソ−４−［（２−フェニルエチル）アミノ］ブタン酸、（１５．１１８）ブト−３−イン−１−イル｛６−［（｛［（Ｚ）−（１−メチル−１Ｈ−テトラゾール−５−イル）（フェニル）メチレン］アミノ｝オキシ）メチル］ピリジン−２−イル｝カルバメート、（１５．１１９）４−アミノ−５−フルオロピリミジン−２−オール（メソメリー形態：４−アミノ−５−フルオロピリミジン−２（１Ｈ）−オン）、（１５．１２０）プロピル３，４，５−トリヒドロキシベンゾエート、（１５．１２１）１，３−ジメチル−Ｎ−（１，１，３−トリメチル−２，３−ジヒドロ−１Ｈ−インデン−４−イル）−１Ｈ−ピラゾール−４−カルボキサミド、（１５．１２２）、１，３−ジメチル−Ｎ−［（３Ｒ）−１，１，３−トリメチル−２，３−ジヒドロロ−１Ｈ−インデン］−１Ｈ−ピラゾール−４−カルボキサミド、（１５．１２３）１，３−ジメチル−Ｎ−［（３Ｓ）−１，１，３−トリメチル−２，３−ジヒドロ−１Ｈ−インデン−４−イル］−１Ｈ−ピラゾール−４−カルボキサミド、（１５．１２４）［３−（４−クロロ−２−フルオロフェニル）−５−（２，４−ジフルオロフェニル）−１，２−オキサゾール−４−イル］（ピリジン−３−イル）メタノール、（１５．１２５）（Ｓ）−［３−（４−クロロ−２−フルオロフェニル）−５−（２，４−ジフルオロフェニル）−１，２−オキサゾール−４−イル］（ピリジン−３−イル）メタノール、（１５．１２６）（Ｒ）−［３−（４−クロロ−２−フルオロフェニル）−５−（２，４−ジフルオロフェニル）−１，２−オキサゾール−４−イル］（ピリジン−３−イル）メタノール、（１５．１２７）２−｛［３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１２８）１−｛［３−（２−クロロフェニル）−２−（２，４−ジフルオロフェニル）オキシラン−２−イル］メチル｝−１Ｈ−１，２，４−トリアゾール−５−イルチオシアネート、（１５．１２９）５−（アリルスルファニル）−１−｛［３−（２−クロロフェニル）−２−（２，４−ジフルオロフェニル）オキシラン−２−イル］メチル｝−１Ｈ−１，２，４−トリアゾール、（１５．１３０）２−［１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３１）２−｛［レル（２Ｒ，３Ｓ）−３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１３２）２−｛［レル（２Ｒ，３Ｒ）−３−（２−クロロフェニル）−２−（２，４−ジフルオロフェニル）オキシラン−２−イル］メチル｝−２，４−ジヒドロ−３Ｈ−１，２，４−トリアゾール−３−チオン、（１５．１３３）１−｛［レル（２Ｒ，３Ｓ）−３−（２−クロロフェニル）−２−（２，４−ジフルオロフェニル）オキシラン−２−イル］メチル｝−１Ｈ−１，２，４−トリアゾール−５−イルチオシアネート、（１５．１３４）１−｛［レル（２Ｒ，３Ｒ）−３−（２−クロロフェニル）−２−（２，４−ジフルオロフェニル）オキシラン−２−イル］メチル｝−１Ｈ−１，２，４−トリアゾール−５−イルチオシアネート、（１５．１３５）５−（アリルスルファニル）−１−｛［レル（２Ｒ，３Ｓ）−３−（２−クロロフェニル）−２−（２，４−ジフルオロフェニル）オキシラン−２−イル］メチル｝−１Ｈ−１，２，４−トリアゾール、（１５．１３６）５−（アリルスルファニル）−１−｛［レル（２Ｒ，３Ｒ）−３−（２−クロロフェニル）−２−（２，４−ジフルオロフェニル）オキシラン−２−イル］メチル｝−１Ｈ−１，２，４−トリアゾール、（１５．１３７）２−［（２Ｓ，４Ｓ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３８）２−［（２Ｒ，４Ｓ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１３９）２−［（２Ｒ，４Ｒ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４０）２−［（２Ｓ，４Ｒ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４１）２−［（２Ｓ，４Ｓ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４２）２−［（２Ｒ，４Ｓ，５Ｒ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４３）２−［（２Ｒ，４Ｒ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４４）２−［（２Ｓ，４Ｒ，５Ｓ）−１−（２，４−ジクロロフェニル）−５−ヒドロキシ−２，６，６−トリメチルヘプタン−４−イル］−２，４−ジヒドロ−３Ｈ−１，２，４−トリアゾール−３−チオン、（１５．１４５）２−フルオロ−６−（トリフルオロメチル）−Ｎ−（１，１，３−トリメチル−２，３−ジヒドロ−１Ｈ−インデン−４−イル）ベンズアミド、（１５．１４６）２−（６−ベンジルピリジン−２−イル）キナゾリン、（１５．１４７）２−［６−（３−フルオロ−４−メトキシフェニル）−５−メチルピリジン−２−イル］キナゾリン、（１５．１４８）３−（４，４−ジフルオロ−３，３−ジメチル−３，４−ジヒドロイソキノリン−１−イル）キノリン、（１５．１４９）アブシジン酸。  
【０１２２】
クラス（１）〜（１５）のすべての列記した混合パートナーは、それらの官能基がこれを可能にする場合は、適切な塩基又は酸とともに塩を形成できる。  
【０１２３】
防除工程で使用できる、本明細書にそれらの「一般名称」によって規定した混合製剤又はタンクミックス中の殺虫剤／殺ダニ剤／殺線虫剤の例は公知であり、例えば、ｔｈｅ  Ｐｅｓｔｉｃｉｄｅ  Ｍａｎｕａｌ（「Ｔｈｅ  Ｐｅｓｔｉｃｉｄｅ  Ｍａｎｕａｌ」，１４ｔｈ  Ｅｄ．，Ｂｒｉｔｉｓｈ  Ｃｒｏｐ  Ｐｒｏｔｅｃｔｉｏｎ  Ｃｏｕｎｃｉｌ  ２００６）の中に記載され、又はインターネット（例、ｈｔｔｐ：／／ｗｗｗ．ａｌａｎｗｏｏｄ．ｎｅｔ／ｐｅｓｔｉｃｉｄｅｓ）で検索できる。
【０１２４】
（１）アセチルコリンエステラーゼ（ＡＣｈＥ）阻害剤、例えばカルバメート類、例えば、アルナリカルブ、アルジカルブ、ベンジドカルブ、ベンフラカルブ、ブトカルボキシム、ブトキシカルボキシム、カルバリル、カルボフラン、カルボスルファン、エチオフェンカルブ、フェノブカルブ、ホルメタネート、フラチオカルブ、イソプロカルブ、メチオカルブ、メソミル、メトールカルブ、オキサミル、ピリミカルブ、プロポキスル、チオジカルブ、チオファノックス、トリアザメート、トリメタカルブ、ＸＭＣ及びキシリルカルブ；又はオルガノホスフェート類、例えば、アセフェート、アザメチホス、アジンホス−エチル、アジンホス−メチル、カズサホス、クロレトキシホス、クロルフェンビンホス、クロルメホス、クロルピリホス、クロルピリホス−メチル、クマホス、シアノホス、デメトン−Ｓ−メチル、ジアジノン、ジクロルボス／ＤＤＶＰ、ジクロトホス、ジメトエート、ジメチルビンホス、ジスルホトン、ＥＰＮ、エチオン、エトプロホス、ファンファー、フェナミホス、フェニトロチオン、フェンチオン、ホスチアゼート、ヘプテノホス、イミシアホス、イソフェンホス、イソプロピルＯ−（メトキシアミノチオ−ホスホリル）サリチレート、イソキサチオン、メラチオン、メカルバム、メタミドホス、メチダチオン、メビンホス、モノクロトホス、ナレッド、オメトエート、オキシデメトン−メチル、パラチオン、パラチオン−メチル、フェントエート、ホレート、ホサロン、ホスメット、ホスファニドン、ホスキム、ピリミホス−メチル、プロフェノホス、プロペタムホス、プロチオホス、ピラクロホス、ピリダフェンチオン、キナルホス、スルホテップ、テブピリムホス、テメホス、テルブホス、テトラクロルビンホス、チオメトン、トリアゾホス、トリクロルホン及びバミドチオン。
【０１２５】
（２）ＧＡＢＡ作動性塩化物チャネルアンタゴニスト類、例えばシクロジエンオルガノクロリン類、例えばクロルデン及びエンドスルファン；又はフェニルピラゾール類（フィプロール）、例えばエチプロール及びフィプロニル。  
【０１２６】
（３）ナトリウムチャネルモジュレーター類／膜電位依存性ナトリウムチャネルブロッカー類、例えばピレスロイド類、例えばアクリナトリン、アレトリン、ｄ−シス−トランスアレトリン、ｄ−トランスアレトリン、ビフェントリン、ビオアレトリン、ビオアレトリンＳ−シクロペンテニル異性体、ビオレスメトリン、シクロプロトリン、シフルトリン、β−シフルトリン、シハロトリン、λ−シハロトリン、γ−シハロトリン、シペルメトリン、α−シペルメトリン、β−シペルメトリン、θ−シペルメトリン、ζ−シペルメトリン、シフェノトリン［（１Ｒ）−トランス異性体］、デルタメトリン、エムペントリン［（ＥＺ）−（１Ｒ）異性体）、エスフェンバレレート、エトフェンプロックス、フェンプロパトリン、フェンバレレート、フルシトリネート、フルメトリン、τ−フルバリネート、ハルフェンプロックス、イミプロトリン、カデトリン、ペルメトリン、フェノトリン［（１Ｒ）−トランス異性体）、プラレトリン、ピレトリン（ジョチュウギク）、レスメトリン、シラフルオフェン、テフルトリン、テトラメトリン、テトラメトリン［（１Ｒ）異性体）］、トラロメトリン及びトランスフルトリン；又はＤＤＴ；もしくはメトキシクロル。  
【０１２７】
（４）ニコチン性アセチルコリン受容体（ｎＡＣｈＲ）アゴニスト類、例えばネオニコチノイド類、例えばアセタミプリド、クロチアニジン、ジノテフラン、イミダクロプリド、ニテンピラム、チアクロプリド及びチアメトキサム；又はニコチン；又はスルホキサフロル。  
【０１２８】
（５）ニコチン性アセチルコリン受容体（ｎＡＣｈＲ）アロステリック活性化剤類、例えばスピノシン類、例、スピネトラム及びスピノサド。  
【０１２９】
（６）塩化物チャネル活性化剤、例えばアベルメクチン類／ミルベマイシン類、例えば、アバメクチン、エマメクチンベンゾエート、レピメクチン及びミルベメクチン。  
【０１３０】
（７）幼若ホルモンミミック類、例えば幼若ホルモンアナログ類、例えばヒドロプレン、キノプレン及びメトプレン；又はフェノキシカルブ；又はピリプロキシフェン。  
【０１３１】
（８）様々な非特異的（多部位）阻害剤、例えばアルキルハロゲン化物類、例えば、臭化メチル及び他のアルキルハロゲン化物類；又はクロロピクリン；又はフッ化スルフリル；又はホウ砂；又は吐酒石。  
【０１３２】
（９）選択的同翅類採食ブロッカー、例、ピメトロジン；又はフロニカミド。  
【０１３３】
（１０）ダニ生長阻害剤、例えば、クロフェンテジン、ヘキシチアゾクス及びジフロビダジン；又はエトキサゾール（１１）昆虫中腸膜の微生物破壊剤、例えば、バシラス−スリンジエンシス・亜種・イスラエレンシス（Ｂａｃｉｌｌｕｓ  ｔｈｕｒｉｎｇｉｅｎｓｉｓ  ｓｕｂｓｐｅｃｉｅｓ  ｉｓｒａｅｌｅｎｓｉｓ）、バシラス−スリンジエンシス・亜種・アイザワイ（Ｂａｃｉｌｌｕｓ  ｔｈｕｒｉｎｇｉｅｎｓｉｓ  ｓｕｂｓｐｅｃｉｅｓ  ａｉｚａｗａｉ）、バシラス−スリンジエンシス・亜種・クルスタキ（Ｂａｃｉｌｌｕｓ  ｔｈｕｒｉｎｇｉｅｎｓｉｓ  ｓｕｂｓｐｅｃｉｅｓ  ｋｕｒｓｔａｋｉ）、バシラス−スリンジエンシス・亜種・テネブリオニス（Ｂａｃｉｌｌｕｓ  ｔｈｕｒｉｎｇｉｅｎｓｉｓ  ｓｕｂｓｐｅｃｉｅｓ  ｔｅｎｅｂｒｉｏｎｉｓ）及びＢ．ｔ．作物タンパク質：Ｃｒｙ１Ａｂ、Ｃｒｙ１Ａｃ、Ｃｒｙ１Ｆａ、Ｃｒｙ１Ａ．１０５、Ｃｒｙ２Ａｂ、Ｖｉｐ３Ａ、ｍＣｒｙ３Ａ、Ｃｒｙ３Ａｂ、Ｃｒｙ３Ｂｂ、Ｃｒｙ３４  Ａｂ１／３５Ａｂ１；又はバシルス・スファエリクス（Ｂａｃｉｌｌｕｓ  ｓｐｈａｅｒｉｃｕｓ）。  
【０１３４】
（１２）ミトコンドリアＡＴＰシンターゼの阻害剤、例えば、ジアフェンチウロン；又は有機スズ系殺ダニ薬、例えば、アゾシクロチン、シヘキサチン、及び酸化フェンブタスズ；又はプロパルギット；又はテトラジホン（１３）陽子勾配の破壊による酸化的リン酸化のアンカプラー、例えば、クロルフェナピル、ＤＮＯＣ及びスルフラミド。  
【０１３５】
（１４）ニコチン性アセチルコリン受容体（ｎＡＣｈＲ）チャネルブロッカー、例えば、ベンスルタップ、カルタップ塩酸塩、チオシクラム及びチオスルタップ−ナトリウム。  
【０１３６】
（１５）キチン生合成の阻害剤（タイプ０）、例えば、ビストリフルロン、クロルフルアズロン、ジフルベンズロン、フルシクロクスロン、フルフェノクスウロン、ヘキサフルムロン、ルフェヌロン、ノバルロン、ノビフルムロン、テフルベンズウロン及びトリフルムロン。  
【０１３７】
（１６）キチン生合成の阻害剤（タイプ１）、例えば、ブプロフェジン。  
【０１３８】
（１７）脱皮破壊剤、例えばシプロマジン。  
【０１３９】
（１８）エクジソン受容体アゴニスト、例えば、クロマフェノジド、ハロフェノジド、メトキシフェノジド及びテブフェノジド。  
【０１４０】
（１９）オクトパミン受容体アゴニスト、例えば、アミトラズ。  
【０１４１】
（２０）ミトコンドリア複合体ＩＩＩ電子伝達阻害剤、例えば、ヒドラメチルノン；又はアセキノシル；又はフルアクリピリム。  
【０１４２】
（２１）ミトコンドリア複合体Ｉ電子伝達阻害剤、例えばＭＥＴＩ殺ダニ剤、例えば、フェナザキン、フェンピロキシメート、ピリミジフェン、ピリダベン、テブフェンピラド及びトルフェンピラド；又はロテノン（デリス）。  
【０１４３】
（２２）電位依存性ナトリウムチャネルブロッカー、例えば、インドキサカルブ；又はメタフルミゾン。  
【０１４４】
（２３）アセチル−ＣｏＡカルボキシラーゼの阻害剤、例えばテトロン酸及びテトラミン酸誘導体、例えばスピロジクロフェン、スピロメシフェン及びスピロテトラマト。  
【０１４５】
（２４）ミトコンドリア複合体ＩＶ電子伝達阻害剤、例えばホスフィン類、例えばリン化アルミニウム、リン化カルシウム、ホスフィン及びリン化亜鉛；又はシアニド。  
【０１４６】
（２５）ミトコンドリア複合体ＩＩ電子伝達阻害剤、例えば、β−ケトニトリル誘導体、例えばシエノピラフェン及びシフルメトフェン。  
【０１４７】
（２８）リアノジン受容体モジュレーター、例えばジアミド類、例えばクロラントラニリプロール及びフルベンジアミド。  
【０１４８】
作用機序が未知もしくは不明確であるまた別の有効成分、例えば、アミドフルメト、アザジラクチン、ベンクロチアズ、ベンゾキシメート、ビフェナゼート、ブロモプロピレート、キノメチオネート、氷晶石、ジコホール、ジフロビダジン、フルエンスルホン、フルフェネリム、フルフィプロール、フルオピラム、フフェノジド、イミダクロチズ、イプロジオン、メペルフルトリン、ピリダリル、ピリフルキナゾン、テトラメチルフルトリン及びヨードメタン；さらにバシラス・フィルムス（Ｂａｃｉｌｌｕｓ  ｆｉｒｍｕｓ）（菌株ＣＮＣＭＩ−１５８２、例えばＶＯＴｉＶＯ（商標）、ＢｉｏＮｅｍなどを含むがそれらに限定されない）又は以下の公知の活性化合物の内の１つ：３−ブロモ−Ｎ−｛２−ブロモ−４−クロロ−６−［（１−シクロプロピルエチル）カルバモイル］フェニル｝−１−（３−クロロピリジン−２−イル）−１Ｈ−ピラゾール−５−カルボキサミド（国際公開第２００５／０７７９３４号パンフレットから公知）、４−｛［（６−ブロモピリジン−３−イル）メチル］（２−フルオロエチル）アミノ｝フラン−２（５Ｈ）−オン（国際公開第２００７／１１５６４４号パンフレットから公知）、４−｛［（６−フルオロピリジン−３−イル）メチル］（２，２−ジフルオロエチル）アミノ｝フラン−２（５Ｈ）−オン（国際公開第２００７／１１５６４４号パンフレットから公知）、４−｛［（２−クロロ−１，３−チアゾール−５−イル）メチル］（２−フルオロエチル）アミノ｝フラン−２（５Ｈ）−オン（国際公開第２００７／１１５６４４号パンフレットから公知）、４−｛［（６−クロルピリジン−３−イル）メチル］（２−フルオロエチル）アミノ｝フラン−２（５Ｈ）−オン（国際公開第２００７／１１５６４４号パンフレットから公知）、フルピラジフロン、４−｛［（６−クロル−５−フルオロピリジン−３−イル）メチル］（メチル）アミノ｝フラン−２（５Ｈ）−オン（国際公開第２００７／１１５６４３号パンフレットから公知）、４−｛［（５，６−ジクロロピリジン−３−イル）メチル］（２−フルオロエチル）アミノ｝フラン−２（５Ｈ）−オン（国際公開第２００７／１１５６４６号パンフレットから公知）、４−｛［（６−クロロ−５−フルオロピリジン−３−イル）メチル］（シクロプロピル）アミノ｝フラン−２（５Ｈ）−オン（国際公開第２００７／１１５６４３号パンフレットから公知）、４−｛［（６−クロロピリジン−３−イル）メチル］（シクロプロピル）アミノ｝フラン−２（５Ｈ）−オン（欧州特許出願公開第０５３９５８８（Ａ）号パンフレットから公知）、４−｛［（６−クロルピリジン−３−イル）メチル］（メチル）アミノ｝フラン−２（５Ｈ）−オン（欧州特許出願公開第０５３９５８８号パンフレットから公知）、｛［１−（６−クロロピリジン−３−イル）エチル］（メチル）オキシド−λ４−スルファニリデン｝シアナミド（国際公開第２００７／１４９１３４号パンフレットから公知）及びそのジアステレオマー｛［（１Ｒ）−１−（６−クロロピリジン−３−イル）エチル］（メチル）オキシド−λ４−スルファニリデン｝シアナミド（Ａ）及び｛［（１Ｓ）−１−（６−クロロピリジン−３−イル）エチル］（メチル）オキシド−λ４−スルファニリデン｝シアナミド（Ｂ）（国際公開第２００７／１４９１３４号パンフレットから公知）ならびにジアステレオマー［（Ｒ）−メチル（オキシド）｛（１Ｒ）−１−［６−（トリフルオロメチル）ピリジン−３−イル］エチル｝−λ４−スルファニリデン］シアナミド（Ａ１）及びジアステレオマーＡの基（国際公開第２０１０／０７４７４７号パンフレット、国際公開第２０１０／０７４７５１号パンフレットから公知）と呼ばれる［（Ｓ）−メチル（オキシド）｛（１Ｓ）−１−［６−（トリフルオロメチル）ピリジン−３−イル］エチル｝−λ４−スルファニリデン］シアナミド（Ａ２）、［（Ｒ）−メチル（オキシド）｛（１Ｓ）−１−［６−（トリフルオロメチル）ピリジン−３−イル］エチル｝−λ４−スルファニリデン］シアナミド（Ｂ１）及びジアステレオマーＢの基（国際公開第２０１０／０７４７４７号パンフレット、国際公開第２０１０／０７４７５１号パンフレットから公知）と呼ばれる［（Ｓ）−メチル（オキシド）｛（１Ｒ）−１−［６−（トリフルオロメチル）ピリジン−３−イル］エチル｝−λ４−スルファニリデン］シアナミド（Ｂ２）、及び１１−（４−クロロ−２，６−ジメチルフェニル）−１２−ヒドロキシ−１，４−ジオキサ−９−アザスピロ［４．２．４．２］テトラデク−１１−エン−１０−オン（国際公開第２００６／０８９６３３号パンフレットから公知）、３−（４’−フルオロ−２，４−ジメチルビフェニル−３−イル）−４−ヒドロキシ−８−オキサ−１−アザスピロ［４．５］デク−３−エン−２−オン（国際公開第２００８／０６７９１１号パンフレットから公知）、１−｛２−フルオロ−４−メチル−５−［（２，２，２−トリフルオロエチル）スルフィニル］フェニル｝−３−（トリフルオロメチル）−１Ｈ−１，２，４−トリアゾール−５−アミン（国際公開第２００６／０４３６３５号パンフレットから公知）、アフィドピロペン（国際公開第２００８／０６６１５３号パンフレットから公知）、２−シアノ−３−（ジフルオロメトキシ）−Ｎ，Ｎ−ジメチルベンゼンスルホンアミド（国際公開第２００６／０５６４３３号パンフレットから公知）、２−シアノ−３−（ジフルオロメトキシ）−Ｎ−メチルベンゼンスルホンアミド（国際公開第２００６／１００２８８号パンフレットから公知）、２−シアノ−３−（ジフルオロメトキシ）−Ｎ−エチルベンゼンスルホンアミド（国際公開第２００５／０３５４８６号パンフレットから公知）、４−（ジフルオロメトキシ）−Ｎ−エチル−Ｎ−メチル−１，２−ベンゾチアゾール−３−アミン１，１−ジオキシド（国際公開第２００７／０５７４０７号パンフレットから公知）、Ｎ−［１−（２，３−ジメチルフェニル）−２−（３，５−ジメチルフェニル）エチル］−４，５−ジヒドロ−１，３−チアゾール−２−アミン（国際公開第２００８／１０４５０３号パンフレットから公知）、｛１’−［（２Ｅ）−３−（４−クロロフェニル）プロプ−２−エン−１−イル］−５−フルオロスピロ［インドール−３，４’−ピペリジン］−１（２Ｈ）−イル｝（２−クロロピリジン−４−イル）メタノン（国際公開第２００３／１０６４５７号パンフレットから公知）、３−（２，５−ジ��チルフェニル）−４−ヒドロキシ−８−メトキシ−１，８−ジアザスピロ［４．５］デク−３−エン−２−オン（国際公開第２００９／０４９８５１号パンフレットから公知）、３−（２，５−ジメチルフェニル）−８−メトキシ−２−オキソ−１，８−ジアザスピロ［４．５］デク−３−エン−４−イルエチルカーボネート（国際公開第２００９／０４９８５１号パンフレットから公知）、４−（ブト−２−イン−１−イルオキシ）−６−（３，５−ジメチルピペリジン−１−イル）−５−フルオロピリミジン（国際公開第２００４／０９９１６０号パンフレットから公知）、（２，２，３，３，４，４，５，５−オクタフルオロペンチル）（３，３，３−トリフルオロプロピル）マロノニトリル（国際公開第２００５／０６３０９４号パンフレットから公知）、（２，２，３，３，４，４，５，５−オクタフルオロペンチル）（３，３，４，４，４−ペンタフルオロブチル）マロノニトリル（国際公開第２００５／０６３０９４号パンフレットから公知）、８−［２−（シクロプロピルメトキシ）−４−（トリフルオロメチル）フェノキシ］−３−［６−（トリフルオロメチル）ピリダジン−３−イル］−３−アザビシクロ［３．２．１］オクタン（国際公開第２００７／０４０２８０号パンフレットから公知）、フロメトキン、ＰＦ１３６４（ＣＡＳ登録番号：１２０４７７６−６０−２）（特表２０１０／０１８５８６号公報から公知）、５−［５−（３，５−ジクロロフェニル）−５−（トリフルオロメチル）−４，５−ジヒドロ−１，２−オキサゾール−３−イル］−２−（１Ｈ−１，２，４−トリアゾール−１−イル）ベンゾニトリル（国際公開第２００７／０７５４５９号パンフレットから公知）、５−［５−（２−クロロピリジン−４−イル）−５−（トリフルオロメチル）−４，５−ジヒドロ−１，２−オキサゾール−３−イル］−２−（１Ｈ−１，２，４−トリアゾール−１−イル）ベンゾニトリル（国際公開第２００７／０７５４５９号パンフレットから公知）、４−［５−（３，５−ジクロロフェニル）−５−（トリフルオロメチル）−４，５−ジヒドロ−１，２−オキサゾール−３−イル］−２−メチル−Ｎ−｛２−オキソ−２−［（２，２，２−トリフルオロエチル）アミノ］エチル｝ベンズアミド（国際公開第２００５／０８５２１６号パンフレットから公知）、４−｛［（６−クロロピリジン−３−イル）メチル］（シクロプロピル）アミノ｝−１，３−オキサゾール−２（５Ｈ）−オン、４−｛［（６−クロロピリジン−３−イル）メチル］（２，２−ジフルオロエチル）アミノ｝−１，３−オキサゾール−２（５Ｈ）−オン、４−｛［（６−クロロピリジン−３−イル）メチル］（エチル）アミノ｝−１，３−オキサゾール−２（５Ｈ）−オン、４−｛［（６−クロロピリジン−３−イル）メチル］（メチル）アミノ｝−１，３−オキサゾール−２（５Ｈ）−オン（国際公開第２０１０／００５６９２号パンフレットから公知）、ピフルブミド（国際公開第２００２／０９６８８２号パンフレットから公知）、メチル２−［２−（｛［３−ブロモ−１−（３−クロロピリジン−２−イル）−１Ｈ−ピラゾール−５−イル］カルボニル｝アミノ）−５−クロロ−３−メチルベンゾイル］−２−��チルヒドラジンカルボキシレート（国際公開第２００５／０８５２１６号パンフレットから公知）、メチル２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−エチルヒドラジンカルボキシレート（国際公開第２００５／０８５２１６号パンフレットから公知）、メチル２−［２−（｛［３−ブロモ−１−（３−クロロピリジン−２−イル）−１Ｈ−ピラゾール−５−イル］カルボニル｝アミノ）−５−シアノ−３−メチルベンゾイル］−２−メチルヒドラジンカルボキシレート（国際公開第２００５／０８５２１６号パンフレットから公知）、メチル２−［３，５−ジブロモ−２−（｛［３−ブロモ−１−（３−クロロピリジン−２−イル）−１Ｈ−ピラゾール−５−イル］カルボニル｝アミノ）ベンゾイル］−１，２−ジエチルヒドラジンカルボキシレート（国際公開第２００５／０８５２１６号パンフレットから公知）、メチル２−［３，５−ジブロモ−２−（｛［３−ブロモ−１−（３−クロロピリジン−２−イル）−１Ｈ−ピラゾール−５−イル］カルボニル｝アミノ）ベンゾイル］−２−エチルヒドラジンカルボキシレート（国際公開第２００５／０８５２１６号パンフレットから公知）、（５ＲＳ，７ＲＳ；５ＲＳ，７ＳＲ）−１−（６−クロロ−３−ピリジルメチル）−１，２，３，５，６，７−ヘキサヒドロ−７−メチル−８−ニトロ−５−プロポキシイミダゾ［１，２−ａ］ピリジン（国際公開第２００７／１０１３６９号パンフレットから公知）、２−｛６−［２−（５−フルオロピリジン−３−イル）−１，３−チアゾール−５−イル］ピリジン−２−イル｝ピリミジン（国際公開第２０１０／００６７１３号パンフレットから公知）、２−｛６−［２−（ピリジン−３−イル）−１，３−チアゾール−５−イル］ピリジン−２−イル｝ピリミジン（国際公開第２０１０／００６７１３号パンフレットから公知）、１−（３−クロロピリジン−２−イル）−Ｎ−［４−シアノ−２−メチル−６−（メチルカルバモイル）フェニル］−３−｛［５−（トリフルオロメチル）−１Ｈ−テトラゾール−１−イル］メチル｝−１Ｈ−ピラゾール−５−カルボキサミド（国際公開第２０１０／０６９５０２号パンフレットから公知）、１−（３−クロロピリジン−２−イル）−Ｎ−［４−シアノ−２−メチル−６−（メチルカルバモイル
）フェニル］−３−｛［５−（トリフルオロメチル）−２Ｈ−テトラゾール−２−イル］メチル｝−１Ｈ−ピラゾール−５−カルボキサミド（国際公開第２０１０／０６９５０２号パンフレットから公知）、Ｎ−［２−（ｔｅｒｔ−ブチルカルバモイル）−４−シアノ−６−メチルフェニル］−１−（３−クロロピリジン−２−イル）−３−｛［５−（トリフルオロメチル）−１Ｈ−テトラゾール−１−イル］メチル｝−１Ｈ−ピラゾール−５−カルボキサミド（国際公開第２０１０／０６９５０２号パンフレットから公知）、Ｎ−［２−（ｔｅｒｔ−ブチルカルバモイル）−４−シアノ−６−メチルフェニル］−１−（３−クロロピリジン−２−イル）−３−｛［５−（トリフルオロメチル）−２Ｈ−テトラゾール−２−イル］メチル｝−１Ｈ−ピラゾール−５−カルボキサミド（国際公開第２０１０／０６９５０２号パンフレットから公知）、（１Ｅ）−Ｎ−［（６−クロロピリジン−３−イル）メチル］−Ｎ’−シアノ−Ｎ−（２，２−ジフルオロエチル）エタンイミダミン（国際公開第２００８／００９３６０号パンフレットから公知）、Ｎ−［２−（５−アミノ−１，３，４−チアジアゾール−２−イル）−４−クロロ−６−メチルフェニル］−３−ブロモ−１−（３−クロロピリジン−２−イル）−１Ｈ−ピラゾール−５−カルボキサミド（中国特許第１０２０５７９２５号明細書から公知）、メチル２−［３，５−ジブロモ−２−（｛［３−ブロモ−１−（３−クロロピリジン−２−イル）−１Ｈ−ピラゾール−５−イル］カルボニル｝アミノ）ベンゾイル］−２−エチル−１−メチルヒドラジンカルボキシレート（国際公開第２０１１／０４９２３３号パンフレットから公知）、ヘプタフルトリン、ピリミノストロビン、フルフェノキシストロビン及び３−クロロ−Ｎ２−（２−シアノプロパン−２−イル）−Ｎ１−［４−（１，１，１，２，３，３，３−ヘプタフルオロプロパン−２−イル）−２−メチルフェニル］フタラミド（国際公開第２０１２／０３４４７２号パンフレットから公知）。  
【０１４９】
防除工程で使用できる、混合製剤又はタンクミックス中の微生物の例。  
【０１５０】
優れた植物耐性及び温血動物にとって好都合の毒性と組み合わせて環境から良好に忍容される本発明の微生物は、植物及び植物器官を保護するため、収穫高を増加させるため、収穫物質の品質を向上させるため、ならびに農業、園芸、畜産、森林、庭園及びレジャー施設、貯蔵製品及び物質の保護ならびに衛生分野において遭遇する動物害虫、特に昆虫類、クモ類、蠕虫類、線虫類及び軟体類を防除するために適切である。これらは、好ましくは植物保護作用因子として使用できる。これらは、通常であれば感受性及び抵抗性種に対して、ならびに発達の全段階もしくは一部の段階に対して活性である。上記の微生物には、細菌領域由来の微生物、真菌領域由来の微生物、原虫類領域由来の殺虫性微生物、ウイルス領域由来の殺虫性微生物、昆虫病原性線虫の領域由来の微生物が含まれる。  
【０１５１】
下記の群の化合物は、例えば毒性緩和剤と見なされる：Ｓ１）複素環式カルボン酸誘導体の群の化合物：Ｓ１ａ）ジクロロフェニルピラゾリン−３−カルボン酸のタイプの化合物（Ｓ１ａ）、好ましくは国際公開第９１／０７８７４（Ａ）号パンフレットに記載された１−（２，４−ジクロロフェニル）−５−（エトキシカルボニル）−５−メチル−２−ピラゾリン−３−カルボン酸、エチル１−（２，４−ジクロロフェニル）−５−（エトキシカルボニル）−５−メチル−２−ピラゾリン−３−カルボキシレート（Ｓ１−１）（「メフェンピル（−ジエチル）」）などの化合物、及び関連化合物；Ｓ１ｂ）ジクロロフェニルピラゾールカルボン酸（Ｓ１ｂ）の誘導体、好ましくは、欧州特許出願第３３３１３１（Ａ）号明細書及び同第２６９８０６（Ａ）号明細書に記載された例えばエチル１−（２，４−ジクロロフェニル）−５−メチルピラゾール−３−カルボキシレート（Ｓ１−２）、エチル１−（２，４−ジクロロフェニル）−５−イソプロピルピラゾール−３−カルボキシレート（Ｓ１−３）、エチル１−（２，４−ジクロロフェニル）−５−（１，１−ジメチルエチル）ピラゾール−３−カルボキシレート（Ｓ１−４）などの化合物ならびに関連化合物；Ｓ１ｃ）１，５−ジフェニルピラゾール−３カルボン酸の誘導体（Ｓ１ｃ）、好ましくは、例えば欧州特許出願第２６８５５４（Ａ）号明細書に記載された例えばエチル１−（２，４−ジクロロフェニル）−５−フェニルピラゾール−３−カルボキシレート（Ｓ１−５）、メチル１−（２−クロロフェニル）−５−フェニルピラゾール−３−カルボキシレート（Ｓ１−６）などの化合物及び関連化合物；Ｓ１ｄ）トリアゾールカルボン酸のタイプの化合物（Ｓ１ｄ）、好ましくは、欧州特許出願第１７４５６２（Ａ）号明細書及び同第３４６６２０（Ａ）号明細書に記載されたフェンクロラゾール（−エチル）、つまりエチル１−（２，４−ジクロロフェニル）−５−トリクロロメチル−（１Ｈ）−１，２，４−トリアゾール−３−カルボキシレート（Ｓ１−７）化合物ならびに関連化合物；Ｓ１ｅ）５−ベンジル−もしくは５−フェニル−２−イソキサゾリン−３−カルボン酸又は５，５−ジフェニル−２−イソキサゾリン−３カルボン酸のタイプの化合物（Ｓ１ｅ）、好ましくは、国際公開第９１／０８２０２（Ａ）号パンフレットに記載されたエチル５−（２，４−ジクロロベンジル）−２−イソキサゾリン−３−カルボキシレート（Ｓ１−８）もしくはエチル５−フェニル−２−イソキサゾリン−３−カルボキシレート（Ｓ１−９）化合物及び関連化合物、５，５−ジフェニル−２−イソキサゾリンカルボン酸（Ｓ１−１０）もしくはエチル５，５−ジフェニル−２−イソキサゾリンカルボキシレート（Ｓ１−１１）（「イソキサジフェン−エチル」）もしくはｎ−プロピル５，５−ジフェニル−２−イソキサゾリンカルボキシレート（Ｓ１−１２）もしくは国際公開第９５／０７８９７（Ａ）号パンフレットに記載されたエチル５−（４−フルオロフェニル）−５−フェニル−２−イソキサゾリン−３−カルボキシレート（Ｓ１−１３）。  
【０１５２】
Ｓ２）８−キノリンオキシ誘導体の群の化合物（Ｓ２）：Ｓ２ａ）８−キノリンオキシ酢酸のタイプの化合物（Ｓ２ａ）、好ましくは欧州特許出願第８６７５０（Ａ）号明細書、同第９４３４９（Ａ）号明細書及び同第１９１７３６（Ａ）号明細書又は同第０４９２３６６（Ａ）号明細書に記載された１−メチルヘキシル（５−クロロ−８−キノリンオキシ）アセテート（一般名「クロキントセット−メキシル」（Ｓ２−１）、１，３−ジメチル−ブト−１−イル（５−クロロ−８−キノリンオキシ）アセテート（Ｓ２−２）、４−アリルオキシブチル（５−クロロ−８−キノリンオキシ）アセテート（Ｓ２−３）、１−アリルオキシプロプ−２−イル（５−クロロ−８−キノリンオキシ）アセテート（Ｓ２−４）、エチル（５−クロロ−８−キノリンオキシ）アセテート（Ｓ２−５）、メチル（５−クロロ−８−キノリンオキシ）アセテート（Ｓ２−６）、アリル（５−クロロ−８−キノリンオキシ）アセテート（Ｓ２−７）、２−（２−プロピリデンイミノオキシ）−１−エチル（５−クロロ−８−キノリンオキシ）アセテート（Ｓ２−８）、２−オキソ−プロプ−１−イル（５−クロロ−８−キノリンオキシ）アセテート（Ｓ２−９）及び関連化合物、ならびにさらに欧州特許出願第２００２／３４０４８（Ａ）号明細書に記載された（５−クロロ−８−キノリンオキシ）酢酸（Ｓ２−１０）、その水和物及び塩、例えば、そのリチウム、ナトリウム、カリウム、カルシウム、マグネシウム、アルミニウム、鉄、アンモニウム、第四級アンモニウム、スルホニウムもしくはホスホニウム塩；Ｓ２ｂ）（５−クロロ−８−キノリンオキシ）マロン酸のタイプの化合物（Ｓ２ｂ）、好ましくは欧州特許出願第０５８２１９８（Ａ）号明細書に記載された、ジエチル（５−クロロ−８−キノリンオキシ）マロネート、ジアリル（５−クロロ−８−キノリンオキシ）マロネート、メチルエチル（５−クロロ−８−キノリンオキシ）マロネート化合物などの化合物及び関連化合物。  
【０１５３】
Ｓ３）植物発芽前毒性緩和剤として使用されることの多いジクロロアセトアミドのタイプの活性化合物（土壌作用性毒性緩和剤）（Ｓ３）、例えば、「ジクロルミド」（Ｎ，Ｎ−ジアリル−２，２−ジクロロアセトアミド）（Ｓ３−１）、「Ｒ−２９１４８」（Ｓｔａｕｆｆｅｒ社製の３−ジクロロアセチル−２，２，５−トリメチル−１，３−オキサゾリジン）（Ｓ３−２）、Ｓｔａｕｆｆｅｒ社製の「Ｒ−２８７２５」（３−ジクロロアセチル−２，２−ジメチル−１，３−オキサゾリジン）（Ｓ３−３）、「ベノキサコル」（４−ジクロロアセチル−３，４−ジヒドロ−３−メチル−２Ｈ−１，４−ベンゾキサジン）（Ｓ３−４）、ＰＰＧ  Ｉｎｄｕｓｔｒｉｅｓ社製の「ＰＰＧ−１２９２」（Ｎ−アリル−Ｎ−［（１，３−ジオキソラン−２−イル）メチル］ジクロロアセトアミド）（Ｓ３−５）、Ｓａｇｒｏ−Ｃｈｅｍ社製の「ＤＫＡ−２４」（Ｎ−アリル−Ｎ−［（アリルアミノカルボニル）メチル］ジクロロアセトアミド）（Ｓ３−６）、Ｎｉｔｒｏｋｅｍｉａ社又はＭｏｎｓａｎｔｏ社製の「ＡＤ−６７」又は「ＭＯＮ４６６０」（３−ジクロロアセチル−１−オキサ−３−アザ−スピロ［４，５］デカン）（Ｓ３−７）、ＴＲＩ−Ｃｈｅｍｉｃａｌ  ＲＴ社製の「ＴＩ−３５」（１−ジクロロアセチルアゼパン）（Ｓ３−８）、ＢＡＳＦ社製の「ジクロノン」（ジシクロノン）又は「ＢＡＳ１４５１３８」又は「ＬＡＢ１４５１３８」（Ｓ３−９）（（ＲＳ）−１−ジクロロアセチル−３，３，８ａ−トリメチルペルヒドロピロロ［１，２−ａ］ピリミジン−６−オン）、「フリラゾール」又は「ＭＯＮ１３９００」（（ＲＳ）−３−ジクロロアセチル−５−（２−フリル）−２，２−ジメチルオキサゾリジン）（Ｓ３−１０）及びさらにその（Ｒ）−異性体（Ｓ３−１１）。
【０１５４】
Ｓ４）アシルスルホンアミドのクラスの化合物（Ｓ４）：Ｓ４ａ）国際公開第９７／４５０１６（Ａ）号パンフレットに記載された式（Ｓ４ａ）：  
【化２】
2018102301.tif 000004
【０１５５】
（式中、  ＲＡ１は、（Ｃ１−Ｃ６）−アルキル、（Ｃ３−Ｃ６）−シクロアルキルであり、最後２つのラジカルはハロゲン、（Ｃ１−Ｃ４）−アルコキシ、ハロ−（Ｃ１−Ｃ６）−アルコキシ及び（Ｃ１−Ｃ４）−アルキルチオからなる群からｖＡ置換基で置換され、環式ラジカルの場合は、さらに（Ｃ１−Ｃ４）−アルキル及び（Ｃ１−Ｃ４）−ハロアルキルであり；  ＲＡ２は、ハロゲン、（Ｃ１−Ｃ４）−アルキル、（Ｃ１−Ｃ４）−アルコキシ、ＣＦ３であり；  ｍＡは、１もしくは２であり；ｖＤは、０、１、２もしくは３である）のＮ−アシルスルホンアミド及びその塩、  Ｓ４ｂ）国際公開第９９／１６７４４（Ａ）号パンフレットに記載された式（Ｓ４ｂ）：  
【化３】
2018102301.tif 000005
【０１５６】
（式中、  ＲＢ１、ＲＢ２は、相互から独立して水素、（Ｃ１−Ｃ６）−アルキル、（Ｃ３−Ｃ６）−シクロアルキル、（Ｃ３−Ｃ６）−アルケニル、（Ｃ３−Ｃ６）−アルキニルであり、  ＲＢ３は、ハロゲン、（Ｃ１−Ｃ４）−アルキル、（Ｃ１−Ｃ４）−ハロアルキル、もしくは（Ｃ１−Ｃ４）−アルコキシであり、  ｍＢは、１もしくは２である）ベンズアミドのタイプの化合物及びその塩、例えば、式中  ＲＢ１＝シクロプロピル、ＲＢ２＝水素及び（ＲＢ３）＝２−ＯＭｅ（「シプロスルファミド」、Ｓ４−１）、  ＲＢ１＝シクロプロピル、ＲＢ２＝水素及び（ＲＢ３）＝５−Ｃｌ−２−ＯＭｅ（Ｓ４−２）、  ＲＢ１＝エチル、ＲＢ２＝水素及び（ＲＢ３）＝２−ＯＭｅ（Ｓ４−３）、  ＲＢ１＝イソプロピル、ＲＢ２＝水素及び（ＲＢ３）＝５−Ｃｌ−２−ＯＭｅ（Ｓ４−４）及び  ＲＢ１＝イソプロピル、ＲＢ２＝水素及び（ＲＢ３）＝２−ＯＭｅ（Ｓ４−５）の４−（ベンゾイルスルファモイルである化合物及びその塩。  
【０１５７】
Ｓ４ｃ）欧州特許出願第３６５４８４（Ａ）号明細書に記載された式（Ｓ４ｃ）：  
【化４】
2018102301.tif 000006
【０１５８】
（式中、  ＲＣ１，ＲＣ２は、相互から独立して、水素、（Ｃ１−Ｃ８）−アルキル、（Ｃ３−Ｃ８）−シクロアルキル、（Ｃ３−Ｃ６）−アルケニル、（Ｃ３−Ｃ６）−アルキニルであり、  ＲＣ３は、ハロゲン、（Ｃ１−Ｃ４）−アルキル、（Ｃ１−Ｃ４）−アルコキシ、ＣＦ３であり、  ｍＣは、１もしくは２である）のベンゾイルスルファモイルフェニルウレアのクラスの化合物、例えば、１−［４−（Ｎ−２−メトキシベンゾイルスルファモイル）フェニル］−３−メチルウレア、１−［４−（Ｎ−２−メチルベンゾイルスルファモイル）フェニル］−３，３−ジメチルウレア、１−［４−（Ｎ−４，５−ジメチルベンゾイルスルファモイル）フェニル］−３−メチルウレア、Ｓ４ｄ）例えば中国特許第１０１８３８２２７号明細書から公知である、式（Ｓ４ｄ）：  
【化５】
2018102301.tif 000007
【０１５９】
（式中、  ＲＤ４は、ハロゲン、（Ｃ１−Ｃ４）−アルキル、（Ｃ１−Ｃ４）−アルコキシ、ＣＦ３であり；  ｍＤは、１もしくは２であり；  ＲＤ５は、水素、（Ｃ１−Ｃ６）−アルキル、（Ｃ３−Ｃ６）−シクロアルキル、（Ｃ２−Ｃ６）−アルケニル、（Ｃ２−Ｃ６）−アルキニル、（Ｃ５−Ｃ６）−シクロアルケニルである）のＮ−フェニルスルホニルテレフタールアミドのタイプの化合物及びその塩。  
【０１６０】
Ｓ５）ヒドロキシ芳香族及び芳香脂肪族カルボン酸誘導体のクラスの活性化合物（Ｓ５）、例えば、国際公開第２００４／０８４６３１号パンフレット、同第２００５／０１５９９４号パンフレット、同第２００５／０１６００１号パンフレットに記載されたエチル３，４，５−トリアセトキシベンゾエート、３，５−ジメトキシ−４−ヒドロキシ安息香酸、３，５−ジヒドロキシ安息香酸、４−ヒドロキシサリチル酸、４−フルオロサリチル酸、２−ヒドロキシ桂皮酸、２，４−ジクロロ桂皮酸。  
【０１６１】
Ｓ６）１，２−ジヒドロキノキサリン−２−オンのクラスの活性化合物（Ｓ６）、例えば、国際公開第２００５／１１２６３０（Ａ）号パンフレットに記載された１−メチル−３−（２−チエニル）−１，２−ジヒドロキノキサリン−２−オン、１−メチル−３−（２−チエニル）−１，２−ジヒドロキノキサリン−２−チオン、１−（２−アミノエチル）−３−（２−チエニル）−１，２−ジヒドロキノキサリン−２−オン塩酸塩、１−（２−メチルスルホニルアミノエチル）−３−（２−チエニル）−１，２−ジヒドロキノキサリン−２−オン。  
【０１６２】
Ｓ７）国際公開第９８／３８８５６号パンフレットに記載された、ジフェニルメトキシ酢酸誘導体のクラスの化合物（Ｓ７）、例えば、メチルジフェニルメトキシ酢酸（ＣＡＳ登録番号：４１８５８−１９−９）（Ｓ７−１）、エチルジフェニルメトキシ酢酸もしくはジフェニルメトキシ酢酸。  
【０１６３】
Ｓ８）国際公開第９８／２７０４９（Ａ）号パンフレットに記載された、式（Ｓ８）：  
【化６】
2018102301.tif 000008
【０１６４】
（式中、記号及び指数は下記の意味を有する：  ＲＤ１は、ハロゲン、（Ｃ１−Ｃ４）−アルキル、（Ｃ１−Ｃ４）−ハロアルキル、（Ｃ１−Ｃ４）−アルコキシ、（Ｃ１−Ｃ４）−ハロアルコキシであり、  ＲＤ２は、水素もしくは（Ｃ１−Ｃ４）−アルキルであり、  ＲＤ３は、水素、（Ｃ１−Ｃ８）−アルキル、（Ｃ２−Ｃ４）−アルケニル、（Ｃ２−Ｃ４）−アルキニルもしくはアリール（式中、上記の炭素含有ラジカルのそれぞれは、未置換又は１つ以上の、好ましくは３個までの、ハロゲン及びアルコキシからなる群からの同一もしくは異なるラジカルで置換されている）であり、  ｎＤは、０〜２の整数である）の化合物又はそれらの塩。  
【０１６５】
Ｓ９）国際公開第１９９９／００００２０（Ａ）号パンフレットに記載された、３−（５−テトラゾリルカルボニル）−２−キノロンのクラスからの活性化合物（Ｓ９）、例えば、１，２−ジヒドロ−４−ヒドロキシ−１−エチル−３−（５−テトラゾリルカルボニル）−２−キノロン（ＣＡＳ登録番号：２１９４７９−１８−２）、１，２−ジヒドロ−４−ヒドロキシ−１−メチル−３−（５−テトラゾリルカルボニル）−２−キノロン（ＣＡＳ登録番号：９５８５５−００−８）。  
【０１６６】
Ｓ１０）国際公開第２００７／０２３７１９（Ａ）号パンフレット及び同第２００７／０２３７６４（Ａ）号パンフレットに記載された式（Ｓ１０ａ）もしくは（Ｓ１０ｂ）：  
【化７】
2018102301.tif 000009
【０１６７】
（式中、  ＲＥ１は、ハロゲン、（Ｃ１−Ｃ４）−アルキル、メトキシ、ニトロ、シアノ、ＣＦ３、ＯＣＦ３であり、  ＹＥ、ＺＥは、相互から独立して、ＯもしくはＳであり、  ｎＥは、０〜４の整数であり、  ＲＥ２は、（Ｃ１−Ｃ１６）−アルキル、（Ｃ２−Ｃ６）−アルケニル、（Ｃ３−Ｃ６）−シクロアルキル、アリール；ベンジル、ハロベンジルであり、  ＲＥ３は、水素もしくは（Ｃ１−Ｃ６）−アルキルである）の化合物。  
【０１６８】
Ｓ１１）種子粉衣として公知であるオキシイミノ化合物のタイプの活性化合物（Ｓ１１）、例えばメトラクロール損傷に対する雑穀のための「オキサベトリニル」（（Ｚ）−１，３−ジオキソラン−２−イルメトキシイミノ（フェニル）アセトニトリル）（Ｓ１１−１）、メトラクロールに対する雑穀のための種子粉衣として公知である「フルキソフェニム」（１−（４−クロロフェニル）−２，２，２−トリフルオロ−１−エタノンＯ−（１，３−ジオキソラン−２−イルメチル）オキシム）（Ｓ１１−２）、及びメトラクロールに対する雑穀のための種子粉衣として公知である「シオメトリニル」もしくは「ＣＧＡ−４３０８９」（（Ｚ）−シアノメトキシイミノ（フェニル）アセトニトリル）（Ｓ１１−３）。  
【０１６９】
Ｓ１２）イソチオクロマノン類のクラスの活性化合物（Ｓ１２）、例えば、国際公開第１９９８／１３３６１（Ａ）号パンフレットからのメチル［（３−オキソ−１Ｈ−２−ベンゾチオピラン−４（３Ｈ）−イリデン）メトキシ］アセテート（ＣＡＳ登録番号：２０５１２１−０４−６）（Ｓ１２−１）及び関連化合物。  
【０１７０】
Ｓ１３）以下の群（Ｓ１３）からの１つ以上の化合物：チオカルバメート除草剤損傷に対するコーンのための種子粉衣として公知である、「ナフタル酸無水物」（１，８−ナフタレンジカルボン酸無水物）（Ｓ１３−１）、植え付けた稲におけるプレチラクロールのための毒性緩和剤として公知である「フェンクロリム」（４，６−ジクロロ−２−フェニルピリミジン）（Ｓ１３−２）、アラクロール及びメトラクロール損傷に対するダニのための種子粉衣毒性緩和剤として公知である、「フルラゾール」（ベンジル２−クロロ−４−トリフルオロメチル−１，３−チアゾール−５−カルボキシレート）（Ｓ１３−３）、イミダゾリン損傷に対するコーンのための毒性緩和剤として公知である、Ａｍｅｒｉｃａｎ  Ｃｙａｎａｍｉｄ社製の「ＣＬ  ３０４４１５」（ＣＡＳ登録番号：３１５４１−５７−８）（４−カルボキシ−３，４−ジヒドロ−２Ｈ−１−ベンゾピラン−４−酢酸）（Ｓ１３−４）、コーンのための毒性緩和剤として公知である、Ｎｉｔｒｏｋｅｍｉａ社製の「ＭＧ  １９１」（ＣＡＳ登録番号：９６４２０−７２−３）（２−ジクロロメチル−２−メチル−１，３−ジオキソラン）（Ｓ１３−５）、Ｎｉｔｒｏｋｅｍｉａ社製の「ＭＧ  ８３８」（ＣＡＳ登録番号：１３３９９３−７４−５）（２−プロペニル１−オキサ−４−アザスピロ［４．５］デカン−４−カルボジチオエート）（Ｓ１３−６）、「ジスルホトン」（０，０−ジエチルＳ−２−エチルチオエチルホスホロジチオエート）（Ｓ１３−７）、「ジエトレート」（Ｏ，Ｏ−ジエチルＯ−フェニルホスホロチオエート）（Ｓ１３−８）、「メフェネート」（４−クロロフェニルメチルカルバメート）（Ｓ１３−９）。  
【０１７１】
Ｓ１４）有害植物に対する除草作用の他に、稲などの作物植物に毒性緩和剤作用もまた有する活性化合物、例えばモリネート除草剤損傷に対する稲のための毒性緩和剤として公知である、「ジメピペレート」もしくは「ＭＹ９３」（Ｓ−１−メチル−１−フェニルエチルピペリジン−１−カルボチオエート）、イマゾスルフロン除草剤損傷に対する稲のための毒性緩和剤として公知である、「ダイムロン」もしくは「ＳＫ２３」（１−（１−メチル−１−フェニルエチル）−３−ｐ−トリルウレア）、一部の除草剤損傷に対する稲のための毒性緩和剤として公知である、「クミルロン」＝「ＪＣ９４０」（３−（２−クロロフェニルメチル）−１−（１−メチル−１−フェニルエチル）ウレア、特開昭６０−０８７２５４号公報参照）、一部の除草剤損傷に対する稲のための毒性緩和剤として公知である、「メトキシフェノン」もしくは「ＮＫ０４９」（３，３’−ジメチル−４−メトキシベンゾフェノン）、稲における一部の除草剤損傷に対する毒性緩和剤として公知である、Ｋｕｍｉａｉ製の「ＣＳＢ」（１−ブロモ−４−（クロロメチルスルホニル）ベンゼン）（ＣＡＳ登録番号５４０９１−０６−４）。  
【０１７２】
Ｓ１５）国際公開第２００８／１３１８６１（Ａ）号パンフレット及び同第２００８／１３１８６０（Ａ）号パンフレットに記載された式（Ｓ１５）：  
【化８】
2018102301.tif 000010
【０１７３】
（式中、  ＲＨ１は、（Ｃ１−Ｃ６）−ハロアルキルであり、  ＲＨ２は、水素もしくはハロゲンであり、  ＲＨ３，ＲＨ４は、相互から独立して、水素、（Ｃ１−Ｃ１６）−アルキル、（Ｃ２−Ｃ１６）−アルケニルもしくは（Ｃ２−Ｃ１６）−アルキニルであり、  このとき、最後に挙げた３つのラジカルそれぞれは未置換、又はハロゲン、ヒドロキシ、シアノ、（Ｃ１−Ｃ４）−アルコキシ、（Ｃ１−Ｃ４）−ハロアルコキシ、（Ｃ１−Ｃ４）−アルキルチオ、（Ｃ１−Ｃ４）−アルキルアミノ、ジ−［（Ｃ１−Ｃ４）−アルキル］−アミノ、［（Ｃ１−Ｃ４）−アルコキシ］−カルボニル、［（Ｃ１−Ｃ４）−ハロアルコキシ］−カルボニル、未置換もしくは置換（Ｃ３−Ｃ６）−シクロアルキル、未置換もしくは置換フェニル、及び未置換もしくは置換ヘテロシクリルからなる群からの１つ以上のラジカルで置換されているか；  又は４〜６員の飽和もしくは不飽和炭素環とともに縮合された環の１つの部位では（Ｃ３−Ｃ６）−シクロアルキル、（Ｃ４−Ｃ６）−シクロアルケニル、（Ｃ３−Ｃ６）−シクロアルケニル、又は４〜６員の飽和もしくは不飽和炭素環とともに縮合された環の１つの部位では（Ｃ４−Ｃ６）−シクロアルケニルであり、  このとき、最後に挙げた４つのラジカルのそれぞれは、未置換又はハロゲン、ヒドロキシ、シアノ、（Ｃ１−Ｃ４）−アルキル、（Ｃ１−Ｃ４）−ハロアルキル、（Ｃ１−Ｃ４）−アルコキシ、（Ｃ１−Ｃ４）−ハロアルコキシ、（Ｃ１−Ｃ４）−アルキルチオ、（Ｃ１−Ｃ４）−アルキルアミノ、ジ−（Ｃ１−Ｃ４）−アルキル］−アミノ、［（Ｃ１−Ｃ４）−アルコキシ］−カルボニル、［（Ｃ１−Ｃ４）−ハロアルコキシ］−カルボニル、未置換もしくは置換（Ｃ３−Ｃ６）−シクロアルキル、未置換もしくは置換フェニル、及び未置換もしくは置換ヘテロシクリルからなる群からの１つ以上のラジカルで置換されているか；又は  ＲＨ３は、（Ｃ１−Ｃ４）−アルコキシ、（Ｃ２−Ｃ４）−アルケニルオキシ、（Ｃ２−Ｃ６）−アルキニルオキシもしくは（Ｃ２−Ｃ４）−ハロアルコキシであり、及び  ＲＨ４は、水素もしくは（Ｃ１−Ｃ４）−アルキルであり、又は  ＲＨ３及びＲＨ４は、直接結合Ｎ原子と一緒に、さらにＮ原子の他にＮ、Ｏ及びＳからなる群からのヘテロ環原子、好ましくは２個までのまた別のヘテロ環原子を含有していてよい、及び未置換又はハロゲン、シアノ、ニトロ、（Ｃ１−Ｃ４）−アルキル、（Ｃ１−Ｃ４）−ハロアルキル、（Ｃ１−Ｃ４）−アルコキシ、（Ｃ１−Ｃ４）−ハロアルコキシ及び（Ｃ１−Ｃ４）−アルキルチオからなる群からの１つ以上のラジカルで置換されている４〜８員複素環である）の化合物又はその互変異性体。  
【０１７４】
Ｓ１６）主として除草剤として使用されるだけではなく、作物植物に毒性緩和剤作用も有する活性化合物、例えば（２，４−ジクロロフェノキシ）酢酸（２，４−Ｄ）、（４−クロロフェノキシ）酢酸、（Ｒ，Ｓ）−２−（４−クロロ−ｏ−トリルオキシ）プロピオン酸（メコプロプ）、４−（２，４−ジクロロフェノキシ）酪酸（２，４−ＤＢ）、（４−クロロ−ｏ−トリルオキシ）酢酸（ＭＣＰＡ）、４−（４−クロロ−ｏ−トリルオキシ）酪酸、４−（４−クロロフェノキシ）酪酸、３，６−ジクロロ−２−メトキシ安息香酸（ジカンバ）、１−（エトキシカルボニル）エチル３，６−ジクロロ−２−メトキシベンゾエート（ラクチジクロル−エチル）。  
【０１７５】
好ましい毒性緩和剤は：クロキントセット−メキシル、シプロスルファミド、フェンクロラゾール−エチル、イソキサジフェン−エチル、メフェンピル−ジエチル、フェンクロリム、クミルロン、Ｓ４−１及びＳ４−５であり、特に好ましいのは：クロキントセット−メキシル、シプロスルファミド、イソキサジフェン−エチル及びメフェンピル−ジエチルである。  
【０１７６】
下記は、本発明によって使用できる可能性のある薬剤の限定的リストである。  
【０１７７】
除草剤：例、トリアファモン、テフリルトリオン、オキサジアルギル、エトキシスルフロン、ダイムロン  殺虫剤：例、イミダクロプリド  殺真菌剤：例、イソチアニル  肥料：例、ＺｎＳＯ４  毒性緩和剤：例、イソキサジフェン−エチル  軟体動物駆除剤：例、ニクロサミド（Ｂａｙｌｕｓｃｉｄｅ（登録商標））  生物学的物質：例、微生物もしくはシグナル伝達分子；バシラス・サブチリス（Ｂａｃｉｌｌｕｓ  ｓｕｂｔｉｌｉｓ）（ＱＳＴ７１３）（Ｓｅｒｅｎａｄｅ（登録商標））、バシラス・プミリス（Ｂａｃｉｌｌｕｓ  ｐｕｍｉｌｉｓ）（ＱＳＴ２８１８）（Ｓｏｎａｔａ（登録商標））、３種のテルペン類のブレンド（Ｒｅｑｕｉｅｍ（登録商標））  植物強壮性化合物  及びそれらの組み合わせ。  
【０１７８】
なお、本発明の液剤においては、農薬活性成分として、一種の化合物（剤）を使用しても良く、複数種を組み合わせて使用しても良い。  
【０１７９】
好ましい実施形態によると、本発明の方法で散布される液剤は、除草剤、殺真菌剤、殺虫剤、軟体動物駆除剤及び肥料からなる群から選択される少なくとも２種の異なる化合物の組み合わせを含む。  
【０１８０】
好ましくは、除草剤は、オキサジアルギル、トリアファモン、テフリルトリオン、フェントラザミド、メフェナセト、ベンスルフロン−メチル及びプレチラクロールからなる群から選択される；殺真菌剤は、イソチアニルである；殺虫剤は、イミダクロプリドである；軟体動物駆除剤は、ニクロサミドである；及び肥料は、亜鉛である。  
【０１８１】
少なくとも２種の異なる化合物のそのような組み合わせの好ましい例は、オキサジアルギル及びトリアファモン；オキサジアルギル及びテフリルトリオン；オキサジアルギル及びテフリルトリオン及びフェントラザミド；トリアファモン及びテフリルトリオン；フェントラザミド及びテフリルトリオン；トリアファモン及びフェントラザミド及びテフリルトリオン；メフェナセト及びベンスルフロン−メチル；プレチラクロール及びベンスルフロン−メチル；トリアファモン及びメフェナセト及びベンスルフロン−メチル；ならびにトリアファモン及びプレチラクロール及びベンスルフロン−メチルからなる群より選択される。さらに好ましいのは、トリアファモン、テフリルトリオン及びオキサジアルギル；ならびにトリアファモン、オキサジアルギル及びベンスルフロン−メチルの３種からなる組み合わせである。  
【０１８２】
少なくとも２種の異なる化合物の組み合わせを含む液剤のさらに好ましい例は、トリアファモン及びテフリルトリオン及びイソチアニル；トリアファモン及びテフリルトリオン及びイミダクロプリド；トリアファモン及びテフリルトリオン及びイソチアニル及びイミダクロプリド；トリアファモン及びテフリルトリオン及びイソチアニル及びニクロサミド；トリアファモン及びテフリルトリオン及びイソチアニル及びイミダクロプリド及びニクロサミドならびにトリアファモン及びテフリルトリオンイソチアニル及びイミダクロプリド及びニクロサミド及び亜鉛からなる群より選択される。  
【０１８３】
特に好ましくは、液剤は、オキサジアルギル及びトリアファモン；ならびにトリアファモン及びテフリルトリオンからなる群；トリアファモン、テフリルトリオン及びオキサジアルギル；ならびにトリアファモン、オキサジアルギル及びベンスルフロン−メチルからなる３種の組み合わせの群より選択される少なくとも２種の異なる除草剤の組み合わせを含んでいる。さらに特に好ましいのは、液剤は、トリアファモン及びテフリルトリオン及びイソチアニルの組み合わせを含んでいる。さらに特に好ましいのは、液剤は、トリアファモン、テフリルトリオン、イソチアニル、イミダクロプリド及びニクロサミドの組み合わせを含んでいる。  
【０１８４】
本発明の方法において、液剤は、種々の製剤の形態でよく、その具体例としては、例えば、液剤（水性懸濁剤（フロアブル、乳剤又は水和剤を水で懸濁したもの）、水溶剤）、ＡＬ剤、マイクロカプセル剤等を例示することができる。これらの製剤はそれ自体既知の方法で、例えば、農薬活性物質を、展開剤、すなわち、液体の希釈剤又は担体と、場合によっては界面活性剤、すなわち、乳化剤及び／又は分散剤と共に混合することによって行われる。その際に展開剤として水を用いる場合には、例えば、有機溶媒を補助溶媒として使用することができる。本発明においては、作業性の観点から、フロアブルが好適である。フロアブルとしては、農薬活性物質に加えて、水、界面活性剤、液体の希釈剤（有機溶剤）及びポリマー樹脂、特にアクリル樹脂（アクリル酸アルキルエステル及び／又はメタアクリル酸アルキルエステルを構成単位とする（共）重合体樹脂）を含む水性懸濁組成物が好ましい。係る水性懸濁組成物には、必要に応じて、消泡剤、防腐剤、増粘剤、分散剤、凍結防止剤等を適宜添加することができる。フロアブル中の農薬活性物質の含有量は、１〜５０重量部、特に５〜４０重量部が好ましい。界面活性剤の含有量は、０．０１〜１０重量部、特に０．１〜５重量部の範囲が好ましい。また、希釈剤の含有量は、１〜５０重量部、特に５〜３０重量部が好ましい。アクリル樹脂の含有量は、０．１〜２０重量部、特に１〜１０重量部の範囲が好ましい。消泡剤、防腐剤、増粘剤等の他の添加成分については、合計０〜１０重量部、特に０〜５重量部の範囲が好ましい。水性懸濁組成物中のポリマー樹脂は、顆粒状ポリマー樹脂が好ましく、特に粉砕処理等により微細化したものが好ましい。  
【０１８５】
液体の希釈剤又は担体としては、例えば、芳香族炭化水素（例えば、キシレン、トルエン、アルキルナフタレン等）、クロル化芳香族又はクロル化脂肪族炭化水素（例えば、クロロベンゼン類、塩化エチレン類、塩化メチレン等）、脂肪族炭化水素［例えば、シクロヘキサン等、パラフィン類（例えば、鉱油留分等）］、アルコール類（例えば、ブタノール等のＣ２〜Ｃ１０アルコール、エチレングリコール、プロピレングリコール等のグリコール等及びそれらのエーテル、エステル等）、ケトン類（例えば、アセトン、メチルエチルケトン、メチルイソブチルケトン、シクロヘキサノン等）、強極性溶媒（例えば、ジメチルホルムアミド、ジメチルスルホキシド等）、水等を挙げることができる。  
【０１８６】
界面活性剤としては、例えば、非イオン及び陰イオン界面活性剤［例えば、ポリオキシエチレン脂肪酸エステル、ポリオキシエチレン脂肪酸アルコールエーテル（例えば、アルキルアリールポリグリコールエーテル、アルキルスルホン酸塩、アルキル硫酸塩、アリールスルホン酸塩）、トリスチルフェノール及びそのエトキシレート］、アルブミン加水分解生成物等を挙げることができる。  
【０１８７】
分散剤には、例えば、リグニンサルファイト廃液やメチルセルロース等が包含される。  
【０１８８】
固着剤も製剤（粉剤、粒剤、乳剤）に使用することができ、該固着剤としては、例えば、カルボキシメチルセルロース、天然及び合成ポリマー（例えば、アラビアゴム、ポリビニルアルコール、ポリビニルアセテート等）を挙げることができる。  
【０１８９】
着色剤を使用することもでき、該着色剤としては、例えば、無機顔料（例えば、酸化鉄、酸化チタン、プルシアンブルー等）、アリザリン染料、アゾ染料又は金属フタロシアニン染料のような有機染料、さらに、鉄、マンガン、ボロン、銅、コバルト、モリブデン、亜鉛等の金属の塩のような微量要素を挙げることができる。  
【０１９０】
本発明の方法及び田植機搭載型液剤散布装置に使用する液剤は、上記フロアブル、乳剤、又は水和剤を所定の濃度まで希釈剤例えば水で希釈して調整することができる。  
【０１９１】
本発明の田植機搭載型液剤散布装置での薬剤散布量は適宜調整できるが３〜１００Ｌ／ｈａが望ましく、５〜３０Ｌ／ｈａが更に望ましい。  
【０１９２】
本発明の実施形態に係る農薬製剤は、水稲−水田雑草間の選択的除草効果を獲得することができる。そして、防除することができる水田雑草の例として以下のものが挙げられる。
【０１９３】
次の属の双子葉植物：タデ属（Ｐｏｌｙｇｏｎｕｍ）、イヌガラシ属（Ｒｏｒｉｐｐａ）、キカシグサ属（Ｒｏｔａｌａ）、アゼナ属（Ｌｉｎｄｅｒｎｉａ）、タコウギ属（Ｂｉｄｅｎｓ）、アブノメ属（Ｄｏｐａｔｒｉｕｍ）、タカサブロウ属（Ｅｃｌｉｐｔａ）、ミゾハコベ属（Ｅｌａｔｉｎｅ）、オオアブノメ属（Ｇｒａｔｉｏｌａ）、アゼトウガラシ属（Ｌｉｎｄｅｒｎｉａ）、ミズキンバイ属（Ｌｕｄｗｉｇｉａ）、セリ属（Ｏｅｎａｎｔｈｅ）、キンポウゲ属（Ｒａｎｕｎｃｕｌｕｓ）、サワトウガラシ属（Ｄｅｉｎｏｓｔｅｍａ）など。  
【０１９４】
次の属の単子葉植物：ヒエ属（Ｅｃｈｉｎｏｃｈｌｏａ）、キビ属（Ｐａｎｉｃｕｍ）、スズメノカタビラ属（Ｐｏａ）、カヤツリグサ属（Ｃｙｐｅｒｕｓ）、ミズアオイ属（Ｍｏｎｏｃｈｏｒｉａ）、テンツキ属（Ｆｉｍｂｒｉｓｔｙｌｉｓ）、オモダカ属（Ｓａｇｉｔｔａｒｉａ）、ハリイ属（Ｅｌｅｏｃｈａｒｉｓ）、ホタルイ属（Ｓｃｉｒｐｕｓ）、サジオモダカ属（Ａｌｉｓｍａ）、イボクサ属（Ａｎｅｉｌｅｍａ）、スブタ属（Ｂｌｙｘａ）、ホシクサ属（Ｅｒｉｏｃａｕｌｏｎ）、ヒルムシロ属（Ｐｏｔａｍｏｇｅｔｏｎ）、ニクキビ属（Ｂｒａｃｈｉａｒｉａ）、アゼガヤ属（Ｌｅｐｔｏｃｈｌｏａ）、スフェノクレア属（Ｓｐｈｅｎｏｃｌｅａ）、イネ（Ｏｒｙｚａ）など。  
【０１９５】
より具体的に、例えば次の代表的な水田雑草に関して使用することができる。  
【０１９６】
植物名                  ラテン名双子葉植物  デンジソウ            Ｍａｒｉｓｉｌｅａ  ｑｕａｄｒｉｆｏｌｉａ  ヒデリコ              Ｆｉｍｂｒｉｓｔｙｌｉｓ  ｍｉｌｉａｃｅａ  ナガボノウルシ        Ｓｐｈｅｎｏｃｌｅａ  ｚｅｙｌａｎｉｃａ  ヒメミソハギ類        Ａｍｍａｎｎｉａ  ｓｐ．  キカシグサ            Ｒｏｔａｌａ  ｉｎｄｉｃａ  Ｋｏｅｈｎｅ  アゼナ                Ｌｉｎｄｅｒｎｉａ  ｐｒｏｃｕｍｂｅｎｓ                          Ｐｈｉｌｃｏｘ  アメリカアゼナ        Ｌｉｎｄｅｒｎｉａ  ｄｕｂｉａ  Ｌ．  Ｐｅｎｎ．  タケトアゼナ          Ｌｉｎｄｅｒｎｉａ  ｄｕｂｉａ  ｓｕｂｓｐ．                        Ｄｕｂｉａ  タカサブロウ          Ｅｃｌｉｐｔａ  ｐｒｏｓｔｒａｔａ  アゼトウガラシ        Ｌｉｎｄｅｒｎｉａ  ａｎｇｕｓｔｉｆｏｌｉａ  チヨウジタデ          Ｌｕｄｗｉｇｉａ  ｐｒｏｓｔｒａｔａ            Ｒｏｘｂｕｒｇｈ  タデ類                Ｐｏｌｙｇｏｎｕｍ  ｓｐ．  アメリカツノクサネム  Ｓｅｓｂａｎｉａ  ｅｘａｌｔａｔａ  ヒルムシロ            Ｐｏｔａｍｏｇｅｔｏｎ  ｄｉｓｔｉｎｃｔｕｓ    Ａ．  Ｂｅｎｎ  ミゾハコベ            Ｅｌａｔｉｎｅ  ｔｒｉａｎｄｒａ  Ｓｃｈｋ  セリ                  Ｏｅｎａｎｔｈｅ  ｊａｖａｎｉｃａ    クサネム              Ａｅｓｃｈｙｎｏｍｅｎｅ  ｉｎｄｉｃａ  ウキアゼナ            Ｂａｃｏｐａ  ｒｏｔｕｎｄｉｆｏｌｉａ    アメリカセンダングサ  Ｂｉｄｅｎｓ  ｆｒｏｎｄｏｓａ    アブノメ              Ｄｏｐａｔｒｉｕｍ  ｊｕｎｃｅｕｍ  オオアブノメ          Ｇｒａｔｉｏｌａ  ｊａｐｏｎｉｃａ単子葉植物  タイヌビエ            Ｅｃｈｉｎｏｃｈｌｏａ  ｏｒｙｚｉｃｏｌａ      Ｖａｓｉｎｇ  コヒメビエ            Ｅｃｈｉｎｏｃｈｌｏｒ  ｃｏｌｏｎｕｍ  イヌビユ              Ｅ．  ｃｒｕｓ−ｇａｌｌｉ  イボクサ              Ａｎｅｉｌｅｍａ  ｋｅｉｓａｋ  キシュウスズメノヒエ  Ｐａｓｐａｌｕｍ  ｄｉｓｔｉｃｈｕｍ  コゴメガヤツリ        Ｃｙｐｅｒｕｓ  ｉｒｉａ  ハマスゲ              Ｃ．  ｒｏｔｕｎｄｕｓ  マツバイ              Ｅｌｅｏｃｈａｒｉｓ  ａｃｉｃｕｌａｒｉｓ  Ｌ．    クログワイ            Ｅｌｅｏｃｈｒｉｓ  ｋｕｒｏｇｕｗａｉ  Ｏｈｗｉ  タマガヤツリ          Ｃｙｐｅｒｕｓ  ｄｉｆｆｏｒｍｉｓ  Ｌ．  ミズガヤツリ          Ｃｙｐｅｒｕｓ  ｓｅｒｏｔｉｎｕｓ                          Ｒｏｔｔｂｏｅｌ  ヒメカンガレイ        Ｓｃｉｒｐｕｓ  ｍｕｃｒｏｎａｔｕｓ  コウキヤガラ          Ｓ．  ｐｌａｎｉｃｕｌｍｉｓ  イヌホタルイ          Ｓｃｉｒｐｕｓ  ｊｕｎｃｏｉｄｅｓ  Ｒｏｘｂ      タイワンヤマイ        Ｓｃｉｒｕｐｕｓ  Ｗａｌｌｉｃｈｉｉ  Ｎｅｅｓ  ヒメホタルイ          Ｓｃｉｒｕｐｕｓ  Ｌｉｎｅｏｌａｔｕｓ  シズイ                Ｓｃｉｒｐｕｓ  ｅｔｕｂｅｒｃｕｌａｔｕｓ  コナギ                Ｍｏｎｏｃｈｏｒｉａ  ｖａｇｉｎａｌｉｓ                          Ｐｒｅｓｌ  ウリガワ              Ｓａｇｉｔｔａｒｉａ  ｐｙｇｍａｅａ  Ｍｉｑ  ヘラオモダカ          Ａｌｉｓｍａ  ｃａｎａｌｉｃｕｌａｔｕｍ  Ａ．                          Ｂｒ．  ｅｔ  Ｂｏｕｃｈｅ  サジオモダカ          Ａｌｉｓｍａ  ｐｌａｎｔａｇｏ−ａｑｕａｔｉｃａ    ｖａｒ．  Ｏｒｉｅｎｔａｌｅ  Ｓａｍｕｅｌｓ．  オモダカ              Ｓａｇｉｔｔａｒｉａ  ｔｒｉｆｏｌｉａ  ミズアオイ            Ｍｏｎｏｃｈｏｒｉａ  ｋｏｒｓａｋｏｗｉｉ  アゼガヤ              Ｌｅｐｔｏｃｈｌｏａ  ｃｈｉｎｅｎｓｉｓ  テンツキ              Ｆｉｍｂｒｉｓｔｙｌｉｓ  ベントグラス          Ａｇｒｏｓｔｉｓ  ｓｐｅｃ．  アメリカコナギ        Ｈｅｔｅｒａｎｔｈｅｒａ  ｌｉｍｏｓａ                          （ＳＷ．）  ＷＩＬＬ  なお、本発明の農薬製剤は、これらの草種の雑草に対する使用に限定されるものではなく、他の草種の雑草に対しても同様に適用することができる。  
【０１９７】
本発明の方法によって企図される疾患に特に制限はないが、液剤は、例えば、ネコブカビ類（Ｐｌａｓｍｏｄｉｏｐｈｏｒｏｍｙｃｅｔｅｓ）、卵菌類（Ｏｏｍｙｃｅｔｅｓ）、接合菌類（Ｚｙｇｏｍｙｃｅｔｅｓ）、子嚢菌類（Ａｓｃｏｍｙｃｅｔｅｓ）、担子菌類（Ｂａｓｉｄｉｏｍｙｃｅｔｅｓ）及び不完全菌類（Ｄｅｕｔｅｒｏｍｙｃｅｔｅｓ）に対して使用できる。特に、例えば馬鹿苗病（ジベレラ・フジクロイ（Ｇｉｂｂｅｒｅｌｌａ  ｆｕｊｉｋｕｒｏｉ）、フザリウム・モニリフォルメ（Ｆｕｓａｒｉｕｍ  ｍｏｎｉｌｉｆｏｒｍｅ））、いもち病、葉いもち病、穂いもち病及び腐敗病（ピリキュライア・オリザエ（Ｐｙｒｉｃｕｌａｉａ  ｏｒｙｚａｅ）、ピリキュラリア・グリセア（Ｐｙｒｉｃｕｌａｒｉａ  ｇｒｉｓｅａ））、偽黒穂病（ウスチラギノイデア・ビレンス（Ｕｓｔｉｌａｇｉｎｏｉｄｅａ  ｖｉｒｅｎｓ））、褐斑病（コクリオボラス・ミヤベアヌス（Ｃｏｃｈｌｉｏｂｏｌｕｓ  ｍｉｙａｂｅａｎｕｓ））、苗立枯細菌病（バークホルデリア・プランタリイ（Ｂｕｒｋｈｏｌｄｅｒｉａ  ｐｌａｎｔａｒｉｉ））、籾枯細菌病（バークホルデリア・グルメ（Ｂｕｒｋｈｏｌｄｅｒｉａ  ｇｌｕｍａｅ））、内穎褐変病（エルビニア・ヘルビコラ（Ｅｒｗｉｎｉａ  ｈｅｒｂｉｃｏｌａ））、白葉枯病（シュードモナス・オリザエ（Ｐｓｅｕｄｏｍｏｎａｓ  ｏｒｙｚａｅ）、キサントモナス・オリザエ（Ｘａｎｔｈｏｍｏｎａｓ  ｏｒｙｚａｅ））、褐条病（シュードモナス・アベナエ（Ｐｓｅｕｄｏｍｏｎａｓ  ａｖｅｎａｅ）、シュードモナス．アルボプレシピタンス（Ｐ．  ａｌｂｏｐｒｅｃｉｐｉｔａｎｓ））、紋枯病（サナテホルス・ククメリス（Ｔｈａｎａｔｅｐｈｏｒｕｓ  ｃｕｃｕｍｅｒｉｓ）、リゾクトニア・ソラニ（Ｒｉｚｏｃｔｏｎｉａ  ｓｏｌａｎｉ））、壊疽モザイク病（イネ壊疽モザイクウイルス）、グラッシースタント病（イネグラッシースタントウイルス））、わい化病（イネツングロ球形ウイルス）、萎縮病（イネ萎縮ウイルス）、ラギッドスタント（イネラギッドスタントウイルス）、トランジストリーイエロー萎縮病（イネトランジストリーイエローイングウイルス）、縞葉枯病（イネ縞葉枯ウイルス）、黒すじ萎縮病（イネ黒すじ萎縮ウイルス）、黄萎病（ファイトプラズマ（Ｐｈｙｔｏｐｌａｓｍａ））、苗立枯病（フサリウム種（Ｆｕｓａｒｉｕｍ  ｓｐ．）、リゾプス種（Ｒｈｉｚｏｐｕｓ  ｓｐ．）、トリコデルマ種（Ｔｒｉｃｈｏｄｅｒｍａ  ｓｐ．）、ムコール種（Ｍｕｃｏｒ  ｓｐ．）、フォーマ種（Ｐｈｏｍａ  ｓｐ．）、ピチウム種（Ｐｙｔｈｉｕｍ  ｓｐ．））、株腐病（エルウィニア・クリサンテミ・ｐｖ・ゼアエ（Ｅｒｗｉｎｉａ  ｃｈｒｙｓａｎｔｈｅｍｉ  ｐｖ．ｚｅａｅ））、菌核病（マグナポルテ・サルビニイ（Ｍａｇｎａｐｏｒｔｈｅ  ｓａｌｖｉｎｉｉ））、小球菌核病（ヘルミントスポリウム・シグモイデウム（Ｈｅｌｍｉｎｔｈｏｓｐｏｒｉｕｍ  ｓｉｇｍｏｉｄｅｕｍ））、褐色葉枯病（メタスフェリア・アルベセンス（Ｍｅｔａｓｐｈａｅｒｉａ  ａｌｂｅｓｃｅｎｓ））、すじ葉枯病（スファエルリナ・オリジナ（Ｓｐｈａｅｒｕｌｉｎａ  ｏｒｙｚｉｎａ））、葉しょう褐変病（シュードモナス・フスコバギナエ（Ｐｓｅｕｄｏｍｏｎａｓ  ｆｕｓｃｏｖａｇｉｎａｅ））、偽いもち病（アルテルナリア・オリザエ（Ａｌｔｅｒｎａｒｉａ  ｏｒｙｚａｅ）、エピコックム・ニグラム（Ｅｐｉｃｏｃｃｕｍ  ｎｉｇｒｕｍ）、クラドスポリウム・ヘルバルム（Ｃｌａｄｏｓｐｏｒｉｕｍ  ｈｅｒｂａｒｕｍ）、シュードコチリオボラス・ルナツス（Ｐｓｅｕｄｏｃｏｃｈｉｌｉｏｂｏｌｕｓ  ｌｕｎａｔｕｓ））、褐色菌核病（セラトバシジウム・セタリアエ（Ｃｅｒａｔｏｂａｓｉｄｉｕｍ  ｓｅｔａｒｉａｅ））、黒変病（クラドスポリウム・ヘルバウム（Ｃｌａｄｏｓｐｏｒｉｕｍ  ｈｅｒｂａｒｕｍ））、黒粒菌核病（ヘリコセラス・オリザエ（Ｈｅｌｉｃｏｃｅｒａｓ  ｏｒｙｚａｅ））、籾枯病（フォーマ・グルマルム（Ｐｈｏｍａ  ｇｌｕｍａｒｕｍ））、葉しょう腐敗病（サルコクラジウム・オリザエ（ｓａｒｏｃｌａｄｉｕｍ  ｏｒｙｚａｅ、ピレノケータ種（Ｐｙｒｅｎｏｃｈａｅｔａ  ｓｐ．））、葉しょう網斑病（シリンドロクラジウム・スコパリウム（Ｃｙｌｉｎｄｒｏｃｌａｄｉｕｍ  ｓｃｏｐａｒｉｕｍ））、小黒菌核病（タナテホラス・ククメリス（Ｔｈａｎａｔｅｐｈｏｒｕｓ  ｃｕｃｕｍｅｒｉｓ））などの植物病原体由来の疾患。特に、糸状真菌及び／又は微生物に由来する疾患、例えば、稲いもち病、褐斑病及び白葉枯病を効果的に防止できる。  
【０１９８】
本発明の方法によって企図される有害昆虫に関して特に制限はないが、液剤は、例えば、イネミズゾウムシ（Ｌｉｓｓｏｈｏｐｔｒｕｓ  ｏｒｙｚｏｐｈｉｌｕｓ）、イネネクイハムシ（Ｏｕｌｅｍａ  ｏｒｙｚａｅ）、イチモンジセセリ（Ｐａｒｎａｒａ  ｇｕｔｔａｔａ））、ニカメイガ（Ｃｈｉｌｏ  ｓｕｐｐｒｅｓｓａｌｉｓ）、サンカイメイガ（Ｓｃｉｒｐｏｐｈａｇａ  ｉｎｃｅｒｔｕｌａｓ）、イネヨトウ（Ｓｅｓａｍｉａ  ｉｎｆｅｒｅｎｓ）、フタオビコヤガ（Ｎａｒａｎｇａ  ａｅｎｅｓｃｅｎｓ）、コブノメイガ（Ｃｎａｐｈａｌｏｃｒｏｃｉｓ  ｍｅｄｉｎａｌｉｓ）、ヒメトビウンカ（Ｌａｏｄｅｌｐｈａｘ  ｓｔｒｉａｔｅｌｌａ）、セジロウンカ（Ｓｏｇａｔｅｌｌａ  ｆｕｒｃｉｆｅｒａ）、トビイロウンカ（Ｎｉｌａｐａｒｖａｔａ  ｌｕｇｅｎｓ）、ツマグロヨコバイ（Ｎｅｐｈｏｔｅｔｔｉｘ  ｃｉｎｃｔｉｃｅｐｓ）、イネカメムシ（Ｌａｇｙｎｏｔｏｍｕｓ  ｅｌｏｎｇａｔｕｓ）、イネアザミウマ（Ｓｔｅｎｃｈａｅｔｏｔｈｒｉｐｓ  ｂｉｆｏｒｍｉｓ）、スクミリンゴガイ（Ｐｏｍａｃｅａ  ｃａｎａｌｉｃｕｌａｔａ）、イネハモグリバエ（Ａｇｒｏｍｙｚａ  ｏｒｙｚａｅ）、イネミギワバエ（Ｈｙｄｒｅｌｌｉａ  ｇｒｉｓｅｏｌａ）、イネクキミギワバエ（Ｈｙｄｒｅｌｌｉａ  ｓａｓａｋｉｉ）、イミズトゲミギワバエ（Ｎｏｔｉｐｈｉｌａ  ｓｅｋｉｙａｉ）、イネカラバエ（Ｃｈｌｏｒｏｐｓ  ｏｒｙｚａｅ）、キリウジガガンボ（Ｔｉｐｕｌａ  ａｉｎｏ）、タネバエ（Ｄｅｌｉａ  ｐｌａｔｕｒａ）、イネゾウムシ（Ｅｃｈｉｎｏｃｎｅｍｕｓ  ｓｑｕａｍｅｕｓ）、イネネクイハムシ（Ｄｏｎａｃｉａ  ｐｒｏｖｏｓｔｉ）、アワヨトウ（Ｍｙｔｈｉｍｎａ  ｓｅｐａｒａｔａ）、シロマダラコヤガ（Ｐｒｏｔｏｄｅｌｔｏｔｅ  ｄｉｓｔｉｎｇｕｅｎｄａ）、イネタテハマキ（Ｃｒａｐｈａｌｏｃｒｏｃｉｓ  ｅｘｉｇｕａ）、ムギクビレアブラムシ（Ｒｈｏｐａｌｏｓｉｐｈｕｍ  ｐａｄｉ）、オカボノアカアブラムシ（Ｒｈｏｐａｌｏｓｉｐｈｕｍ  ｒｕｆｉａｂｄｏｍｉｎａｌｉｓ）、イナズマヨコバイ（Ｒｅｃｉｌｉａ  ｄｏｒｓａｌｉｓ）、イネクロカメムシ（Ｓｃｏｔｉｎｏｐｈｏｒａ  ｌｕｒｉｄａ）、イネカメムシ（Ｃｌｅｔｕｓ  ｐｕｎｃｔｉｇｅｒ）、クモヘリカメムシ（Ｌｅｐｔｏｃｏｒｉｓａ  ｃｈｉｎｅｎｓｉｓ）、ミナミアオカメムシ（Ｎｅｚａｒａ  ｖｉｒｉｄｕｌａ）、トゲシラホシカメムシ（Ｅｙｓａｒｃｏｒｉｓ  ａｅｎｅｕｓ）、シラホシカメムシ（Ｅｙｓａｒｃｏｒｉｓ  ｖｅｎｔｒａｌｉｓ）、イネホソミドリカスミカメ（Ｔｒｉｇｏｎｏｔｙｌｕｓ  ｃａｅｌｅｓｔｉａｌｉｕｍ）、ナガムギカスミカメ（Ｓｔｅｎｏｄｅｍａ  ｓｉｂｉｒｉｃｕｍ）、アカスジカスミカメ（Ｓｔｅｎｏｔｕｓ  ｒｕｂｒｏｖｉｔｔａｔｕｓ）、ヒメクサキリ（Ｒｕｓｐｏｌｉａ  ｊｅｚｏｅｎｓｉｓ）、コバネイマゴ（Ｏｘｙａ  ｙｅｚｏｅｎｓｉｓ）、ハネナガイナゴ（Ｏｘｙａ  ｊａｐｏｎｉｃａ）、イネノネコナカイガラムシ（Ｇｅｏｃｏｃｃｕｓ  ｏｒｙｚａｅ）、ケラ（Ｇｒｙｌｌｏｔａｌｐａ  ｏｒｉｅｎｔａｌｉｓ）、イネシンガレセンチュウ（Ａｐｈｅｌｅｎｃｈｏｉｄｅｓ  ｂｅｓｓｅｙｉ）、オカボシストセンチュウ（Ｈｅｔｅｒｏｄｅｒａ  ｅｌａｃｈｉｓｔａ）、イネネモグリセンチュウ（Ｈｉｒｓｃｈｍａｎｎｉｅｌｌａ  Ｏｒｙｚａｅ）、アメリカザリガニ（Ｐｒｅｃａｍｂａｒｕｓ  ｃｌａｒｋｉｉ）などに対して使用できる。特に、イネアザミウマ、セジロウンカ及びスクミリンゴガイを効果的に防ぐことができる。  
【０１９９】
［実施例］  本発明の田植機搭載型液剤散布装置を６条植え田植機に搭載し、下表１に記載した条件の下、下記の要領で散布試験を行い、後日、散布試験を行った田圃においてどのような効果が現れたかを観察した。  
【表１】
2018102301.tif 000011
【０２００】
（試験１）  １ヘクタール当たり７２グラムのオキサジアルギル単剤を、下記の３つの要領で散布した。  
【０２０１】
（Ａ）株間５列当たり１株間滴下：  ６条植え田植機によって植え付けられる６条の畝の株間は５列となる。その５列の株間のうち、中央の株間１列にのみ液剤を滴下した（１株間滴下）。  
【０２０２】
（Ｂ）株間５列当たり３株間滴下：５列の株間のうち、中央の株間と、該中央の株間からそれぞれ１つ株間を挟んで両端の株間、合計３つの株間にそれぞれ液剤を滴下した（３株間滴下）。  
【０２０３】
（Ｃ）株間５列当たり５株間滴下：５列の株間すべてに液剤を滴下した（５株間滴下）。
【０２０４】
その後、雑草の種類毎に液剤散布による効果を観察した結果を下表２に示す。  
【表２】
2018102301.tif 000012
【０２０５】
（試験２）  １ヘクタール当たり３６グラムのオキサジアルギル単剤を、上記（Ａ）から（Ｃ）の３つの要領で散布した。雑草の種類毎に液剤散布による効果を観察した結果を下表３に示す。  
【表３】
2018102301.tif 000013
【０２０６】
（試験３）  １ヘクタール当たり３６グラムのオキサジアルギルと、１ヘクタール当たり３６グラムのトリアファモンとを混合し、上記（Ａ）から（Ｃ）の３つの要領で散布した。雑草の種類毎に液剤散布による効果を観察した結果を下表４に示す。  
【表４】
2018102301.tif 000014
【０２０７】
（試験４）  １ヘクタール当たり３６グラムのオキサジアルギルと、１ヘクタール当たり７２グラムのテフリルトリオンとを混合し、上記（Ａ）から（Ｃ）の３つの要領で散布した。雑草の種類毎に液剤散布による効果を観察した結果を下表５に示す。  
【表５】
2018102301.tif 000015
【０２０８】
（試験５）  １ヘクタール当たり３６グラムのオキサジアルギルと、１ヘクタール当たり７２グラムのテフリルトリオンと、１ヘクタール当たり１００グラムのフェントラザミドとを混合し、上記（Ａ）から（Ｃ）の３つの要領で散布した。雑草の種類毎に液剤散布による効果を観察した結果を下表６に示す。  
【表６】
2018102301.tif 000016
【０２０９】
（試験６）  １ヘクタール当たり３６グラムのトリアファモンと、１ヘクタール当たり７２グラムのテフリルトリオンとを混合し、上記（Ａ）から（Ｃ）の３つの要領で散布した。雑草の種類毎に液剤散布による効果を観察した結果を下表７に示す。  
【表７】
2018102301.tif 000017
【０２１０】
（試験７）  １ヘクタール当たり１５０グラムのフェントラザミドと、１ヘクタール当たり１５０グラムのテフリルトリオンとを混合し、上記（Ａ）から（Ｃ）の３つの要領で散布した。雑草の種類毎に液剤散布による効果を観察した結果を下表８に示す。  
【表８】
2018102301.tif 000018
【０２１１】
（試験８）  １ヘクタール当たり３６グラムのトリアファモンと、１ヘクタール当たり７２グラムのフェントラザミドと、１ヘクタール当たり７２グラムのテフリルトリオンとを混合し、上記（Ａ）から（Ｃ）の３つの要領で散布した。雑草の種類毎に液剤散布による効果を観察した結果を下表９に示す。  
【表９】
2018102301.tif 000019
【０２１２】
（試験９）  １ヘクタール当たり４５０グラムのメフェナセットと、１ヘクタール当たり２７グラムのベンスルフロンメチルとを混合し、上記（Ａ）から（Ｃ）の３つの要領で散布した。雑草の種類毎に液剤散布による効果を観察した結果を下表１０に示す。  
【表１０】
2018102301.tif 000020
【０２１３】
（試験１０）  １ヘクタール当たり４５０グラムのプレチラクロールと、１ヘクタール当たり３１．５グラムのベンスルフロンメチルとを混合し、上記（Ａ）から（Ｃ）の３つの要領で散布した。雑草の種類毎に液剤散布による効果を観察した結果を下表１１に示す。
【表１１】
2018102301.tif 000021
【０２１４】
（試験１１）  １ヘクタール当たり３６グラムのトリアファモンと、１ヘクタール当たり４５０グラムのメフェナセットと、１ヘクタール当たり２７グラムのベンスルフロンメチルとを混合し、上記（Ａ）から（Ｃ）の３つの要領で散布した。雑草の種類毎に液剤散布による効果を観察した結果を下表１２に示す。  
【表１２】
2018102301.tif 000022
【０２１５】
（試験１２）  １ヘクタール当たり３６グラムのトリアファモンと、１ヘクタール当たり４５０グラムのプレチラクロールと、１ヘクタール当たり３１．５グラムのベンスルフロンメチルとを混合し、上記（Ａ）から（Ｃ）の３つの要領で散布した。雑草の種類毎に液剤散布による効果を観察した結果を下表１３に示す。  
【表１３】
2018102301.tif 000023
【０２１６】
上記（試験１）から（試験１２）の観察結果から、散布した液剤の種類によって程度の違いこそあれ、５列の株間すべてに液剤を滴下することにより、観察の対象とした雑草のすべてに対して有効であることが判明した。  
【０２１７】
以上、本発明の好ましい実施形態を説明したが、本発明は上記の実施形態に限定されることはない。本発明の趣旨を逸脱しない範囲で、構成の付加、省略、置換、及びその他の変更が可能である。本発明は前述した説明によって限定されることはなく、添付のクレームの範囲によってのみ限定される。  
【０２１８】
本発明の田植機搭載型液剤散布装置を６条植え田植機に搭載し、下表１４及び１５に記載した条件の下、下記の要領で散布試験を行った。後日、散布試験を行った田圃においてどのような効果が現れたかを観察した。  
【表１４】
2018102301.tif 000024
【０２１９】
2018102301.tif 000025
【表１５】
2018102301.tif 000026
2018102301.tif 000027
【０２２０】
表１４及び１５に記載の手順に従って試験１３〜２２の結果は、下記に列挙する。表１７〜２６に記載の試験結果は、表１４だけの手順に従って実施したＥＬＯＫＵ及び表１５だけの手順に従って実施したＰＯＭＡＣＡの試験結果を除いて、表１４及び１５に記載の両方の手順からの結果の平均値である。１滴、３滴及び全滴は、上記の手順（Ａ）、（Ｂ）及び（Ｃ）と同一の定義を有する。  
【０２２１】
表１７〜２４で使用した略語及び用語は表１６で説明する。  
【表１６】
2018102301.tif 000028
【０２２２】
（試験１３）  ＴＲＦ＆ＴＥＦの混合剤を１滴、３滴又は全滴散布法で散布した。様々な標的への試験１３の作用を観察した結果は、下表１７に示す。  
【表１７】
2018102301.tif 000029
【０２２３】
（試験１４）  ＩＳＴ（イソチアニル）を１滴、３滴又は全滴散布法で散布した。様々な標的への試験１４の作用を観察した結果は、下表１８に示す。  
【表１８】
2018102301.tif 000030
【０２２４】
（試験１５）  ＩＭＤ（イミダクロプリド）を１滴、３滴又は全滴散布法で散布した。様々な標的への試験１５の作用を観察した結果は、下表１９に示す。  
【表１９】
2018102301.tif 000031
【０２２５】
（試験１６）  ＮＣＳ（ニクロサミド：ｂａｙｌｕｓｃｉｄｅ）を１滴、３滴又は全滴散布法で散布した。様々な標的への試験１６の作用を観察した結果は、下表２０に示す。
【表２０】
2018102301.tif 000032
【０２２６】
（試験１７）  ＴＲＦ＆ＴＥＦ＋ＩＳＴ（イソチアニル）の混合剤を１滴、３滴又は全滴散布法で散布した。様々な標的への試験１７の作用を観察した結果は、下表２１に示す。  
【表２１】
2018102301.tif 000033
【０２２７】
（試験１８）  ＴＲＦ＆ＴＥＦ＋ＩＭＤ（イミダクロプリド）の混合剤を１滴、３滴又は全滴散布法で散布した。様々な標的への試験１８の作用を観察した結果は、下表２２に示す。  
【表２２】
2018102301.tif 000034
【０２２８】
（試験１９）  ＴＲＦ＆ＴＥＦ＋ＩＳＴ（イソチアニル）＋ＩＭＤ（イミダクロプリド）の混合剤を１滴、３滴又は全滴散布法で散布した。様々な標的への試験１９の作用を観察した結果は、下表２３に示す。  
【表２３】
2018102301.tif 000035
【０２２９】
（試験２０）  ＴＲＦ＆ＴＥＦ＋ＩＳＴ（イソチアニル）＋ＮＣＳ（ニクロサミド：ｂａｙｌｕｓｃｉｄｅ）の混合剤を１滴、３滴又は全滴散布法で散布した。様々な標的への試験２０の作用を観察した結果は、下表２４に示す。  
【表２４】
2018102301.tif 000036
【０２３０】
（試験２１）  ＴＲＦ＆ＴＥＦ＋ＩＳＴ（イソチアニル）＋ＩＭＤ（イミダクロプリド）＋ＮＣＳ（ニクロサミド：ｂａｙｌｕｓｃｉｄｅ）の混合剤を１滴、３滴又は全滴散布法で散布した。様々な標的への試験２１の作用を観察した結果は、下表２５に示す。  
【表２５】
2018102301.tif 000037
【０２３１】
（試験２２）  ＴＲＦ＆ＴＥＦ＋ＩＳＴ（イソチアニル）＋ＩＭＤ（イミダクロプリド）＋ＮＣＳ（ニクロサミド：ｂａｙｌｕｓｃｉｄｅ）の混合剤を１滴、３滴又は全滴散布法で散布した。様々な標的への試験２２の作用を観察した結果は、下表２６に示す。  
【表２６】
2018102301.tif 000038
【０２３２】
図５に示した機序による液剤の均一な滴下の試験。  
【０２３３】
条件：水と洗剤からなる液剤の各ノズル（ノズルの総数は、この場合には５個である）からの滴下量は、田植機に搭載した液剤散布装置を使用して計量した。１回のトライアルは、１５Ｌ／ｈａの散布速度に自動的に対応して生成される散布動作制御装置からの４０回の信号から構成された。各ノズルからの液剤の滴下量及びそれらの平均値、総滴下量、誤差及びＲＳＤ（誤差及びＲＳＤの定義は下記に示す）は、下表２７の各行に列挙した。１セットのトライアルは３回のトライアルから構成され、１セットとしてのトライアルの各データの平均値は、表２７の最下行に列挙した。  
【表２７】
2018102301.tif 000039
【０２３４】
同一方法で９セットのトライアル（計２７回のトライアルを意味する）を反復した。  
【０２３５】
各セットにおける各ノズルの滴下量の平均誤差（表２８内の「滴下」）、各セット内の各ノズルについてのＲＳＤの平均誤差（表２８内の「ＲＳＤ」）及び各セット内の各トライアルの全滴下量の平均誤差（表２８内の「総量」）を第１〜９行に列挙し、それらの平均値は最下行に列挙する。  
【表２８】
2018102301.tif 000040
【０２３６】
表２７及び２８に列挙した試験結果は、本発明の田植機搭載型液剤散布装置が液剤を均一に散布することができ、滴下誤差が１０％以下であることを明らかにしている。
【産業上の利用可能性】
【０２３７】
本発明は、田植機に搭載可能で、前記田植機による田植え動作に同調して液剤を散布する
田植機搭載型液剤散布装置に関する。本発明によれば、防除作業を省力化し、中規模圃場
、大規模圃場の農薬散布を可能にすることができる。 
【図１】
2018102301.tif 000041
【図２】
2018102301.tif 000042
【図３】
2018102301.tif 000043
【図４】
2018102301.tif 000044
【図５】
2018102301.tif 000045